(57)【要約】  本開示は無線通信システムにおいて、端末がＰＲＳ(Ｐｏｓｉｔｉｏｎｉｎｇ Ｒｅｆｅｒｅｎｃｅ Ｓｉｇｎａｌ)を受信する方法に関する。この方法は、複数のＰＲＳリソースを含むＰＲＳリソースグループに関する第１情報及びＰＲＳリソースグループのための繰り返し回数に関する第２情報を受信し、第１情報及び第２情報に基づいて複数のＰＲＳリソースによりＰＲＳを受信することを含み、ＰＲＳリソースグループは一定の区間内で繰り返し回数だけ繰り返して割り当てられる。
2021516913.tif 000002
【特許請求の範囲】
【請求項１】
無線通信システムにおいて、端末がＰＲＳ(Ｐｏｓｉｔｉｏｎｉｎｇ Ｒｅｆｅｒｅｎｃｅ Ｓｉｇｎａｌ)を受信する方法であって、
複数のＰＲＳリソースを含むＰＲＳリソースグループに関する第１情報及び前記ＰＲＳリソースグループのための繰り返し回数に関する第２情報を受信し、
前記第１情報及び前記第２情報に基づいて前記複数のＰＲＳリソースにより前記ＰＲＳを受信することを含んでなり、
前記ＰＲＳリソースグループは一定の区間内で前記繰り返し回数だけ繰り返して割り当てられる、ＰＲＳ受信方法。
【請求項２】
前記一定の区間は、前記ＰＲＳリソースグループのための時間区間に前記繰り返し回数を乗じた長さだけの区間であるＰＲＳ機会(Ｏｃｃａｓｉｏｎ)である、請求項１に記載のＰＲＳ受信方法。
【請求項３】
前記一定の区間は、前記ＰＲＳの送信周期に等しいか又は短い、請求項１に記載のＰＲＳ受信方法。
【請求項４】
前記端末に設定可能な最大のＰＲＳリソースの数は、前記端末の性能(Ｃａｐａｂｉｌｉｔｙ)に基づいて決定される、請求項１に記載のＰＲＳ受信方法。
【請求項５】
複数のセル間のＰＲＳ送信タイミングオフセットに関する情報を受信することをさらに含み、
前記ＰＲＳを受信することは前記ＰＲＳ送信タイミングオフセットに基づいて受信することを含んでなる、請求項１に記載のＰＲＳ受信方法。
【請求項６】
前記ＰＲＳのための送信ビームの角度(ａｎｇｌｅ)に関する情報を得ることをさらに含んでなる、請求項１に記載のＰＲＳ受信方法。
【請求項７】
前記端末は、前記端末以外の端末、ネットワーク、基地局、及び自律走行車両のうちの何れか１つと通信可能なものである、請求項１に記載のＰＲＳ受信方法。
【請求項８】
無線通信システムにおいて、ＰＲＳ(Ｐｏｓｉｔｉｏｎｉｎｇ Ｒｅｆｅｒｅｎｃｅ Ｓｉｇｎａｌ)を受信するための装置であって、
少なくとも１つのプロセッサ；及び
前記少なくとも１つのプロセッサに動作可能に連結され、実行される場合、前記少なくとも１つのプロセッサに特定の動作を実行させる命令(ｉｎｓｔｒｕｃｔｉｏｎｓ)を格納する少なくとも１つのメモリ；を備えてなり、
前記特定の動作は、
複数のＰＲＳリソースを含むＰＲＳリソースグループ(ｇｒｏｕｐ)に関する第１情報及び前記ＰＲＳリソースグループのための繰り返し回数に関する第２情報を受信し、
前記第１情報及び前記第２情報に基づいて前記複数のＰＲＳリソースにより前記ＰＲＳを受信することを含み、
前記ＰＲＳリソースグループは、一定の区間内で前記繰り返し回数だけ繰り返して割り当てられる、装置。
【請求項９】
前記一定の区間は、前記ＰＲＳリソースグループのための時間区間に前記繰り返し回数を乗じた長さだけの区間であるＰＲＳ機会(Ｏｃｃａｓｉｏｎ)である、請求項８に記載の装置。
【請求項１０】
前記一定の区間は、前記ＰＲＳの送信周期に等しいか又は短い、請求項８に記載の装置。
【請求項１１】
前記端末に設定可能な最大のＰＲＳリソースの数は、前記端末の性能(Ｃａｐａｂｉｌｉｔｙ)に基づいて決定される、請求項１に記載のＰＲＳ受信方法。
【請求項１２】
複数のセル間のＰＲＳ送信タイミングオフセットに関する情報を受信することをさらに含み、
前記ＰＲＳを受信することは前記ＰＲＳ送信タイミングオフセットに基づいて受信することを含んでなる、請求項８に記載の装置。
【請求項１３】
前記ＰＲＳのための送信ビームの角度(ａｎｇｌｅ)に関する情報を得ることをさらに含んでなる、請求項８に記載の装置。
【請求項１４】
前記装置は、端末、ネットワーク、基地局及び自律走行車両のうちの何れか１つと通信可能である、請求項８に記載の装置。
【請求項１５】
無線通信システムにおいて、ＰＲＳ(Ｐｏｓｉｔｉｏｎｉｎｇ Ｒｅｆｅｒｅｎｃｅ Ｓｉｇｎａｌ)を受信するための端末であって、
少なくとも１つの送受信機；
少なくとも１つのプロセッサ；及び
前記少なくとも１つのプロセッサに動作可能に連結され、実行される場合、前記少なくとも１つのプロセッサに特定の動作を実行させる命令(ｉｎｓｔｒｕｃｔｉｏｎｓ)を格納する少なくとも１つのメモリ；を備えてなり、
前記特定の動作は、
前記少なくとも１つの送受信機により、複数のＰＲＳリソースを含むＰＲＳリソースグループ(ｇｒｏｕｐ)に関する第１情報及び前記ＰＲＳリソースグループのための繰り返し回数に関する第２情報を受信し、
前記少なくとも１つの送受信機により、前記第１情報及び前記第２情報に基づいて前記複数のＰＲＳリソースにより前記ＰＲＳを受信することを含み、
前記ＰＲＳリソースグループは、一定の区間内で前記繰り返し回数だけ繰り返して割り当てられる、端末。
【発明の詳細な説明】
【技術分野】
【０００１】
本開示は測位参照信号を送受信する方法及びそのための装置に関し、より詳しくは、測位参照信号のためのリソースを繰り返して割り当て、測位の正確性を高めるための測位参照信号を送受信する方法及びそのための装置に関する。
【背景技術】
【０００２】
時代の流れによってより多くの通信装置がより大きな通信トラフィックを要求することになり、既存のＬＴＥシステムに比べて向上した無線広帯域通信である次世代５Ｇシステムが要求されている。ＮｅｗＲＡＴと呼ばれる次世代５Ｇシステムでは、Ｅｎｈａｎｃｅｄ Ｍｏｂｉｌｅ ＢｒｏａｄＢａｎｄ(ｅＭＢＢ)／Ｕｌｔｒａ−Ｒｅｌｉａｂｉｌｉｔｙ ａｎｄ Ｌｏｗ−Ｌａｔｅｎｃｙ Ｃｏｍｍｕｎｉｃａｔｉｏｎ(ＵＲＬＬＣ)／Ｍａｓｓｉｖｅ Ｍａｃｈｉｎｅ−ｔｙｐｅ Ｃｏｍｍｕｎｉｃａｔｉｏｎｓ(ｍＭＴＣ)などに通信シナリオが区分される。
【０００３】
ここで、ｅＭＢＢはＨｉｇｈ Ｓｐｅｃｔｒｕｍ Ｅｆｆｉｃｉｅｎｃｙ、Ｈｉｇｈ Ｕｓｅｒ Ｅｘｐｅｒｉｅｎｃｅｄ Ｄａｔａ Ｒａｔｅ、Ｈｉｇｈ Ｐｅａｋ Ｄａｔａ Ｒａｔｅなどの特性を有する次世代移動通信シナリオであり、ＵＲＬＬＣはＵｌｔｒａ Ｒｅｌｉａｂｌｅ、Ｕｌｔｒａ Ｌｏｗ Ｌａｔｅｎｃｙ、Ｕｌｔｒａ Ｈｉｇｈ Ａｖａｉｌａｂｉｌｉｔｙなどの特性を有する次世代移動通信シナリオであり(ｅ.ｇ.，Ｖ２Ｘ、Ｅｍｅｒｇｅｎｃｙ Ｓｅｒｖｉｃｅ、Ｒｅｍｏｔｅ Ｃｏｎｔｒｏｌ)、ｍＭＴＣはＬｏｗ Ｃｏｓｔ、Ｌｏｗ Ｅｎｅｒｇｙ、Ｓｈｏｒｔ Ｐａｃｋｅｔ、Ｍａｓｓｉｖｅ Ｃｏｎｎｅｃｔｉｖｉｔｙの特性を有する次世代移動通信シナリオである(ｅ.ｇ.，ＩｏＴ)。
【発明の概要】
【発明が解決しようとする課題】
【０００４】
本開示は測位参照信号を送受信する方法及びそのための装置を提供する。
【０００５】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００６】
本開示の実施例による無線通信システムにおいて、端末がＰＲＳ(Ｐｏｓｉｔｉｏｎｉｎｇ Ｒｅｆｅｒｅｎｃｅ Ｓｉｇｎａｌ)を受信する方法であって、複数のＰＲＳリソースを含むＰＲＳリソースグループに関する第１情報及びＰＲＳリソースグループのための繰り返し回数に関する第２情報を受信し、第１情報及び第２情報に基づいて複数のＰＲＳリソースによりＰＲＳを受信することを含み、ＰＲＳリソースグループは一定の区間内で繰り返し回数だけ繰り返して割り当てられる。
【０００７】
この時、一定の区間は、ＰＲＳリソースグループのための時間区間に繰り返し回数を乗じた長さだけの区間であるＰＲＳ機会(Ｏｃｃａｓｉｏｎ)である。
【０００８】
一定の区間は、ＰＲＳの送信周期に等しいか又は短い。
【０００９】
端末に設定可能な最大のＰＲＳリソースの数は、端末の性能(Ｃａｐａｂｉｌｉｔｙ)に基づいて決定される。
【００１０】
さらに、複数のセル間のＰＲＳ送信タイミングオフセットに関する情報を受信することを含み、ＰＲＳを受信することはＰＲＳ送信タイミングオフセットに基づいて受信することを含む。
【００１１】
さらに、ＰＲＳのための送信ビームの角度(ａｎｇｌｅ)に関する情報を得ることを含む。
【００１２】
端末は、該端末以外の端末、ネットワーク、基地局及び自律走行車両のうちのいずれかと通信可能である。
【００１３】
本開示による無線通信システムにおいて、ＰＲＳ(Ｐｏｓｉｔｉｏｎｉｎｇ Ｒｅｆｅｒｅｎｃｅ Ｓｉｇｎａｌ)を受信するための装置であって、少なくとも１つのプロセッサ；及び少なくとも１つのプロセッサに動作可能に連結され、実行される場合、少なくとも１つのプロセッサに特定の動作を実行させる命令(ｉｎｓｔｒｕｃｔｉｏｎｓ)を格納する少なくとも１つのメモリ；を含み、特定の動作は、複数のＰＲＳリソースを含むＰＲＳリソースグループ(ｇｒｏｕｐ)に関する第１情報及びＰＲＳリソースグループのための繰り返し回数に関する第２情報を受信し、第１情報及び第２情報に基づいて複数のＰＲＳリソースによりＰＲＳを受信することを含み、ＰＲＳリソースグループは、一定の区間内で繰り返し回数だけ繰り返して割り当てられる。
【００１４】
この時、一定の区間は、ＰＲＳリソースグループのための時間区間に繰り返し回数を乗じた長さだけの区間であるＰＲＳ機会(Ｏｃｃａｓｉｏｎ)である。
【００１５】
一定の区間は、ＰＲＳの送信周期に等しいか又は短い。
【００１６】
端末に設定可能な最大のＰＲＳリソースの数は、端末の性能(Ｃａｐａｂｉｌｉｔｙ)に基づいて決定される。
【００１７】
さらに、複数のセル間のＰＲＳ送信タイミングオフセットに関する情報を受信することを含み、ＰＲＳを受信することはＰＲＳ送信タイミングオフセットに基づいて受信することを含む。
【００１８】
さらに、ＰＲＳのための送信ビームの角度(ａｎｇｌｅ)に関する情報を得ることを含む。
【００１９】
装置は、端末、ネットワーク、基地局及び自律走行車両のうちのいずれか１つと通信可能である。
【００２０】
本開示による無線通信システムにおいて、ＰＲＳ(Ｐｏｓｉｔｉｏｎｉｎｇ Ｒｅｆｅｒｅｎｃｅ Ｓｉｇｎａｌ)を受信するための端末であって、少なくとも１つの送受信機；少なくとも１つのプロセッサ；及び少なくとも１つのプロセッサに動作可能に連結され、実行される場合、少なくとも１つのプロセッサに特定の動作を実行させる命令(ｉｎｓｔｒｕｃｔｉｏｎｓ)を格納する少なくとも１つのメモリ；を含み、特定の動作は、少なくとも１つの送受信機により、複数のＰＲＳリソースを含むＰＲＳリソースグループ(ｇｒｏｕｐ)に関する第１情報及びＰＲＳリソースグループのための繰り返し回数に関する第２情報を受信し、少なくとも１つの送受信機により、第１情報及び第２情報に基づいて複数のＰＲＳリソースによりＰＲＳを受信することを含み、ＰＲＳリソースグループは、一定の区間内で繰り返し回数だけ繰り返して割り当てられる。
【発明の効果】
【００２１】
本発明によれば、測位参照信号のためのリソースを繰り返して割り当て、測位の正確性を高めることができる。
【００２２】
本発明で得られる効果は以上に言及した効果に制限されず、言及しなかった他の効果は下記の記載から本発明が属する当該技術分野における当業者に明確に理解されるであろう。
【図面の簡単な説明】
【００２３】
【図１】３ＧＰＰ無線接続網の規格に基づく端末とＥ−ＵＴＲＡＮの間の無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ)及び使用者平面(Ｕｓｅｒ Ｐｌａｎｅ)構造を示す図である。
【図２】３ＧＰＰシステムに用いられる物理チャネル及びこれらを用いた一般的な信号送信方法を説明する図である。
【図３】ＮＲシステムで使用される無線フレーム及びスロットの構造を説明する図である。
【図４】ＮＲシステムで使用される無線フレーム及びスロットの構造を説明する図である。
【図５】ＮＲシステムで使用される無線フレーム及びスロットの構造を説明する図である。
【図６】ＳＳＢ(Ｓｙｎｃｈｒｏｎｉｚａｔｉｏｎ Ｓｉｇｎａｌ Ｂｌｏｃｋ)の構造及び送信方法を説明する図である。
【図７】ＳＳＢ(Ｓｙｎｃｈｒｏｎｉｚａｔｉｏｎ Ｓｉｇｎａｌ Ｂｌｏｃｋ)の構造及び送信方法を説明する図である。
【図８】ＣＳＩ(Ｃｈａｎｎｅｌ Ｓｔａｔｅ Ｉｎｆｏｒｍａｔｉｏｎ)の報告過程を説明する図である。
【図９】ＬＴＥシステムにおいてＰＲＳ(Ｐｏｓｉｔｉｏｎｉｎｇ Ｒｅｆｅｒｅｎｃｅ Ｓｉｇｎａｌ)がマッピングされる例示を示す図である。
【図１０】ＵＥの位置を測定するためのシステムのアーキテクチャ及びＵＥの位置を測定する手順を説明する図である。
【図１１】ＵＥの位置を測定するためのシステムのアーキテクチャ及びＵＥの位置を測定する手順を説明する図である。
【図１２】ＬＰＰ(ＬＴＥ Ｐｏｓｉｔｉｏｎｉｎｇ Ｐｒｏｔｏｃｏｌ)メッセージ送信を支援するためのプロトコル層を例示する図である。
【図１３】ＮＲＰＰａ(ＮＲ Ｐｏｓｉｔｉｏｎｉｎｇ Ｐｒｏｔｏｃｏｌ Ａ) ＰＤＵ(Ｐｒｏｔｏｃｏｌ Ｄａｔａ Ｕｎｉｔ)送信を支援するためのプロトコル層を例示する図である。
【図１４】ＯＴＤＯＡ(Ｏｂｓｅｒｖｅｄ Ｔｉｍｅ Ｄｉｆｆｅｒｅｎｃｅ Ｏｆ Ａｒｒｉｖａｌ)測位(Ｐｏｓｉｔｉｏｎｉｎｇ)方法の実施例を説明する図である。
【図１５】本開示の実施例による端末、基地局及び位置サーバーの動作具現例を説明する図である。
【図１６】本開示の実施例による端末、基地局及び位置サーバーの動作具現例を説明する図である。
【図１７】本開示の実施例による端末、基地局及び位置サーバーの動作具現例を説明する図である。
【図１８】本開示の実施例による端末、基地局及び位置サーバーの動作具現例を説明する図である。
【図１９】本開示によるＰＲＳを割り当てる実施例を示す図である。
【図２０】本開示による位置関連情報を報告する実施例を示す図である。
【図２１】本開示によるスロット内でＰＲＳリソースを割り当てる実施例を示す図である。
【図２２】本開示によるスロット内でＰＲＳリソースを割り当てる実施例を示す図である。
【図２３】本開示によるスロット内でＰＲＳリソースを割り当てる実施例を示す図である。
【図２４】本開示によるスロット内でＰＲＳリソースを割り当てる実施例を示す図である。
【図２５】本開示によるスロット内でＰＲＳリソースを割り当てる実施例を示す図である。
【図２６】本開示によるスロット内でＰＲＳリソースを割り当てる実施例を示す図である。
【図２７】本開示によるＰＲＳ送信ビーム設定(Ｔｘ Ｂｅａｍ Ｃｏｎｆｉｇｕｒａｔｉｏｎ)の具現例を示す図である。
【図２８】本開示の実施例が適用される通信システムの例示を示す図である。
【図２９】本開示の実施例が適用される様々な無線機器の例示を示す図である。
【図３０】本開示の実施例が適用される様々な無線機器の例示を示す図である。
【図３１】本開示の実施例が適用される様々な無線機器の例示を示す図である。
【図３２】本開示の実施例が適用される様々な無線機器の例示を示す図である。
【図３３】本開示の実施例が適用される位置サーバーの例示を示す図である。
【図３４】本開示の実施例が適用される信号処理回路の例示を示す図である。
【発明を実施するための形態】
【００２４】
以下、添付図面を参照しながら説明する本発明の実施例によって本発明の構成、作用及び他の特徴をより容易に理解できるであろう。以下の実施例は本発明の技術的特徴が３ＧＰＰシステムに適用された例である。
【００２５】
本文書では、ＬＴＥシステム、ＬＴＥ−Ａシステム及びＮＲシステムを用いて本発明の実施例を説明しているが、これは一例であり、本発明の実施例は上記定義に該当するいかなる通信システムにも適用することができる。
【００２６】
また、本文書では、基地局の名称がＲＲＨ(ｒｅｍｏｔｅ ｒａｄｉｏ ｈｅａｄ)、ｅＮＢ、ＴＰ(ｔｒａｎｓｍｉｓｓｉｏｎ ｐｏｉｎｔ)、ＲＰ(ｒｅｃｅｐｔｉｏｎ ｐｏｉｎｔ)、中継器(ｒｅｌａｙ)などの包括的な用語で使用されている。
【００２７】
３ＧＰＰ基盤の通信標準は、上位層から生じる情報を運ぶリソース要素に対応する下りリンク物理チャンネルと、物理層によって用いられるものの、上位層から生じる情報を運搬しないリソース要素に対応する下りリンク物理信号を定義する。例えば、物理下りリンク共有チャンネル(ｐｈｙｓｉｃａｌ ｄｏｗｎｌｉｎｋ ｓｈａｒｅｄ ｃｈａｎｎｅｌ，ＰＤＳＣＨ)、物理ブロードキャストチャンネル(ｐｈｙｓｉｃａｌ ｂｒｏａｄｃａｓｔ ｃｈａｎｎｅｌ，ＰＢＣＨ)、物理マルチキャストチャンネル(ｐｈｙｓｉｃａｌ ｍｕｌｔｉｃａｓｔ ｃｈａｎｎｅｌ，ＰＭＣＨ)、物理制御フォーマット指示子チャンネル(ｐｈｙｓｉｃａｌ ｃｏｎｔｒｏｌ ｆｏｒｍａｔ ｉｎｄｉｃａｔｏｒ ｃｈａｎｎｅｌ，ＰＣＦＩＣＨ)、物理下りリンク制御チャンネル(ｐｈｙｓｉｃａｌ ｄｏｗｎｌｉｎｋ ｃｏｎｔｒｏｌ ｃｈａｎｎｅｌ，ＰＤＣＣＨ)及び物理ハイブリッドＡＲＱ指示子チャンネル(ｐｈｙｓｉｃａｌ ｈｙｂｒｉｄ ＡＲＱ ｉｎｄｉｃａｔｏｒ ｃｈａｎｎｅｌ，ＰＨＩＣＨ)が下りリンク物理チャンネルとして定義されており、参照信号と同期信号が下りリンク物理信号として定義されている。パイロット(ｐｉｌｏｔ)とも呼ばれる参照信号(ｒｅｆｅｒｅｎｃｅ ｓｉｇｎａｌ，ＲＳ)は、ｇＮＢとＵＥが互いに知っている既に定義された特別な波形の信号を意味するが、例えば、セル特定のＲＳ(ｃｅｌｌ ｓｐｅｃｉｆｉｃ ＲＳ)、ＵＥ−特定のＲＳ(ＵＥ−ｓｐｅｃｉｆｉｃ ＲＳ，ＵＥ−ＲＳ)、ポジショニングＲＳ(ｐｏｓｉｔｉｏｎｉｎｇ ＲＳ，ＰＲＳ)及びチャンネル状態情報ＲＳ(ｃｈａｎｎｅｌ ｓｔａｔｅ ｉｎｆｏｒｍａｔｉｏｎ ＲＳ，ＣＳＩ−ＲＳ)が下りリンク参照信号として定義される。３ＧＰＰ ＬＴＥ／ＬＴＥ−Ａ標準は、上位層から生じる情報を運搬するリソース要素に対応する上りリンク物理チャンネルと、物理層によって用いられるものの、上位層から生じる情報を運搬しないリソース要素に対応する上りリンク物理信号を定義している。例えば、物理上りリンク共有チャンネル(ｐｈｙｓｉｃａｌ ｕｐｌｉｎｋ ｓｈａｒｅｄ ｃｈａｎｎｅｌ，ＰＵＳＣＨ)、物理上りリンク制御チャンネル(ｐｈｙｓｉｃａｌ ｕｐｌｉｎｋ ｃｏｎｔｒｏｌ ｃｈａｎｎｅｌ，ＰＵＣＣＨ)、物理任意接続チャンネル(ｐｈｙｓｉｃａｌ ｒａｎｄｏｍ ａｃｃｅｓｓ ｃｈａｎｎｅｌ，ＰＲＡＣＨ)が上りリンク物理チャンネルとして定義され、上りリンク制御／データ信号のための復調参照信号(ｄｅｍｏｄｕｌａｔｉｏｎ ｒｅｆｅｒｅｎｃｅ ｓｉｇｎａｌ，ＤＭＲＳ)と上りリンクチャンネル測定に用いられるサウンディング参照信号(ｓｏｕｎｄｉｎｇ ｒｅｆｅｒｅｎｃｅ ｓｉｇｎａｌ，ＳＲＳ)が定義される。
【００２８】
本発明において、ＰＤＣＣＨ(Ｐｈｙｓｉｃａｌ Ｄｏｗｎｌｉｎｋ Ｃｏｎｔｒｏｌ ＣＨａｎｎｅｌ)／ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)／ＰＨＩＣＨ((Ｐｈｙｓｉｃａｌ Ｈｙｂｒｉｄ ａｕｔｏｍａｔｉｃ ｒｅｔｒａｎｓｍｉｔ ｒｅｑｕｅｓｔ Ｉｎｄｉｃａｔｏｒ ＣＨａｎｎｅｌ)／ＰＤＳＣＨ(Ｐｈｙｓｉｃａｌ Ｄｏｗｎｌｉｎｋ Ｓｈａｒｅｄ Ｃｈａｎｎｅｌ)はそれぞれ、ＤＣＩ(Ｄｏｗｎｌｉｎｋ Ｃｏｎｔｒｏｌ Ｉｎｆｏｒｍａｔｉｏｎ)／ＣＦＩ(Ｃｏｎｔｒｏｌ Ｆｏｒｍａｔ Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ ＡＣＫ)／下りリンクデータを運搬する時間−周波数リソースの集合或いはリソース要素の集合を意味する。また、ＰＵＣＣＨ(Ｐｈｙｓｉｃａｌ Ｕｐｌｉｎｋ Ｃｏｎｔｒｏｌ ＣＨａｎｎｅｌ)／ＰＵＳＣＨ(Ｐｈｙｓｉｃａｌ Ｕｐｌｉｎｋ Ｓｈａｒｅｄ ＣＨａｎｎｅｌ)／ＰＲＡＣＨ(Ｐｈｙｓｉｃａｌ Ｒａｎｄｏｍ Ａｃｃｅｓｓ ＣＨａｎｎｅｌ)はそれぞれ、ＵＣＩ(Ｕｐｌｉｎｋ Ｃｏｎｔｒｏｌ Ｉｎｆｏｒｍａｔｉｏｎ)／上りリンクデータ／ランダムアクセス信号を運搬する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素(Ｒｅｓｏｕｒｃｅ Ｅｌｅｍｅｎｔ，ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／或いはを通じて、上りリンク制御情報／上りリンクデータ／ランダムアクセス信号を送信することと同じ意味で使われる。また、ｇＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／或いはを通じて、下りリンクデータ／制御情報を送信することと同じ意味で使われる。
【００２９】
以下、ＣＲＳ／ＤＭＲＳ／ＣＳＩ−ＲＳ／ＳＲＳ／ＵＥ−ＲＳが割り当てられた或いは設定された(ｃｏｎｆｉｇｕｒｅｄ)ＯＦＤＭシンボル／副搬送波／ＲＥを、ＣＲＳ／ＤＭＲＳ／ＣＳＩ−ＲＳ／ＳＲＳ／ＵＥ−ＲＳシンボル／搬送波／副搬送波／ＲＥと称する。例えば、トラッキングＲＳ(ｔｒａｃｋｉｎｇ ＲＳ、ＴＲＳ)が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ ＲＥと称する。また、ＴＲＳ送信のために設定された(ｃｏｎｆｉｇｕｒｅｄ)サブフレームを、ＴＲＳサブフレームと称する。また、ブロードキャスト信号が送信されるサブフレームを、ブロードキャストサブフレーム或いはＰＢＣＨサブフレームと称し、同期信号(例えば、ＰＳＳ及び／又はＳＳＳ)が送信されるサブフレームを、同期信号サブフレーム或いはＰＳＳ／ＳＳＳサブフレームと称する。ＰＳＳ／ＳＳＳが割り当てられた或いは設定された(ｃｏｎｆｉｇｕｒｅｄ)ＯＦＤＭシンボル／副搬送波／ＲＥをそれぞれ、ＰＳＳ／ＳＳＳシンボル／副搬送波／ＲＥと称する。
【００３０】
本発明において、ＣＲＳポート、ＵＥ−ＲＳポート、ＣＳＩ−ＲＳポート、ＴＲＳポートとは、それぞれ、ＣＲＳを送信するように設定された(ｃｏｎｆｉｇｕｒｅｄ)アンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互区別でき、ＵＥ−ＲＳを送信するように設定された(ｃｏｎｆｉｇｕｒｅｄ)アンテナポートは、ＵＥ−ＲＳポートによってＵＥ−ＲＳが占有するＲＥの位置によって相互区別でき、ＣＳＩ−ＲＳを送信するように設定されたアンテナポートは、ＣＳＩ−ＲＳポートによってＣＳＩ−ＲＳが占有するＲＥの位置によって相互区別できる。従って、ＣＲＳ／ＵＥ−ＲＳ／ＣＳＩ−ＲＳ／ＴＲＳポートという用語が、一定リソース領域内でＣＲＳ／ＵＥ−ＲＳ／ＣＳＩ−ＲＳ／ＴＲＳが占有するＲＥのパターンを意味する用語として用いられることもある。
【００３１】
ここで、ＮＲシステムを含む５Ｇ通信について説明する。
【００３２】
５Ｇの３つの主な要求事項領域は、(１)改善したモバイル広帯域(Ｅｎｈａｎｃｅｄ Ｍｏｂｉｌｅ Ｂｒｏａｄｂａｎｄ，ｅＭＢＢ)領域、(２)多量のマシンタイプ通信(ｍａｓｓｉｖｅ Ｍａｃｈｉｎｅ Ｔｙｐｅ Ｃｏｍｍｕｎｉｃａｔｉｏｎ，ｍＭＴＣ)領域及び(３)超−信頼及び低遅延通信(Ｕｌｔｒａ−ｒｅｌｉａｂｌｅ ａｎｄ Ｌｏｗ Ｌａｔｅｎｃｙ Ｃｏｍｍｕｎｉｃａｔｉｏｎｓ，ＵＲＬＬＣ)領域を含む。
【００３３】
一部の使用例(Ｕｓｅ Ｃａｓｅ)においては、最適化のために多数の領域が求められることがあり、他の使用例においては、ただ１つの核心性能指標(Ｋｅｙ Ｐｅｒｆｏｒｍａｎｃｅ Ｉｎｄｉｃａｔｏｒ，ＫＰＩ)にのみフォーカスされることがある。５Ｇは、かかる様々な使用例を柔軟且つ信頼できる方法で支援するものである。
【００３４】
ｅＭＢＢは、基本的なモバイルインターネットアクセスを遥かに超え、豊かな２方向作業、クラウド又は増強現実においてメディア及びエンターテインメントアプリケーションをカバーする。データは、５Ｇの核心動力の１つであり、５Ｇ時代で初めて専用の音声サービスが見られないかもしれない。５Ｇにおいて、音声は、単純に通信システムによって提供されるデータ接続を用いて応用プログラムとして処理されることが期待できる。増加したトラフィック量(ｖｏｌｕｍｅ)の主な原因は、コンテンツサイズの増加及び高いデータ送信率を求めるアプリケーション数の増加である。ストリーミングサービス(オーディオ及びビデオ)、会話型ビデオ及びモバイルインターネット接続はより多い装置がインターネットに接続するほどより広く用いられるであろう。このような多くの応用プログラムは、ユーザにリアルタイム情報及び通知をプッシュするために、常にオンになっている接続性が必要である。クダウドストーリッジ及びアプリケーションは、モバイル通信プラットフォームにおいて急激に増加しつつあり、これは、業務及びエンターテインメントの両方にも適用可能である。また、クラウドストーリッジは、上りリンクデータ送信率の成長を牽引する格別な使用例である。５Ｇはまた、クラウドの遠隔業務にも用いられ、触角インターフェースが用いられるときに優れたユーザ経験が維持できるように、もっと低いエンド−ツ−エンド(ｅｎｄ−ｔｏ−ｅｎｄ)遅延を求める。エンターテインメント、例えば、クラウドゲーム及びビデオストリーミングは、モバイル広帯域能力への要求を増加させるまた他の核心要素である。エンターテインメントは、列車、車及び飛行機のような移動性の高い環境を含むどこでも、スマートホン及びタブレットにおいて必須である。また別の使用例は、エンターテインメントのための増強現実及び情報検索である。ここで、増強現実は、非常に低い遅延と瞬間的なデータ量を必要とする。
【００３５】
また、最も多く予想される５Ｇの使用例の１つは、全ての分野において埋め込みセンサーを円滑に接続できる機能、即ち、ｍＭＴＣに関するものである。２０２０年まで潜在的なＩｏＴ装置は２０４億個に至るものと予測される。産業ＩｏＴは、５Ｇがスマートシティ、資産追跡(ａｓｓｅｔ  ｔｒａｃｋｉｎｇ)、スマートユーティリティー、農業及びセキュリティーインフラを可能にする主要役割を行う領域の一つである。
【００３６】
ＵＲＬＬＣは、主要インフラの遠隔制御及び自律走行車両(ｓｅｌｆ−ｄｒｉｖｉｎｇ  ｖｅｈｉｃｌｅ)のような超高信頼／利用可能な遅延の少ないリンクを介して産業を変化させる新たなサービスを含む。信頼性と遅延のレベルは、スマートグリッド制御、産業自動化、ロボット工学、ドローン制御及び調整に必須的である。
【００３７】
次に、ＮＲシステムを含む５Ｇ通信システムにおける多数の使用例について、より具体的に説明する。
【００３８】
５Ｇは、秒当たり数百メガビットから秒当たりギガビットと評価されるストリームを提供する手段であって、ＦＴＴＨ(ｆｉｂｅｒ−ｔｏ−ｔｈｅ−ｈｏｍｅ)及びケーブルベース広帯域(又はＤＯＣＳＩＳ)を補完することができる。このような早い速度は、仮想現実と増強現実だけでなく、４Ｋ以上(６Ｋ、８Ｋ及びそれ以上)の解像度でＴＶを伝達するのに要求される。ＶＲ(Ｖｉｒｔｕａｌ Ｒｅａｌｉｔｙ)及びＡＲ(Ａｕｇｍｅｎｔｅｄ Ｒｅａｌｉｔｙ)のアプリケーションは、ほとんど没入型(ｉｍｍｅｒｓｉｖｅ)スポーツ競技を含む。特定の応用プログラムは、特別なネットワーク設定が要求され得る。例えば、ＶＲゲームの場合、ゲーム会社が遅延を最小化するために、コアサーバーをネットワークオペレータのエッジネットワークサーバーと統合しなければならない。
【００３９】
自動車(Ａｕｔｏｍｏｔｉｖｅ)は、車両に対する移動通信のための多くの使用例と共に、５Ｇにおいて重要な新しい動力になることが予想される。例えば、乗客のためのエンターテインメントは、同時の高い容量と高い移動性モバイル広帯域を要求する。その理由は、将来のユーザーは、その位置及び速度と関係なく、高品質の接続を続けて期待するためである。自動車分野の他の活用例は、増強現実のダッシュボードである。これは、運転者が前面の窓を通じて見ているものの上に、暗やみで物体を識別し、物体の距離と動きに対して運転者に言ってくれる情報を重ねてディスプレーする。将来、無線モジュールは、車両間の通信、車両と支援するインフラ構造の間で情報交換及び自動車と他の連結されたデバイス(例えば、歩行者によって伴われるデバイス)間で情報交換を可能にする。安全システムは、運転者がより安全な運転ができるように行動の代替コースを案内し、事故の危険を減らせる。次の段階は、遠隔操縦されたり、自己運転車両(ｓｅｌｆ−ｄｒｉｖｅｎ ｖｅｈｉｃｌｅ)になる。これは、互いに異なる自己運転車両間及び自動車とインフラ間で非常に信頼性があり、非常に早い通信であることを要求する。将来には、自己運転車両が全ての運転活動を行い、運転者は車両そのものが識別できない交通異常にのみ集中できるようにする。自己運転車両の技術的要求事項は、トラフィックの安全が人の達成できない程度まで増加するように超低遅延と超高速信頼性を要求する。
【００４０】
スマート社会(ｓｍａｒｔ ｓｏｃｉｅｔｙ)として言及されるスマートシティとスマートホームは、高密度の無線センサーネットワークにエンベデッドされる。知能型センサーの分散ネットワークは、シティ又は家庭の費用及びエネルギー−効率的な維持に対する条件を識別する。類似する設定が各家庭のために行われることができる。温度センサー、窓及び暖房コントローラ、盗難警報機及び家電製品がいずれも無線で接続される。このようなセンサーの多くのものが典型的に低いデータ送信速度、低電力及び低コストである。しかし、例えば、リアルタイムＨＤビデオは、監視のために特定タイプの装置で要求されることがある。
【００４１】
熱又はガスを含むエネルギーの消費及び分配は、高度に分散化しており、分散センサーネットワークの自動化された制御が要求される。スマートグリッドは、情報を収集して、これによって行動するようにデジタル情報及び通信技術を使用し、このようなセンサーを相互接続する。この情報は、供給メーカーと消費者の行動を含むことができるため、スマートグリッドが効率性、信頼性、経済性、生産の持続可能性、及び自動化された方式で電気のような燃料の分配を改善させることができる。スマートグリッドは、遅延の少ない他のセンサーネットワークと見ることもできる。
【００４２】
健康部門は、移動通信の恵みを受けることのできる多くの応用プログラムを保有している。通信システムは、遠く離れたところで臨床診療を提供する遠隔診療を支援することができる。これは、距離という障壁を減らすのに役立ち、距離が遠い田舎で持続的に利用できない医療サービスへの接近を改善させることができる。これはまた、重要な診療及び応急状況で命を救うために用いられる。移動通信ベースの無線センサーネットワークは、心拍数及び血圧のようなパラメータに対する遠隔モニタリング及びセンサーを提供することができる。
【００４３】
無線及びモバイル通信は、産業応用分野でますます重要になっている。配線は設置及び維持費用が高い。従って、ケーブルを再構成することが可能な無線リンクへの交換可能性は、多くの産業分野で魅力的な機会である。しかし、これを達成するには、無線接続がケーブルと類似した遅延、信頼性及び容量で動作することと、その管理を単純化することが要求される。低い遅延と非常に低いエラー確率は、５Ｇに繋がる必要のある新たな要求事項である。
【００４４】
物流(ｌｏｇｉｓｔｉｃｓ)及び貨物追跡(ｆｒｅｉｇｈｔ ｔｒａｃｋｉｎｇ)は、位置に基づく情報システムを使用し、どこでもインベントリ(ｉｎｖｅｎｔｏｒｙ)及びパッケージの追跡を可能にする移動通信に対する重要な使用例である。物流及び貨物追跡の使用例は、典型的に低いデータ速度を要求するが、広い範囲と信頼性のある位置情報が必要である。
【００４５】
図１は、３ＧＰＰ無線接続網の規格に基づく端末とＥ−ＵＴＲＡＮの間の無線インターフェースプロトコルの制御プレーン(Ｃｏｎｔｒｏｌ Ｐｌａｎｅ)及びユーザプレーン(Ｕｓｅｒ Ｐｌａｎｅ)の構造を示す図である。制御プレーンは端末(Ｕｓｅｒ Ｅｑｕｉｐｍｅｎｔ；ＵＥ)とネットワークがコールを管理するために用いる制御メッセージが送信される通路を意味する。ユーザプレーンはアプリケーション層で生成されたデータ、例えば、音声データ又はインターネットパケットデータなどが送信される通路を意味する。
【００４６】
第１の層である物理層は、物理チャンネル(Ｐｈｙｓｉｃａｌ Ｃｈａｎｎｅｌ)を用いて上位層に情報送信サービス(Ｉｎｆｏｒｍａｔｉｏｎ Ｔｒａｎｓｆｅｒ Ｓｅｒｖｉｃｅ)を提供する。物理層は上位にある媒体接続制御(Ｍｅｄｉｕｍ Ａｃｃｅｓｓ Ｃｏｎｔｒｏｌ)層とは送信チャンネル(Ｔｒａｎｓｐｏｒｔ Ｃｈａｎｎｅｌ)を介して連結される。この送信チャンネルを介して媒体接続制御層と物理層の間でデータが移動する。送信側と受信側の物理層の間では物理チャンネルを介してデータが移動する。物理チャンネルは時間と周波数を無線リソースとして活用する。具体的には、物理チャンネルは、下りリンクにおいて、ＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクにおいては、ＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００４７】
第２の層である媒体接続制御(Ｍｅｄｉｕｍ Ａｃｃｅｓｓ Ｃｏｎｔｒｏｌ；ＭＡＣ)層は、論理チャンネル(Ｌｏｇｉｃａｌ Ｃｈａｎｎｅｌ)を介して上位層である無線リンク制御(Ｒａｄｉｏ Ｌｉｎｋ Ｃｏｎｔｒｏｌ；ＲＬＣ)層にサービスを提供する。第２の層のＲＬＣ層は信頼性のあるデータ送信を支援する。ＲＬＣ層の機能はＭＡＣ内部の機能ブロックにより具現できる。第２の層のＰＤＣＰ層は帯域幅が狭い無線インターフェースにおいてＩＰｖ４或いはＩＰｖ６のようなＩＰパケットを効率的に送信するために不要な制御情報を減らすヘッダ圧縮(Ｈｅａｄｅｒ Ｃｏｍｐｒｅｓｓｉｏｎ)の機能を果たす。
【００４８】
第３の層である最下部に位置する無線リソース制御(Ｒａｄｉｏ Ｒｅｓｏｕｒｃｅ Ｃｏｎｔｒｏｌ；ＲＲＣ)層は、制御プレーンでのみ定義される。ＲＲＣ層は無線ベアラ(Ｒａｄｉｏ Ｂｅａｒｅｒ)の設定(ｃｏｎｆｉｇｕｒａｔｉｏｎ)、再設定(ｒｅ−ｃｏｎｆｉｇｕｒａｔｉｏｎ)及び解除(ｒｅｌｅａｓｅ)に関連して論理チャンネル、送信チャンネル及び物理チャンネルの制御を担当する。無線ベアラは端末とネットワークの間のデータ伝達のために第２の層により提供されるサービスを意味する。このために、端末とネットワークのＲＲＣ層は互いにＲＲＣメッセージを交換する。端末とネットワークのＲＲＣ層の間にＲＲＣ連結(ＲＲＣ Ｃｏｎｎｅｃｔｅｄ)がある場合、端末はＲＲＣ連結状態(Ｃｏｎｎｅｃｔｅｄ Ｍｏｄｅ)であり、そうではない場合はＲＲＣ休止状態(Ｉｄｌｅ Ｍｏｄｅ)である。ＲＲＣ層の上位にあるＮＡＳ(Ｎｏｎ−Ａｃｃｅｓｓ Ｓｔｒａｔｕｍ)層は、セッション管理(Ｓｅｓｓｉｏｎ Ｍａｎａｇｅｍｅｎｔ)と移動性管理(Ｍｏｂｉｌｉｔｙ Ｍａｎａｇｅｍｅｎｔ)などの機能を果たす。
【００４９】
ネットワークから端末にデータを送信する下り送信チャンネルとしては、システム情報を送信するＢＣＨ(Ｂｒｏａｄｃａｓｔ Ｃｈａｎｎｅｌ)、ページングメッセージを送信するＰＣＨ(Ｐａｇｉｎｇ Ｃｈａｎｎｅｌ)、ユーザトラフィックや制御メッセージを送信する下りＳＣＨ(Ｓｈａｒｅｄ Ｃｈａｎｎｅｌ)などがある。下りマルチキャスト又は放送サービスのトラフィック又は制御メッセージの場合、下りＳＣＨを介して送信され、又は別の下りＭＣＨ(Ｍｕｌｔｉｃａｓｔ Ｃｈａｎｎｅｌ)を介して送信されることができる。なお、端末からネットワークにデータを送信する上り送信チャンネルとしては、初期制御メッセージを送信するＲＡＣＨ(Ｒａｎｄｏｍ Ａｃｃｅｓｓ Ｃｈａｎｎｅｌ)、ユーザトラフィックや制御メッセージを送信する上りＳＣＨ(Ｓｈａｒｅｄ Ｃｈａｎｎｅｌ)がある。送信チャンネルの上位にありかつ送信チャンネルにマッピングされる論理チャンネル(Ｌｏｇｉｃａｌ Ｃｈａｎｎｅｌ)としては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、ＭＴＣＨ(Ｍｕｌｔｉｃａｓｔ Ｔｒａｆｆｉｃ Ｃｈａｎｎｅｌ)などがある。
【００５０】
図２は、３ＧＰＰシステムに用いられる物理チャンネル及びこれらを用いた一般的な信号送信方法を説明する図である。
【００５１】
端末は、電源がオンになったり新たにセルに進入したりする場合は、基地局と同期を合わせるなどの初期セル探索(Ｉｎｉｔｉａｌ ｃｅｌｌ ｓｅａｒｃｈ)作業を行う(Ｓ２０１)。このために、端末は基地局から主同期チャンネル(Ｐｒｉｍａｒｙ Ｓｙｎｃｈｒｏｎｉｚａｔｉｏｎ Ｃｈａｎｎｅｌ；Ｐ−ＳＣＨ)及び副同期チャンネル(Ｓｅｃｏｎｄａｒｙ Ｓｙｎｃｈｒｏｎｉｚａｔｉｏｎ Ｃｈａｎｎｅｌ；Ｓ−ＳＣＨ)を受信することによって基地局と同期を合わせ、セルＩＤなどの情報を得ることができる。その後、端末は基地局から物理放送チャンネル(Ｐｈｙｓｉｃａｌ Ｂｒｏａｄｃａｓｔ Ｃｈａｎｎｅｌ)を受信してセル内の放送情報を得ることができる。なお、端末は初期セル探索段階において下りリンク参照信号(Ｄｏｗｎｌｉｎｋ Ｒｅｆｅｒｅｎｃｅ Ｓｉｇｎａｌ；ＤＬ ＲＳ)を受信して下りリンクチャンネル状態を確認することができる。
【００５２】
初期セル探索を終了した端末は、物理下りリンク制御チャンネル(Ｐｈｙｓｉｃａｌ Ｄｏｗｎｌｉｎｋ Ｃｏｎｔｒｏｌ Ｃｈａｎｎｅｌ；ＰＤＣＣＨ)及び該ＰＤＣＣＨに載せられた情報によって物理下りリンク共有チャンネル(Ｐｈｙｓｉｃａｌ Ｄｏｗｎｌｉｎｋ Ｃｏｎｔｒｏｌ Ｃｈａｎｎｅｌ；ＰＤＳＣＨ)を受信することによって、より具体的なシステム情報を得ることができる(Ｓ２０２)。
【００５３】
一方、基地局に最初に接続したか或いは信号送信のための無線リソースがない場合は、端末は、基地局に対して任意接続過程(Ｒａｎｄｏｍ Ａｃｃｅｓｓ Ｐｒｏｃｅｄｕｒｅ；ＲＡＣＨ)を行うことができる(段階Ｓ２０３〜段階Ｓ２０６)。このために、端末は、物理任意接続チャンネル(Ｐｈｙｓｉｃａｌ Ｒａｎｄｏｍ Ａｃｃｅｓｓ Ｃｈａｎｎｅｌ；ＰＲＡＣＨ)を介して特定のシーケンスをプリアンブルとして送信し(Ｓ２０３及びＳ２０５)、ＰＤＣＣＨ及び対応するＰＤＳＣＨを介してプリアンブルに対する応答メッセージを受信することができる。競争基盤のＲＡＣＨの場合、さらに衝突解決手順(Ｃｏｎｔｅｎｔｉｏｎ Ｒｅｓｏｌｕｔｉｏｎ Ｐｒｏｃｅｄｕｒｅ)を行うことができる(Ｓ２０６)。
【００５４】
上述した手順を行った端末は、その後、一般の上り／下りリンク信号送信の手順として、ＰＤＣＣＨ／ＰＤＳＣＨ受信(Ｓ２０７)及び物理上りリンク共有チャンネル(Ｐｈｙｓｉｃａｌ Ｕｐｌｉｎｋ Ｓｈａｒｅｄ Ｃｈａｎｎｅｌ；ＰＵＳＣＨ)／物理上りリンク制御チャンネル(Ｐｈｙｓｉｃａｌ Ｕｐｌｉｎｋ Ｃｏｎｔｒｏｌ Ｃｈａｎｎｅｌ；ＰＵＣＣＨ)の送信(Ｓ２０８)を行うことができる。特に、端末は、ＰＤＣＣＨを介して下りリンク制御情報(Ｄｏｗｎｌｉｎｋ Ｃｏｎｔｒｏｌ Ｉｎｆｏｒｍａｔｉｏｎ；ＤＣＩ)を受信する。ここで、ＤＣＩは、端末に対するリソース割り当て情報などの制御情報を含み、その使用目的に応じてフォーマットが互いに異なる。
【００５５】
一方、端末が上りリンクを通じて基地局に送信したり、端末が基地局から受信したりする制御情報は、下りリンク／上りリンクＡＣＫ／ＮＡＣＫ信号、ＣＱＩ(Ｃｈａｎｎｅｌ Ｑｕａｌｉｔｙ Ｉｎｄｉｃａｔｏｒ)、ＰＭＩ(Ｐｒｅｃｏｄｉｎｇ Ｍａｔｒｉｘ Ｉｎｄｅｘ)、ＲＩ(Ｒａｎｋ Ｉｎｄｉｃａｔｏｒ)などを含む。３ＧＰＰ ＬＴＥシステムの場合、端末は上述したＣＱＩ／ＰＭＩ／ＲＩなどの制御情報をＰＵＳＣＨ及び／又はＰＵＣＣＨを介して送信することができる。
【００５６】
一方、ＮＲシステムは、広い周波数帯域を用いて、多数のユーザに高い送信率を維持しながらデータを送信するために、高い超高周波帯域、即ち、６ＧＨｚ以上のミリメータ周波数帯域を用いて方案を考慮している。３ＧＰＰでは、これをＮＲと称し、以下、本発明ではＮＲシステムと称する。
【００５７】
ＮＲシステムはＯＦＤＭ送信方式又はそれと類似する送信方式を使用する。ＮＲシステムはＬＴＥのＯＦＤＭパラメータとは異なるＯＦＤＭパラメータを従う。又はＮＲシステムは既存のＬＴＥ／ＬＴＥ−Ａのニューマロロジーを従うが、より大きいシステム帯域幅(例えば、１００ＭＨｚ)を有することができる。又は１つのセルが複数のニューマロロジーを支援することもできる。即ち、互いに異なるニューマロロジーで動作するＵＥが１つのセル内に共存することができる。
【００５８】
図３はＮＲで使用される無線フレームの構造を例示している。
【００５９】
ＮＲにおいて、上りリンク及び下りリンク送信はフレームで構成される。無線フレームは１０ｍｓの長さを有し、２つの５ｍｓハーフフレーム(Ｈａｌｆ−Ｆｒａｍｅ、ＨＦ)と定義される。ハーフフレームは５つの１ｍｓサブフレーム(Ｓｕｂｆｒａｍｅ、ＳＦ)と定義される。サブフレームは１つ以上のスロットに分割され、サブフレーム内のスロット数はＳＣＳ(Ｓｕｂｃａｒｒｉｅｒ Ｓｐａｃｉｎｇ)に依存する。各スロットはＣＰ(ｃｙｃｌｉｃ ｐｒｅｆｉｘ)によって１２つ又は１４つのＯＦＤＭ(Ａ)シンボルを含む。一般ＣＰが使用される場合、各スロットは１４つのシンボルを含む。拡張ＣＰが使用される場合は、各スロットは１２つのシンボルを含む。ここで、シンボルはＯＦＤＭシンボル(或いは、ＣＰ−ＯＦＤＭシンボル)、ＳＣ−ＦＤＭＡシンボル(或いは、ＤＦＴ−ｓ−ＯＦＤＭシンボル)を含むことができる。
【００６０】
表１は一般ＣＰが使用される場合、ＳＣＳによってスロットごとのシンボル数、フレームごとのスロット数とサブフレームごとのスロット数が変化することを例示している。
【００６１】
【表１】
2021516913.tif 000003
【００６２】
＊Ｎslotsymb:スロット内のシンボル数
【００６３】
＊Ｎframe,uslot:フレーム内のスロット数
【００６４】
＊Ｎsubframe,uslot:サブフレーム内のスロット数
【００６５】
表２は拡張ＣＰが使用される場合、ＳＣＳによってスロットごとのシンボル数、フレームごとのスロット数とサブフレームごとのスロット数が変化することを例示している。
【００６６】
【表２】
2021516913.tif 000004
【００６７】
ＮＲシステムでは１つの端末に併合される複数のセル間でＯＦＤＭ(Ａ)ニューマロロジー(ｎｕｍｅｒｏｌｏｇｙ)(例えば、ＳＣＳ、ＣＰ長さなど)が異なるように設定されることができる。これにより、同じ数のシンボルで構成された時間リソース(例えば、ＳＦ、スロット又はＴＴＩ)(便宜上、ＴＵ(Ｔｉｍｅ Ｕｎｉｔ)と通称)の(絶対時間)区間が併合されたセル間で異なるように設定されることができる。
【００６８】
図４はＮＲフレームのスロット構造を例示している。スロットは時間ドメインで複数のシンボルを含む。例えば、一般ＣＰの場合、１つのスロットが１４つのシンボルを含むが、拡張ＣＰの場合は、１つのスロットが１２つのシンボルを含む。搬送波は周波数ドメインで複数の副搬送波を含む。ＲＢ(Ｒｅｓｏｕｒｃｅ Ｂｌｏｃｋ)は周波数ドメインで複数(例えば、１２)の連続する副搬送波と定義される。ＢＷＰは周波数ドメインで複数の連続する(Ｐ)ＲＢと定義され、１つのニューマロロジー(ｎｕｍｅｒｏｌｏｇｙ)(例えば、ＳＣＳ、ＣＰ長さなど)に対応することができる。搬送波は最大Ｎ個(例えば、４つ)のＢＷＰを含む。データ通信は活性化されたＢＷＰで行われ、１つの端末には１つのＢＷＰのみが活性化される。リソースグリッドにおいて各々の要素はリソース要素(Ｒｅｓｏｕｒｃｅ Ｅｌｅｍｅｎｔ、ＲＥ)と称され、１つの複素シンボルがマッピングされることができる。
【００６９】
図５は自己完結(Ｓｅｌｆ−ｃｏｎｔａｉｎｅｄ)スロットの構造を例示している。ＮＲシステムにおいて、フレームは１つのスロット内にＤＬ制御チャネル、ＤＬ又はＵＬデータ、ＵＬ制御チャネルなどを全て含むことができる自己完結構造を特徴とする。例えば、スロット内の最初のＮ個のシンボルは、ＤＬ制御チャネルを送信する時に使用され(以下、ＤＬ制御領域)、スロット内の最後のＭ個のシンボルはＵＬ制御チャネルを送信する時に使用される(以下、ＵＬ制御領域)。ＮとＭは各々０以上の整数である。ＤＬ制御領域とＵＬ制御領域の間におけるリソース領域(以下、データ領域)は、ＤＬデータ送信のために使用されるか、又はＵＬデータ送信のために使用される。一例として、以下の構成を考慮できる。各区間は時間順である。
【００７０】
１．ＤＬのみの構成
【００７１】
２．ＵＬのみの構成
【００７２】
３．混合ＵＬ−ＤＬの構成
【００７３】
−ＤＬ領域＋ＧＰ＋ＵＬ制御領域
【００７４】
−ＤＬ制御領域＋ＧＰ＋ＵＬ領域
【００７５】
＊ＤＬ領域:(i)ＤＬデータ領域、(ii)ＤＬ制御領域＋ＤＬデータ領域
【００７６】
＊ＵＬ領域:(i)ＵＬデータ領域、(ii)ＵＬデータ領域＋ＵＬ制御領域
【００７７】
ＤＬ制御領域ではＰＤＣＣＨが送信され、ＤＬデータ領域ではＰＤＳＣＨが送信されることができる。ＵＬ制御領域ではＰＵＣＣＨが送信され、ＵＬデータ領域ではＰＵＳＣＨが送信されることができる。ＰＤＣＣＨではＤＣＩ(Ｄｏｗｎｌｉｎｋ Ｃｏｎｔｒｏｌ Ｉｎｆｏｒｍａｔｉｏｎ)、例えば、ＤＬデータスケジューリング情報、ＵＬデータスケジューリング情報などが送信される。ＰＵＣＣＨではＵＣＩ(Ｕｐｌｉｎｋ Ｃｏｎｔｒｏｌ Ｉｎｆｏｒｍａｔｉｏｎ)、例えば、ＤＬデータに対するＡＣＫ／ＮＡＣＫ(Ｐｏｓｉｔｉｖｅ Ａｃｋｎｏｗｌｅｄｇｅｍｅｎｔ／Ｎｅｇａｔｉｖｅ Ａｃｋｎｏｗｌｅｄｇｅｍｅｎｔ)情報、ＣＳＩ(Ｃｈａｎｎｅｌ Ｓｔａｔｅ Ｉｎｆｏｒｍａｔｉｏｎ)情報、ＳＲ(Ｓｃｈｅｄｕｌｉｎｇ Ｒｅｑｕｅｓｔ)などが送信される。ＧＰは基地局と端末が送信モードから受信モードに転換する過程又は受信モードから送信モードに転換する過程で時間ギャップを提供する。サブフレーム内でＤＬからＵＬに転換する時点の一部のシンボルがＧＰとして設定されることができる。
【００７８】
図６はＳＳＢ構造を例示する。端末はＳＳＢに基づいてセル探索(ｓｅａｒｃｈ)、システム情報取得、初期接続のためのビーム整列、ＤＬ測定などを行うことができる。ＳＳＢはＳＳ／ＰＢＣＨ(Ｓｙｎｃｈｒｏｎｉｚａｔｉｏｎ Ｓｉｇｎａｌ／Ｐｈｙｓｉｃａｌ Ｂｒｏａｄｃａｓｔ ｃｈａｎｎｅｌ)ブロックと混用できる。
【００７９】
図６を参照すると、ＳＳＢはＰＳＳ、ＳＳＳ及びＰＢＣＨからなる。ＳＳＢは４個の連続したＯＦＤＭシンボルに構成され、ＯＦＤＭシンボルごとに、ＰＳＳ、ＰＢＣＨ、ＳＳＳ／ＰＢＣＨ及びＰＢＣＨが送信される。ＰＳＳ及びＳＳＳはそれぞれ、１個のＯＦＤＭシンボルと１２７個の副搬送波からなり、ＰＢＣＨは、３個のＯＦＤＭシンボルと５７６個の副搬送波からなる。ＰＢＣＨにはポーラーコーディング及びＱＰＳＫ(Ｑｕａｄｒａｔｕｒｅ Ｐｈａｓｅ Ｓｈｉｆｔ Ｋｅｙｉｎｇ)が適用される。ＰＢＣＨは、ＯＦＤＭシンボルごとに、データＲＥとＤＭＲＳ(Ｄｅｍｏｄｕｌａｔｉｏｎ Ｒｅｆｅｒｅｎｃｅ Ｓｉｇｎａｌ)ＲＥからなる。ＲＢごとに３個のＤＭＲＳ ＲＥが存在し、ＤＭＲＳ ＲＥ間には３個のデータＲＥが存在する。
【００８０】
セル探索は端末がセルの時間／周波数同期を取得し、このセルのセルＩＤ(Ｉｄｅｎｔｉｆｉｅｒ)(例えば、Ｐｈｙｓｉｃａｌ ｌａｙｅｒ Ｃｅｌｌ ＩＤ，ＰＣＩＤ)を検出する過程を意味する。ＰＳＳはセルＩＤグループ内においてセルＩＤを検出するのに用いられ、ＳＳＳは、セルＩＤグループを検出するのに用いられる。ＰＢＣＨは、ＳＳＢ(時間)インデックス検出及びハーフ−フレームの検出に用いられる。
【００８１】
端末のセル探索過程は、下記の表３のようにまとめられる。
【００８２】
【表３】
2021516913.tif 000005
【００８３】
３３６個のセルＩＤグループが存在し、セルＩＤグループごとに３個のセルＩＤが存在する。全１００８個のセルＩＤが存在する。セルのセルＩＤが属するセルＩＤグループに関する情報は、セルのＳＳＳを介して提供／取得され、セルＩＤ内の３３６個のセルのうちのセルＩＤに関する情報はＰＳＳを介して提供／取得される。
【００８４】
図７はＳＳＢ送信を例示する。図７を参照すると、ＳＳＢはＳＳＢ周期(ｐｅｒｉｏｄｉｃｉｔｙ)に合わせて周期的に送信される。初期セル探索時に端末が仮定するＳＳＢ基本周期は、２０ｍｓと定義される。セル接続の後、ＳＳＢ周期は、ネットワーク(例えば、基地局)によって{５ｍｓ，１０ｍｓ，２０ｍｓ，４０ｍｓ，８０ｍｓ，１６０ｍｓ}のいずれか１つに設定される。ＳＳＢ周期の開始部にＳＳＢバースト(ｂｕｒｓｔ)セットが構成される。ＳＳＢバーストセットは、５ｍｓ時間ウィンドー(即ち、ハーフ−フレーム)で構成され、ＳＳＢは、ＳＳバーストセット内において最大Ｌ回送信できる。ＳＳＢの最大送信回数Ｌは、搬送波の周波数帯域に応じて、以下のように与えられる。１個のスロットは、最大２個のＳＳＢを含む。
【００８５】
−Ｆｏｒ ｆｒｅｑｕｅｎｃｙ ｒａｎｇｅ ｕｐ ｔｏ ３ＧＨｚ，Ｌ＝４
【００８６】
−Ｆｏｒ ｆｒｅｑｕｅｎｃｙ ｒａｎｇｅ ｆｒｏｍ ３ＧＨｚ ｔｏ ６ＧＨｚ，Ｌ＝８
【００８７】
−Ｆｏｒ ｆｒｅｑｕｅｎｃｙ ｒａｎｇｅ ｆｒｏｍ ６ＧＨｚ ｔｏ ５２．６ＧＨｚ，Ｌ＝６４
【００８８】
ＳＳバーストセット内においてＳＳＢ候補の時間位置は、ＳＣＳに応じて、以下のように定義される。ＳＳＢ候補の時間位置は、ＳＳＢバーストセット(即ち、ハーフ−フレーム)内において、時間順に従って０〜Ｌ−１とインデックスされる(ＳＳＢインデックス)。
【００８９】
−Ｃａｓｅ Ａ−１５ｋＨｚ ＳＣＳ：候補ＳＳＢの開始シンボルのインデックスは、{２，８}＋１４＊ｎで与えられる。搬送波周波数が３ＧＨｚ以下の場合、ｎ＝０，１である。搬送波周波数が３ＧＨｚ〜６ＧＨｚである場合、ｎ＝０，１，２，３である。
【００９０】
−Ｃａｓｅ Ｂ−３０ｋＨｚ ＳＣＳ：候補ＳＳＢの開始シンボルのインデックスは、{４，８，１６，２０}＋２８＊ｎで与えられる。搬送波周波数が３ＧＨｚ以下の場合、ｎ＝０である。搬送波周波数が３ＧＨｚ〜６ＧＨｚである場合、ｎ＝０，１である。
【００９１】
−Ｃａｓｅ Ｃ−３０ｋＨｚ ＳＣＳ：候補ＳＳＢの開始シンボルのインデックスは、{２，８}＋１４＊ｎで与えられる。搬送波周波数が３ＧＨｚ以下の場合、ｎ＝０，１である。搬送波周波数が３ＧＨｚ〜６ＧＨｚである場合、ｎ＝０，１，２，３である。
【００９２】
−Ｃａｓｅ Ｄ−１２０ｋＨｚ ＳＣＳ：候補ＳＳＢの開始シンボルのインデックスは、{４，８，１６，２０}＋２８＊ｎで与えられる。搬送波周波数が６ＧＨｚより大きい場合、ｎ＝０，１，２，３，５，６，７，８，１０，１１，１２，１３，１５，１６，１７，１８である。
【００９３】
−Ｃａｓｅ Ｅ−２４０ｋＨｚ ＳＣＳ：候補ＳＳＢの開始シンボルのインデックスは、{８，１２，１６，２０，３２，３６，４０，４４}＋５６＊ｎで与えられる。搬送波周波数が６ＧＨｚより大きい場合、ｎ＝０，１，２，３，５，６，７，８である。
【００９４】
ＣＳＩ関連動作
【００９５】
ＮＲ(Ｎｅｗ Ｒａｄｉｏ)システムにおいて、ＣＳＩ−ＲＳ(ｃｈａｎｎｅｌ ｓｔａｔｅ ｉｎｆｏｒｍａｔｉｏｎ−ｒｅｆｅｒｅｎｃｅ ｓｉｇｎａｌ)は、時間及び／又は周波数追跡(ｔｉｍｅ／ｆｒｅｑｕｅｎｃｙ ｔｒａｃｋｉｎｇ)、ＣＳＩ計算(ｃｏｍｐｕｔａｔｉｏｎ)、ＲＳＲＰ(ｒｅｆｅｒｅｎｃｅ ｓｉｇｎａｌ ｒｅｃｅｉｖｅｄ ｐｏｗｅｒ)計算(ｃｏｍｐｕｔａｔｉｏｎ)及び移動性(ｍｏｂｉｌｉｔｙ)のために使用される。ここで、ＣＳＩ計算はＣＳＩ獲得(ａｃｑｕｉｓｉｔｉｏｎ)に関連し、ＲＳＲＰ計算はビーム管理(ｂｅａｍ ｍａｎａｇｅｍｅｎｔ、ＢＭ)に関連する。
【００９６】
図８はＣＳＩ関連過程の一例を示すフローチャートである。
【００９７】
−上記のようなＣＳＩ−ＲＳ用途の１つを行うために、ＵＥはＣＳＩに関連する設定情報をＲＲＣシグナリングによりＢＳから受信する(Ｓ８０１)。
【００９８】
ＣＳＩに関連する設定情報は、ＣＳＩ−ＩＭ(ｉｎｔｅｒｆｅｒｅｎｃｅ ｍａｎａｇｅｍｅｎｔ)リソース関連情報、ＣＳＩ測定設定(ｍｅａｓｕｒｅｍｅｎｔ ｃｏｎｆｉｇｕｒａｔｉｏｎ) 関連情報、ＣＳＩリソース設定(Ｒｅｓｏｕｒｃｅ ｃｏｎｆｉｇｕｒａｔｉｏｎ)関連情報、ＣＳＩ−ＲＳリソース関連情報又はＣＳＩ報告設定(ｒｅｐｏｒｔ ｃｏｎｆｉｇｕｒａｔｉｏｎ)関連情報のうちのいずれか１つを含む。
【００９９】
ｉ)ＣＳＩ−ＩＭリソース関連情報は、ＣＳＩ−ＩＭリソース情報(Ｒｅｓｏｕｒｃｅ ｉｎｆｏｒｍａｔｉｏｎ)、ＣＳＩ−ＩＭリソースセット情報(Ｒｅｓｏｕｒｃｅ ｓｅｔ ｉｎｆｏｒｍａｔｉｏｎ)などを含む。ＣＳＩ−ＩＭリソースセットはＣＳＩ−ＩＭリソースセットＩＤにより識別され、１つのリソースセットは少なくとも１つのＣＳＩ−ＩＭリソースを含む。各々のＣＳＩ−ＩＭリソースはＣＳＩ−ＩＭリソースにより識別される。
【０１００】
ii)ＣＳＩリソース設定関連情報は、ＣＳＩ−ＲｅｓｏｕｒｃｅＣｏｎｆｉｇ ＩＥで示される。ＣＳＩリソース設定関連情報はＮＺＰ(ｎｏｎ ｚｅｒｏ ｐｏｗｅｒ)ＣＳＩ−ＲＳリソースセット、ＣＳＩ−ＩＭリソースセット又はＣＳＩ−ＳＳＢリソースセットのうちのいずれか１つを含むグループを定義する。即ち、ＣＳＩリソース設定関連情報はＣＳＩ−ＲＳリソースセットリストを含み、ＣＳＩ−ＲＳリソースセットリストはＮＺＰ ＣＳＩ−ＲＳリソースセットリスト、ＣＳＩ−ＩＭリソースセットリスト又はＣＳＩ−ＳＳＢリソースセットリストのうちのいずれか１つを含む。ＣＳＩ−ＲＳリソースセットはＣＳＩ−ＲＳリソースセットＩＤにより識別され、１つのリソースセットは少なくとも１つのＣＳＩ−ＲＳリソースを含む。各々のＣＳＩ−ＲＳリソースはＣＳＩ−ＲＳリソースＩＤにより識別される。
【０１０１】
ＮＺＰ ＣＳＩ−ＲＳリソースセットごとにＣＳＩ−ＲＳの用途を示すＲＲＣパラメータ(例えば、ＢＭ関連‘ｒｅｐｅｔｉｔｉｏｎ’パラメータ、トラッキング関連‘ｔｒｓ−Ｉｎｆｏ’パラメータ)が設定される。
【０１０２】
iii)ＣＳＩ報告設定(ｒｅｐｏｒｔ ｃｏｎｆｉｇｕｒａｔｉｏｎ)関連情報は、時間ドメイン行動(ｔｉｍｅ ｄｏｍａｉｎ ｂｅｈａｖｉｏｒ)を示す報告設定タイプ(ｒｅｐｏｒｔＣｏｎｆｉｇＴｙｐｅ)のパラメータ及び報告するためのＣＳＩ関連の量(ｑｕａｎｔｉｔｙ)を示す報告量(ｒｅｐｏｒｔＱｕａｎｔｉｔｙ)パラメータを含む。時間ドメイン行動(ｔｉｍｅ ｄｏｍａｉｎ ｂｅｈａｖｉｏｒ)は周期的、非周期的又は準−持続的(Ｓｅｍｉ−ｐｅｒｓｉｓｔｅｎｔ)である。
【０１０３】
−ＵＥはＣＳＩに関連する設定情報に基づいてＣＳＩを測定する(Ｓ８０３)。ＣＳＩ測定は、(１)ＵＥのＣＳＩ−ＲＳ受信過程(Ｓ８０５)と、(２)受信されたＣＳＩ−ＲＳによりＣＳＩを計算(ｃｏｍｐｕｔａｔｉｏｎ)する過程(Ｓ８０７)とを含む。ＣＳＩ−ＲＳはＲＲＣパラメータＣＳＩ−ＲＳ−ＲｅｓｏｕｒｃｅＭａｐｐｉｎｇにより時間及び周波数ドメインでＣＳＩ−ＲＳリソースのＲＥ(Ｒｅｓｏｕｒｃｅ Ｅｌｅｍｅｎｔ)マッピングが設定される。
【０１０４】
−ＵＥは測定されたＣＳＩをＢＳに報告する(Ｓ８０９)。
【０１０５】
１．ＣＳＩ測定
【０１０６】
ＮＲシステムはより柔らかく、動的なＣＳＩ測定及び報告を支援する。ここで、ＣＳＩ測定はＣＳＩ−ＲＳを受信し、受信されたＣＳＩ−ＲＳを測定してＣＳＩを得る過程を含む。
【０１０７】
ＣＳＩ測定及び報告の時間ドメイン行動として、ＣＭ(ｃｈａｎｎｅｌ ｍｅａｓｕｒｅｍｅｎｔ)及びＩＭ(ｉｎｔｅｒｆｅｒｅｎｃｅ ｍｅａｓｕｒｅｍｅｎｔ)が支援される。
【０１０８】
ＮＲのＣＳＩ−ＩＭ基盤のＩＭリソース(ＩＭＲ)は、ＬＴＥのＣＳＩ−ＩＭと類似するデザインを有し、ＰＤＳＣＨレートマッチングのためのゼロ電力(ｚｅｒｏ ｐｏｗｅｒ、ＺＰ)ＣＳＩ−ＲＳリソースとは独立して設定される。
【０１０９】
ＢＳは設定されたＮＺＰ ＣＳＩ−ＲＳ基盤のＩＭＲの各々のポート上でＮＺＰ ＣＳＩ−ＲＳをＵＥに送信する。
【０１１０】
チャネルに対して、どのようなＰＭＩ及びＲＩフィードバックがない場合、多数のリソースがセットで設定され、ＢＳ又はネットワークはチャネル測定及び／又は干渉測定に対してＮＺＰ ＣＳＩ−ＲＳリソースのサブセットＤＣＩにより指示する。
【０１１１】
リソースセッティング及びリソースセッティングの設定についてより具体的に説明する。
【０１１２】
１．１.リソースセッティング(Ｒｅｓｏｕｒｃｅ ｓｅｔｔｉｎｇ)
【０１１３】
各々のＣＳＩリソースセッティング‘ＣＳＩ−ＲｅｓｏｕｒｃｅＣｏｎｆｉｇ’は、(ＲＲＣパラメータＣＳＩ−ＲＳ−ＲｅｓｏｕｒｃｅＳｅｔＬｉｓｔにより与えられた)Ｓ≧１ ＣＳＩリソースセットに対する設定を含む。ＣＳＩリソースセッティングはＣＳＩ−ＲＳ−ｒｅｓｏｕｒｃｅｓｅｔｌｉｓｔに対応する。ここで、Ｓは設定されたＣＳＩ−ＲＳリソースセットの数を示す。ここで、Ｓ≧１ ＣＳＩリソースセットに対する設定は、(ＮＺＰ ＣＳＩ−ＲＳ又はＣＳＩ−ＩＭで構成された)ＣＳＩ−ＲＳリソースを含む各々のＣＳＩリソースセットとＲＳＲＰ計算に使用されるＳＳＢリソースを含む。
【０１１４】
各々のＣＳＩリソースセッティングはＲＲＣパラメータｂｗｐ−ｉｄにより識別されるＤＬ ＢＷＰ(ｂａｎｄｗｉｄｔｈ ｐａｒｔ)に位置する。またＣＳＩ報告セッティング(ＣＳＩ ｒｅｐｏｒｔｉｎｇ ｓｅｔｔｉｎｇ)にリンクされた全てのＣＳＩリソースセッティングは同一のＤＬ ＢＷＰを有する。
【０１１５】
ＣＳＩ−ＲｅｓｏｕｒｃｅＣｏｎｆｉｇ ＩＥに含まれるＣＳＩリソースセッティング内におけるＣＳＩ−ＲＳリソースの時間ドメイン行動は、ＲＲＣパラメータｒｅｓｏｕｒｃｅＴｙｐｅにより指示され、周期的、非周期的又は準−持続的である。
【０１１６】
チャネル測定(ｃｈａｎｎｅｌ ｍｅａｓｕｒｅｍｅｎｔ、ＣＭ)及び干渉測定(ｉｎｔｅｒｆｅｒｅｎｃｅ ｍｅａｓｕｒｅｍｅｎｔ、ＩＭ)のための１つ又はそれ以上のＣＳＩリソースセッティングは、ＲＲＣシグナリングにより設定される。ＣＭＲ(Ｃｈａｎｎｅｌ Ｍｅａｓｕｒｅｍｅｎｔ Ｒｅｓｏｕｒｃｅ)はＣＳＩ獲得のためのＮＺＰ ＣＳＩ−ＲＳであり、ＩＭＲ(Ｉｎｔｅｒｆｅｒｅｎｃｅ Ｍｅａｓｕｒｅｍｅｎｔ Ｒｅｓｏｕｒｃｅ)はＣＳＩ−ＩＭとＩＭのためのＮＺＰ ＣＳＩ−ＲＳである。ここで、ＣＳＩ−ＩＭ(又はＩＭのためのＺＰ ＣＳＩ−ＲＳ)は主にインタ−セル干渉測定について使用される。ＩＭのためのＮＺＰ ＣＳＩ−ＲＳは主に多重ユーザ(ｍｕｌｔｉ−ｕｓｅｒ)からのイントラ−セル干渉測定のために使用される。
【０１１７】
ＵＥはチャネル測定のためのＣＳＩ−ＲＳリソース及び１つのＣＳＩ報告のために設定された干渉測定のためのＣＳＩ−ＩＭ／ＮＺＰ ＣＳＩ−ＲＳリソースがリソースごとに'ＱＣＬ−ＴｙｐｅＤ'であると仮定できる。
【０１１８】
１.２.リソースセッティングの設定(Ｒｅｓｏｕｒｃｅ ｓｅｔｔｉｎｇ ｃｏｎｆｉｇｕｒａｔｉｏｎ)
【０１１９】
リソースセッティングはリソースセットリストを意味する。１つの報告セッティングは最大３つのリソースセッティングに連結される。
【０１２０】
−１つのリソースセッティングが設定されると、(ＲＲＣパラメータｒｅｓｏｕｒｃｅｓＦｏｒＣｈａｎｎｅｌＭｅａｓｕｒｅｍｅｎｔにより与えられる)リソースセッティングはＲＳＲＰ計算のためのチャネル測定に関する。
【０１２１】
−２つのリソースセッティングが設定されると、(ＲＲＣパラメータｒｅｓｏｕｒｃｅｓＦｏｒＣｈａｎｎｅｌＭｅａｓｕｒｅｍｅｎｔにより与えられる)１番目のリソースセッティングはチャネル測定のためのものであり、(ｃｓｉ−ＩＭ−ＲｅｓｏｕｒｃｅｓＦｏｒＩｎｔｅｒｆｅｒｅｎｃｅ又はｎｚｐ−ＣＳＩ−ＲＳ−ＲｅｓｏｕｒｃｅｓＦｏｒＩｎｔｅｒｆｅｒｅｎｃｅにより与えられる)２番目のリソースセッティングはＣＳＩ−ＩＭ又はＮＺＰ ＣＳＩ−ＲＳ上で行われる干渉測定のためのものである。
【０１２２】
−３つのリソースセッティングが設定されると、(ｒｅｓｏｕｒｃｅｓＦｏｒＣｈａｎｎｅｌＭｅａｓｕｒｅｍｅｎｔにより与えられる)１番目のリソースセッティングはチャネル測定のためのものであり、(ｃｓｉ−ＩＭ−ＲｅｓｏｕｒｃｅｓＦｏｒＩｎｔｅｒｆｅｒｅｎｃｅにより与えられる)２番目のリソースセッティングはＣＳＩ−ＩＭ基盤の干渉測定のためのものであり、(ｎｚｐ−ＣＳＩ−ＲＳ−ＲｅｓｏｕｒｃｅｓＦｏｒＩｎｔｅｒｆｅｒｅｎｃｅにより与えられる)３番目のリソースセッティングはＮＺＰ ＣＳＩ−ＲＳ基盤の干渉測定のためのものである。
【０１２３】
−(ｒｅｓｏｕｒｃｅｓＦｏｒＣｈａｎｎｅｌＭｅａｓｕｒｅｍｅｎｔにより与えられる)１つのリソースセッティングが設定されると、リソースセッティングはＲＳＲＰ計算のためのチャネル測定に関する。
【０１２４】
−２つのリソースセッティングが設定されると、(ｒｅｓｏｕｒｃｅｓＦｏｒＣｈａｎｎｅｌＭｅａｓｕｒｅｍｅｎｔにより与えられる)１番目のリソースセッティングはチャネル測定のためのものであり、(ＲＲＣパラメータｃｓｉ−ＩＭ−ＲｅｓｏｕｒｃｅｓＦｏｒＩｎｔｅｒｆｅｒｅｎｃｅにより与えられる)２番目のリソースセッティングはＣＳＩ−ＩＭ上で行われる干渉測定のために使用される。
【０１２５】
１．３．ＣＳＩ計算(ｃｏｍｐｕｔａｔｉｏｎ)
【０１２６】
干渉測定がＣＳＩ−ＩＭ上で行われると、チャネル測定のための各々のＣＳＩ−ＲＳリソースは対応するリソースセット内でＣＳＩ−ＲＳリソース及びＣＳＩ−ＩＭリソースの順によりＣＳＩ−ＩＭリソースとリソース別に連関される。チャネル測定のためのＣＳＩ−ＲＳリソースの数はＣＳＩ−ＩＭリソースの数と同一である。
【０１２７】
ＣＳＩ測定のために、ＵＥは以下の事項を仮定する。
【０１２８】
−干渉測定のために設定された各々のＮＺＰ ＣＳＩ−ＲＳポートは、干渉送信レイヤに該当する。
【０１２９】
−干渉測定のためのＮＺＰ ＣＳＩ−ＲＳポートの全ての干渉送信レイヤは、ＥＰＲＥ(ｅｎｅｒｇｙ ｐｅｒ Ｒｅｓｏｕｒｃｅ Ｅｌｅｍｅｎｔ)比率を考慮する。
【０１３０】
−チャネル測定のためのＮＺＰ ＣＳＩ−ＲＳリソース、干渉測定のためのＮＺＰ ＣＳＩ−ＲＳリソース又は干渉測定のためのＣＳＩ−ＩＭリソースのＲＥ上で異なる干渉信号を仮定する。
【０１３１】
２．ＣＳＩ報告
【０１３２】
ＣＳＩ報告のために、ＵＥが使用可能な時間及び周波数はＢＳにより制御される。
【０１３３】
ＣＱＩ、ＰＭＩ、ＣＲＩ、ＳＳＢＲＩ、ＬＩ、ＲＩ、ＲＳＲＰについて、ＵＥはＮ≧１ＣＳＩ−ＲｅｐｏｒｔＣｏｎｆｉｇ報告セッティング、Ｍ≧１ ＣＳＩ−ＲｅｓｏｕｒｃｅＣｏｎｆｉｇリソースセッティング及び１つ又は２つのトリガー状態のリスト(ａｐｅｒｉｏｄｉｃＴｒｉｇｇｅｒＳｔａｔｅＬｉｓｔ及びｓｅｍｉＰｅｒｓｉｓｔｅｎｔＯｎＰＵＳＣＨ−ＴｒｉｇｇｅｒＳｔａｔｅＬｉｓｔにより提供される)を含むＲＲＣシグナリングを受信する。ａｐｅｒｉｏｄｉｃＴｒｉｇｇｅｒＳｔａｔｅＬｉｓｔにおいて、各々のトリガー状態はチャネル及び選択的に干渉に対するリソースセットＩＤを指示する連関するＣＳＩ−ＲｅｐｏｒｔＣｏｎｆｉｇｓリストを含む。ｓｅｍｉＰｅｒｓｉｓｔｅｎｔＯｎＰＵＳＣＨ−ＴｒｉｇｇｅｒＳｔａｔｅＬｉｓｔにおいて、各々のトリガー状態は１つの連関するＣＳＩ−ＲｅｐｏｒｔＣｏｎｆｉｇを含む。
【０１３４】
即ち、端末は各々のＣＳＩ−ＲＳリソースセッティングは該当ＣＳＩリソースセッティングに連関するＣＳＩ−ＲｅｐｏｒｔＣｏｎｆｉｇｓにより指示されるＣＳＩ報告をＢＳに送信する。例えば、該当ＣＳＩリソースセッティングに連関するＣＳＩ−ＲｅｐｏｒｔＣｏｎｆｉｇｓの指示により、ＣＱＩ、ＰＭＩ、ＣＲＩ、ＳＳＢＲＩ、ＬＩ、ＲＩ、ＲＳＲＰのうちのいずれか１つを報告する。但し、該当ＣＳＩリソースセッティングに連関するＣＳＩ−ＲｅｐｏｒｔＣｏｎｆｉｇｓが‘ｎｏｎｅ’を指示すると、端末は該当ＣＳＩリソースセッティングに連関するＣＳＩ又はＲＳＲＰを報告しない。なお、ＣＳＩリソースセッティングにはＳＳ／ＰＢＣＨブロックのためのリソースが含まれる。
【０１３５】
ＬＴＥシステムにおけるＰＲＳ(Ｐｏｓｉｔｉｏｎｉｎｇ Ｒｅｆｅｒｅｎｃｅ Ｓｉｇｎａｌ)
【０１３６】
測位(Ｐｏｓｉｔｉｏｎｉｎｇ)は、無線信号を測定してＵＥの地理的位置及び／又は速度を決定することを意味する。位置情報はＵＥに関連するクライアント(例えば、アプリケーション)により要請され、クライアントに報告する。また位置情報はコアネットワーク(Ｃｏｒｅ Ｎｅｔｗｏｒｋ)内に含まれるか、又はコアネットワークに接続したクライアントにより要請される。位置情報はセル基盤又は地理的座標のような標準形式(Ｓｔａｎｄａｒｄ ｆｏｒｍａｔ)で報告され、このとき、ＵＥの位置及び速度に対する推定エラー値及び／又は測位に使用された測位方法を一緒に報告することができる。
【０１３７】
かかる測位のために、ＰＲＳ(Ｐｏｓｉｔｉｏｎｉｎｇ Ｒｅｆｅｒｅｎｃｅ Ｓｉｇｎａｌ)を使用する。ＰＲＳはＵＥの位置推定のために使用される参照信号である。例えば、ＬＴＥシステムでは、ＰＲＳはＰＲＳ送信のために設定された下りリンクサブフレーム(以下、‘位置決めサブフレーム(Ｐｏｓｉｔｉｏｎｉｎｇ Ｓｕｂｆｒａｍｅ)’)のみで送信される。もしＭＢＳＦＮ(Ｍｕｌｔｉｍｅｄｉａ ｂｒｏａｄｃａｓｔ ｓｉｎｇｌｅ ｆｒｅｑｕｅｎｃｙ ｎｅｔｗｏｒｋ)サブフレームとｎｏｎ−ＭＢＳＦＮサブフレームがいずれも位置決めサブフレームとして設定されると、ＭＢＳＦＮサブフレームのＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)シンボルはサブフレーム＃０とＣＰ(Ｃｙｃｌｉｃ Ｐｒｅｆｉｘ)が同一でなければならない。もしセル内で位置決めサブフレームがＭＢＳＦＭサブフレームのみで設定された場合、ＭＢＳＦＮサブフレーム内でＰＲＳのために設定されたＯＦＤＭシンボルは拡張ＣＰを有することができる。
【０１３８】
かかるＰＲＳのシーケンスは以下の数１により定義できる。
【０１３９】
【数１】
2021516913.tif 000006
【０１４０】
ｃ(ｉ)はＰｓｅｕｄｏ−Ｒａｎｄｏｍシーケンスであり、以下の数２により初期化できる。
【０１４１】
【数２】
2021516913.tif 000007
【０１４２】
図９はＰＲＳがサブフレーム内でマッピングされるパターンを例示する図である。図８に示すように、ＰＲＳはアンテナポート６を介して送信される。図９の(ａ)は一般ＣＰにおいてＰＲＳがマッピングされることを示し、図９の(ｂ)は拡張ＣＰにおいてＰＲＳがマッピングされることを示している。
【０１４３】
なお、ＬＴＥシステムにおいて、ＰＲＳは位置推定のためにグルーピングされた連続するサブフレームで送信されるが、このとき、位置推定のためにグルーピングされたサブフレームを位置決め機会(Ｐｏｓｉｔｉｏｎｉｎｇ Ｏｃｃａｓｉｏｎ)という。かかる位置決め機会は１、２、４又は６サブフレームからなる。またかかる位置決め機会は１６０、３２０、６４０又は１２８０サブフレーム周期で周期的に発生する。ＰＲＳ送信の開始サブフレームを指示するためのセル特定のサブフレームオフセット値が定義され、オフセット値とＰＲＳ送信のための位置決め機会の周期は以下の表４に示すように、ＰＲＳ設定インデックス(Ｃｏｎｆｉｇｕｒａｔｉｏｎ Ｉｎｄｅｘ)により誘導される。
【０１４４】
【表４】
2021516913.tif 000008
【０１４５】
一方、各々の位置決め機会に含まれたＰＲＳは一定の電力で送信される。このとき、特定の位置決め機会ではゼロパワーでＰＲＳが送信されるが、これをＰＲＳミューティング(ｍｕｔｉｎｇ)という。例えば、サービングセルで送信されるＰＲＳをミューティングすることにより、端末が隣接セルのＰＲＳを容易に検出することができる。
【０１４６】
セルに対するＰＲＳミューティング設定は２、４、８又は１６個の位置決め機会からなる周期的ミューティングシーケンスにより定義される。即ち、周期的ミューティングシーケンスはＰＲＳミューティング設定に対応する位置決め機会によって２、４、８又は１６ビットで構成され、各々のビットは‘０’又は‘１’の値を有する。例えば、ビット値が‘０’である位置決め機会でＰＲＳミューティングが行われる。
【０１４７】
なお、位置決めサブフレームは低干渉サブフレーム(ｌｏｗ ｉｎｔｅｒｆｅｒｅｎｃｅ ｓｕｂｆｒａｍｅ)に設計されて、位置決めサブフレームではデータが送信されない。従って、ＰＲＳは他のセルのＰＲＳにより干渉されることはできるが、データ送信によっては干渉されない。
【０１４８】
ＮＲシステムでのＵＥ位置決めアーキテクチャ(ＵＥ Ｐｏｓｉｔｉｏｎｉｎｇ Ａｒｃｈｉｔｅｃｔｕｒｅ)
【０１４９】
図１０はＮＧ−ＲＡＮ(Ｎｅｘｔ Ｇｅｎｅｒａｔｉｏｎ−Ｒａｄｉｏ Ａｃｃｅｓｓ Ｎｅｔｗｏｒｋ)又はＥ−ＵＴＲＡＮに接続されるＵＥに対する測位が可能な５Ｇシステムでのアーキテクチャを示す図である。
【０１５０】
図１０を参照すると、ＡＭＦ(Ｃｏｒｅ Ａｃｃｅｓｓ ａｎｄ Ｍｏｂｉｌｉｔｙ Ｍａｎａｇｅｍｅｎｔ Ｆｕｎｃｔｉｏｎ)は、特定のターゲットＵＥに関連する位置サービスに対する要請をＧＭＬＣ(Ｇａｔｅｗａｙ Ｍｏｂｉｌｅ Ｌｏｃａｔｉｏｎ Ｃｅｎｔｅｒ)のような他のエンティティ(ｅｎｔｉｔｙ)から受信するか、又はＡＭＦ自体で特定のターゲットＵＥの代わりに位置サービスを開始すると決定することができる。この場合、ＡＭＦはＬＭＦ(Ｌｏｃａｔｉｏｎ Ｍａｎａｇｅｍｅｎｔ Ｆｕｎｃｔｉｏｎ)に位置サービス要請を送信する。位置サービス要請を受信したＬＭＦは位置サービス要請を処理してＵＥの推定された位置などを含む処理結果をＡＭＦに戻すことができる。一方、位置サービス要請がＡＭＦ以外にＧＭＬＣのような他のエンティティから受信された場合は、ＡＭＦはＬＭＦから受信した処理結果を他のエンティティに伝達することができる。
【０１５１】
ｎｇ−ｅＮＢ(ｎｅｗ ｇｅｎｅｒａｔｉｏｎ ｅｖｏｌｖｅｄ−ＮＢ)及びｇＮＢは位置追跡のための測定結果を提供できるＮＧ−ＲＡＮのネットワーク要素であり、ターゲットＵＥに対する無線信号を測定して、その結果値をＬＭＦに伝達する。またｎｇ−ｅＮＢは遠隔無線ヘッド(ｒｅｍｏｔｅ ｒａｄｉｏ ｈｅａｄｓ)のようないくつかのＴＰ(Ｔｒａｎｓｍｉｓｓｉｏｎ Ｐｏｉｎｔ)又はＥ−ＵＴＲＡのためのＰＲＳ基盤のビーコンシステム(Ｂｅａｃｏｎ Ｓｙｓｔｅｍ)を支援するＰＲＳ専用のＴＰを制御することができる。
【０１５２】
ＬＭＦはＥ−ＳＭＬＣ(Ｅｎｈａｎｃｅｄ Ｓｅｒｖｉｎｇ Ｍｏｂｉｌｅ Ｌｏｃａｔｉｏｎ Ｃｅｎｔｒｅ)に連結され、Ｅ−ＳＭＬＣはＬＭＦがＥ−ＵＴＲＡＮに接続可能にする。例えば、Ｅ−ＳＭＬＣはＬＭＦがｅＮＢ及び／又はＥ−ＵＴＲＡＮ内のＰＲＳ専用ＴＰから送信された信号によりターゲットＵＥが得た下りリンク測定を用いてＥ−ＵＴＲＡＮの測位方法の１つであるＯＴＤＯＡ(Ｏｂｓｅｒｖｅｄ Ｔｉｍｅ Ｄｉｆｆｅｒｅｎｃｅ Ｏｆ Ａｒｒｉｖａｌ)を支援するようにする。
【０１５３】
なお、ＬＭＦはＳＬＰ(ＳＵＰＬ Ｌｏｃａｔｉｏｎ Ｐｌａｔｆｏｒｍ)に連結される。ＬＭＦはターゲットＵＥに対する互いに異なる位置決めサービスを支援して管理する。ＬＭＦはＵＥの位置測定を得るために、ターゲットＵＥのためのサービングｎｇ−ｅＮＢ又はサービングｇＮＢと相互作用する。ターゲットＵＥの測位のために、ＬＭＦはＬＣＳ(Ｌｏｃａｔｉｏｎ Ｓｅｒｖｉｃｅ)クライアント類型、求められるＱｏＳ(Ｑｕａｌｉｔｙ ｏｆ Ｓｅｒｖｉｃｅ)、ＵＥ測位能力(ＵＥ ｐｏｓｉｔｉｏｎｉｎｇ ｃａｐａｂｉｌｉｔｉｅｓ)、ｇＮＢ測位能力及びｎｇ−ｅＮＢ測位能力などに基づいて測位方法を決定し、かかる測位方法をサービングｇＮＢ及び／又はサービングｎｇ−ｅＮＢに適用する。またＬＭＦはターゲットＵＥに対する位置推定値と位置推定及び速度の正確度のような追加情報を決定する。ＳＬＰはユーザ平面(ｕｓｅｒ ｐｌａｎｅ)により測位を担当するＳＵＰＬ(Ｓｅｃｕｒｅ Ｕｓｅｒ Ｐｌａｎｅ Ｌｏｃａｔｉｏｎ)エンティティである。
【０１５４】
ＵＥはＮＧ−ＲＡＮ及びＥ−ＵＴＲＡＮで送信する下りリンク参照信号(Ｄｏｗｎｌｉｎｋ Ｒｅｆｅｒｅｎｃｅ Ｓｉｇｎａｌ)を活用してＵＥの位置を測定する。このとき、ＮＧ−ＲＡＮ及びＥ−ＵＴＲＡＮからＵＥに送信される下りリンク参照信号には、ＳＳ／ＰＢＣＨブロック、ＣＳＩ−ＲＳ及び／又はＰＲＳなどが含まれ、どの下りリンク参照信号を使用してＵＥの位置を測定するかは、ＬＭＦ／Ｅ−ＳＭＬＣ／ｎｇ−ｅＮＢ／Ｅ−ＵＴＲＡＮなどの設定に従う。また互いに異なるＧＮＳＳ(Ｇｌｏｂａｌ Ｎａｖｉｇａｔｉｏｎ Ｓａｔｅｌｌｉｔｅ Ｓｙｓｔｅｍ)、ＴＢＳ(Ｔｅｒｒｅｓｔｒｉａｌ Ｂｅａｃｏｎ Ｓｙｓｔｅｍ)、ＷＬＡＮ接続ポイント、ブルートゥース（登録商標）ビーコン及びＵＥに内装されたセンサ(例えば、気圧センサ)などを活用するＲＡＴ−ｉｎｄｅｐｅｎｄｅｎｔ方式でＵＥの位置を測定することもできる。ＵＥはＬＣＳアプリケーションを含むこともでき、ＵＥが接続されたネットワークとの通信又はＵＥに含まれた他のアプリケーションによりＬＣＳアプリケーションに接続することができる。ＬＣＳアプリケーションはＵＥの位置を決定するために必要な測定及び計算能力を含む。例えば、ＵＥはＧＰＳ(Ｇｌｏｂａｌ Ｐｏｓｉｔｉｏｎｉｎｇ Ｓｙｓｔｅｍ)のような独立した測位機能を含むことができ、ＮＧ−ＲＡＮ送信とは独立してＵＥの位置を報告することができる。かかる独立的に得た測位情報はネットワークから得た測位情報の補助情報としても活用される。
【０１５５】
ＵＥの位置測定のための動作
【０１５６】
図１１はＵＥの位置を測定するためのネットワークの具現例を示す。ＵＥがＣＭ−ＩＤＬＥ(Ｃｏｎｎｅｃｔｉｏｎ Ｍａｎａｇｅｍｅｎｔ−ＩＤＬＥ)状態にあるとき、ＡＭＦが位置サービス要請を受信すると、ＡＭＦはＵＥとのシグナリング連結を設定し、特定のサービングｇＮＢ又はｎｇ−ｅＮＢを割り当てるために、ネットワークトリガーサービスを要請する。かかる動作過程は図１１では省略されている。即ち、図１１ではＵＥが連結モード(ｃｏｎｎｅｃｔｅｄ ｍｏｄｅ)であると仮定する。しかし、シグナリング及びデータ非活性などの理由で、ＮＧ−ＲＡＮによりシグナリング連結が測位過程の進行中に解除されることもできる。
【０１５７】
図１１を参照して具体的にＵＥの位置測定のためのネットワーク動作過程について説明すると、段階１ａにおいて、ＧＭＬＣのような５ＧＣエンティティはサービングＡＭＦにターゲットＵＥの位置を測定するための位置サービスを要請する。但し、ＧＭＬＣが位置サービスを要請しなくても、段階１ｂによってサービングＡＭＦがターゲットＵＥの位置を測定するための位置サービスが必要であると決定することもできる。例えば、緊急呼び出し(ｅｍｅｒｇｅｎｃｙ ｃａｌｌ)のためのＵＥ位置を測定するために、サービングＡＭＦが直接位置サービスを行うことを決定することもできる。
【０１５８】
その後、ＡＭＦは段階２によってＬＭＦに位置サービス要請を送信し、段階３ａによってＬＭＦは位置測定データ又は位置測定補助データを得るための位置手順(ｌｏｃａｔｉｏｎ ｐｒｏｃｅｄｕｒｅｓ)をサービングｎｇ−ｅＮＢ、サービングｇＮＢと共に開始する。例えば、ＬＭＦがＮＧ−ＲＡＮに１つ以上のＵＥと関連する位置関連情報を要請し、必要な位置情報の類型及び関連ＱｏＳを指示することができる。そうすると、ＮＧ−ＲＡＮは要請に応答して、ＬＭＦに位置関連情報を送信する。このとき、上記要請による位置決め方法がＥ−ＣＩＤである場合、ＮＧ−ＲＡＮは更なる位置関連情報をＬＭＦに１つ以上のＮＲＰＰａメッセージにより送信することができる。ここで、‘位置関連情報’とは、実際の位置推定情報及び無線測定又は位置測定などのように位置計算に使用される全ての値を意味する。また段階３ａで使用されるプロトコル(Ｐｒｏｔｏｃｏｌ)はＮＲＰＰａプロトコルであり、それについては後述する。
【０１５９】
さらに、段階３ｂによってＬＭＦはＵＥと共に下りリンク測位のための位置手順(ｌｏｃａｔｉｏｎ ｐｒｏｃｅｄｕｒｅｓ)を開始する。例えば、ＬＭＦはＵＥに位置補助データを送信するか、位置推定値又は位置測定値を得ることができる。例えば、段階３ｂにおいて性能情報交換(Ｃａｐａｂｉｌｉｔｙ Ｔｒａｎｓｆｅｒ)過程を行うことができる。具体的には、ＬＭＦはＵＥに性能(Ｃａｐａｂｉｌｉｔｙ)情報を要請し、ＵＥはＬＭＦに性能情報を送信することができる。このとき、性能情報とは、ＬＦＭ又はＵＥが支援できる位置測定方法に関する情報、Ａ−ＧＮＳＳのための補助データ(Ａｓｓｉｓｔａｎｃｅ ｄａｔａ)の様々なタイプのように特定の位置測定方法に対する様々な側面(ａｓｐｅｃｔｓ)に関する情報、及び多重ＬＰＰトランザクションをハンドリングできる能力のようにいずれか１つの位置測定方法に限られない共通特徴に関する情報などを含む。なお、場合によっては、ＬＭＦがＵＥに性能情報を要請しなくても、ＵＥがＬＭＦに性能情報を提供することができる。
【０１６０】
さらに他の例として、段階３ｂにおいて、位置補助データ交換(Ａｓｓｉｓｔａｎｃｅ ｄａｔａ ｔｒａｎｓｆｅｒ)過程を行うことができる。より具体的には、ＵＥはＬＭＦに位置補助データを要請し、必要とする特定の位置補助データをＬＭＦに指示することができる。そうすると、ＬＭＦはそれに対応する位置補助データをＵＥに伝達し、さらに１つ以上の追加ＬＰＰメッセージにより追加補助データ(Ａｄｄｉｔｉｏｎａｌ ａｓｓｉｓｔａｎｃｅ ｄａｔａ)をＵＥに送信することができる。なお、ＬＭＦからＵＥに送信される位置補助データはユニキャスト(ｕｎｉｃａｓｔ)方式で送信され、場合によっては、ＵＥがＬＭＦに補助データを要請する過程無しに、ＬＭＦがＵＥに位置補助データ及び／又は追加補助データを送信することができる。
【０１６１】
さらに他の例として、段階３ｂにおいて、位置情報交換(ｌｏｃａｔｉｏｎ Ｉｎｆｏｒｍａｔｉｏｎ Ｔｒａｎｓｆｅｒ)過程を行うことができる。より具体的には、ＬＭＦがＵＥに該当ＵＥに関連する位置関連情報を要請し、必要な位置情報の類型及び関連ＱｏＳを指示することができる。そうすると、ＵＥは要請に応答して、ＬＭＦに位置関連情報を送信する。このとき、さらにＵＥは追加位置関連情報をＬＭＦに１つ以上のＬＰＰメッセージにより送信することができる。ここで、‘位置関連情報’とは、実際の位置推定情報及び無線測定又は位置測定などのように位置計算に使用される全ての値を意味し、代表的には複数のＮＧ−ＲＡＮ及び／又はＥ−ＵＴＲＡＮからＵＥに送信される下りリンク参照信号(Ｄｏｗｎｌｉｎｋ Ｒｅｆｅｒｅｎｃｅ Ｓｉｇｎａｌ)に基づいてＵＥが測定するＲＳＴＤ(Ｒｅｆｅｒｅｎｃｅ Ｓｉｇｎａｌ Ｔｉｍｅ Ｄｉｆｆｅｒｅｎｃｅ)値がある。これと同様に、ＵＥはＬＭＦから要請がなくても、位置関連情報をＬＭＦに送信することができる。
【０１６２】
一方、上記段階３ｂで行われる過程は単独で行うこともできるが、連続して行われることもできる。一般的には、性能情報交換過程、位置補助データ交換過程、位置情報交換過程の順に段階３ｂが行われるが、これに限られない。言い換えれば、段階３ｂは位置測定の柔軟性を向上させるために、特定の順序にかかわらない。例えば、ＵＥはＬＭＦが既に要請した位置測定要請を行うために、いつでも位置補助データを要請することができる。また、ＬＭＦもＵＥが伝達した位置情報が要求するＱｏＳを満たさない場合、いつでも位置測定値又は位置推定値などの位置情報を要請することができる。これと同様に、ＵＥが位置推定のための測定を行わない場合には、いつでもＬＭＦに性能情報を送信することができる。
【０１６３】
段階３ｂにおいて、ＬＭＦとＵＥの間で交換する情報又は要請にエラーが発生した場合は、Ｅｒｒｏｒメッセージが送受信され、位置測定を中断するための中断(Ａｂｏｒｔ)メッセージが送受信されることもできる。
【０１６４】
段階３ｂで使用されるプロトコルはＬＰＰプロトコルであることができ、それについては後述する。
【０１６５】
また、段階３ｂは段階３ａが行われた後、さらに行われることもできるが、段階３ａの代わりに行われることもできる。
【０１６６】
段階４において、ＬＭＦはＡＭＦに位置サービス応答を提供する。また位置サービス応答にはＵＥの位置推定が成功したか否かに関する情報及びＵＥの位置推定値が含まれる。その後、段階１ａにより図１０の手順が開始されると、ＡＭＦはＧＭＬＣのような５ＧＣエンティティに位置サービス応答を伝達することができ、段階１ｂにより図１０の手順が開始されると、ＡＭＦは緊急呼び出しなどに関連する位置サービス提供のために、位置サービス応答を用いることができる。
【０１６７】
位置測定のためのプロトコル
【０１６８】
(１)ＬＴＥ Ｐｏｓｉｔｉｏｎｉｎｇ Ｐｒｏｔｏｃｏｌ(ＬＰＰ)
【０１６９】
図１２はＬＭＦとＵＥの間のＬＰＰメッセージ送信を支援するために使用されるプロトコル層の例示を示す。ＬＰＰ ＰＤＵはＭＡＦとＵＥの間のＮＡＳ ＰＤＵにより送信される。図１２を参照すると、ＬＰＰはターゲット装置(例えば、制御平面でのＵＥ又はユーザ平面でのＳＥＴ(ＳＵＰＬ Ｅｎａｂｌｅｄ Ｔｅｒｍｉｎａｌ))と位置サーバー(例えば、制御平面でのＬＭＦ又はユーザ平面でのＳＬＰ)の間を連結することができる。ＬＰＰメッセージはＮＧ−ＣインターフェースによるＮＧＡＰ、ＬＴＥ−Ｕｕ及びＮＲ−ＵｕインターフェースによるＮＡＳ／ＲＲＣなどの適切なプロトコルを使用して、中間ネットワークインターフェースによって透明な(Ｔｒａｎｓｐａｒｅｎｔ)ＰＤＵの形態で伝達される。ＬＰＰプロトコルは様々な測位方法を使用してＮＲ及びＬＴＥのための測位を可能にする。
【０１７０】
例えば、ＬＰＰプロトコルによりターゲット装置及び位置サーバーは相互間の性能情報交換、測位のための補助データ交換及び／又は位置情報の交換を行うことができる。またＬＰＰメッセージによりエラー情報交換及び／又はＬＰＰ手順の中断指示などを行うこともできる。
【０１７１】
(２)ＮＲ Ｐｏｓｉｔｉｏｎｉｎｇ Ｐｒｏｔｏｃｏｌ Ａ(ＮＲＰＰａ)
【０１７２】
図１３はＬＭＦとＮＧ−ＲＡＮノードの間のＮＲＰＰａ ＰＤＵ送信を支援するために使用されるプロトコル層を例示する。ＮＲＰＰａはＮＧ−ＲＡＮノードとＬＭＦの間の情報交換に使用される。具体的には、ＮＲＰＰａはｎｇ−ｅＮＢからＬＭＦに送信される測定のためのＥ−ＣＩＤ、ＯＴＤＯＡ測位方法を支援するためのデータ、ＮＲ Ｃｅｌｌ ＩＤ測位方法のためのＣｅｌｌ−ＩＤ及びＣｅｌｌ位置ＩＤなどを交換することができる。ＡＭＦは連関するＮＲＰＰａトランザクション(ｔｒａｎｓａｃｔｉｏｎ)に関する情報がなくても、ＮＧ−Ｃインターフェースにより連関するＬＭＦのルーティングＩＤに基づいてＮＲＰＰａ ＰＤＵをルーティングすることができる。
【０１７３】
位置及びデータ収集のためのＮＲＰＰａプロトコルの手順は、２つの類型に区分できる。第１の類型は、特定のＵＥに関する情報(例えば、位置測定情報など)を伝達するためのＵＥ関連手順(ＵＥ ａｓｓｏｃｉａｔｅｄ ｐｒｏｃｅｄｕｒｅ)であり、第２の類型は、ＮＧ−ＲＡＮノード及び関連するＴＰに適用可能な情報(例えば、ｇＮＢ／ｎｇ−ｅＮＧ／ＴＰタイミング情報など)を伝達するための非ＵＥ関連手順(ｎｏｎ ＵＥ ａｓｓｏｃｉａｔｅｄ ｐｒｏｃｅｄｕｒｅ)である。この２つの類型の手順は、個々に支援されるか、又は同時に支援される。
【０１７４】
測位方法(ｐｏｓｉｔｉｏｎｉｎｇ Ｍｅａｓｕｒｅｍｅｎｔ Ｍｅｔｈｏｄ)
【０１７５】
ＮＧ−ＲＡＮで支援する測位方法には、ＧＮＳＳ、ＯＴＤＯＡ、Ｅ−ＣＩＤ(ｅｎｈａｎｃｅｄ ｃｅｌｌ ＩＤ)、気圧センサ測位、ＷＬＡＮ測位、ブルートゥース（登録商標）測位及びＴＢＳ(ｔｅｒｒｅｓｔｒｉａｌ ｂｅａｃｏｎ ｓｙｓｔｅｍ)、ＵＴＤＯＡ(Ｕｐｌｉｎｋ Ｔｉｍｅ Ｄｉｆｆｅｒｅｎｃｅ ｏｆ Ａｒｒｉｖａｌ)などがある。これらの測位方法のうち、いずれか１つの測位方法を用いてＵＥの位置を測定できるが、２つ以上の測位方法を用いてＵＥの位置を測定することもできる。
【０１７６】
(１)ＯＴＤＯＡ(Ｏｂｓｅｒｖｅｄ Ｔｉｍｅ Ｄｉｆｆｅｒｅｎｃｅ Ｏｆ Ａｒｒｉｖａｌ)
【０１７７】
図１４はＯＴＤＯＡ測位方法を説明する図である。ＯＴＤＯＡ測位方法ではＵＥがｅＮＢ、ｎｇ−ｅＮＢ及びＰＲＳ専用のＴＰを含む多数のＴＰから受信された下りリンク信号の測定タイミングを用いる。ＵＥは位置サーバーから受信した位置補助データを用いて、受信された下りリンク信号のタイミングを測定する。この測定結果及び隣のＴＰの地理的座標に基づいて、ＵＥの位置を決定することができる。
【０１７８】
ｇＮＢに連結されたＵＥはＴＰからＯＴＤＯＡ測定のための測定ギャップ(ｇａｐ)を要請することができる。もしＵＥがＯＴＤＯＡ補助データ内の少なくとも１つのＴＰのためのＳＦＮを認知できないと、ＵＥはＲＳＴＤ(Ｒｅｆｅｒｅｎｃｅ Ｓｉｇｎａｌ Ｔｉｍｅ Ｄｉｆｆｅｒｅｎｃｅ)の測定を行うための測定ギャップを要請する前に、ＯＴＤＯＡ参照セル(ｒｅｆｅｒｅｎｃｅ ｃｅｌｌ)のＳＦＮを得るために自律的なギャップ(ａｕｔｏｎｏｍｏｕｓ ｇａｐ)を使用することができる。
【０１７９】
ここで、ＲＳＴＤは参照セルと測定セルから各々受信した２つのサブフレームの境界の間における最小の相対的時間差に基づいて定義される。即ち、測定セルから受信されたサブフレームの開始時間に最も近い参照セルのサブフレームの開始時間の間の相対的な時間差に基づいて計算できる。一方、参照セルはＵＥにより選択される。
【０１８０】
正確なＯＴＤＯＡ測定のためには、地理的に分散された３つ以上のＴＰ又は基地局から受信された信号のＴＯＡ(ｔｉｍｅ ｏｆ ａｒｒｉｖａｌ)を測定する必要がある。例えば、ＴＰ１、ＴＰ２及びＴＰ３の各々に対するＴＯＡを測定し、３つのＴＯＡに基づいてＴＰ１−ＴＰ２に対するＲＳＴＤ、ＴＰ２−ＴＰ３に対するＲＳＴＤ及びＴＰ３−ＴＰ１に対するＲＳＴＤを計算して、それらに基づいて幾何学的双曲線を決定し、この双曲線が交差するところをＵＥの位置として推定することができる。このとき、各々のＴＯＡ測定に対する正確度及び／又は不確実性をあり得るので、推定されたＵＥの位置は測定不確実性による特定の範囲として知らせることもできる。
【０１８１】
例えば、２つのＴＰに対するＲＳＴＤは以下の数３に基づいて算出できる。
【０１８２】
【数３】
2021516913.tif 000009
【０１８３】
ここで、ｃは光の速度であり、{ｘt、ｙt}はターゲットＵＥの(知られていない)座標であり、{ｘi、ｙi}は(知られた)ＴＰの座標であり、{ｘ１、ｙ１}は参照ＴＰ(又は他のＴＰ)の座標である。ここで、(Ｔi−Ｔ１)は２つのＴＰの間の送信時間オフセットであって、“Ｒｅａｌ Ｔｉｍｅ Ｄｉｆｆｅｒｅｎｃｅｓ”(ＲＴＤｓ)と称され、ｎi、ｎ１はＵＥ ＴＯＡ測定エラーに関する値を示す。
【０１８４】
(２)Ｅ−ＣＩＤ(Ｅｎｈａｎｃｅｄ Ｃｅｌｌ ＩＤ)
【０１８５】
セルＩＤ(ＣＩＤ)の測位方法において、ＵＥの位置はＵＥのサービングｎｇ−ｅＮＢ、サービングｇＮＢ及び／又はサービングセルの地理的情報により測定できる。例えば、サービングｎｇ−ｅＮＢ、サービングｇＮＢ及び／又はサービングセルの地理的情報は、ページング(ｐａｇｉｎｇ)、登録(ｒｅｇｉｓｔｒａｔｉｏｎ)などにより得られる。
【０１８６】
一方、Ｅ−ＣＩＤ測位方法では、ＣＩＤ測位方法に加えてＵＥ位置推定値を向上させるための更なるＵＥ測定及び／又はＮＧ−ＲＡＮ無線リソースなどを用いることができる。Ｅ−ＣＩＤ測位方法において、ＲＲＣプロトコルの測定制御システムと同一の測定方法の一部を使用できるが、一般的にＵＥの位置測定のみのために更に測定を行うことはない。言い換えれば、ＵＥの位置を測定するために別の測定設定(ｍｅａｓｕｒｅｍｅｎｔ ｃｏｎｆｉｇｕｒａｔｉｏｎ)又は測定制御メッセージ(ｍｅａｓｕｒｅｍｅｎｔ ｃｏｎｔｒｏｌ ｍｅｓｓａｇｅ)は提供されず、ＵＥも位置測定のみのための更なる測定動作が要請されるとは期待せず、ＵＥが一般的に測定可能な測定方法により得た測定値を報告する。
【０１８７】
例えば、サービングｇＮＢはＵＥから提供されるＥ−ＵＴＲＡ測定値を使用してＥ−ＣＩＤ測位方法を具現する。
【０１８８】
Ｅ−ＣＩＤ測位のために使用できる測定要素は、例えば、以下の通りである。
【０１８９】
−ＵＥ測定：Ｅ−ＵＴＲＡ ＲＳＲＰ(Ｒｅｆｅｒｅｎｃｅ Ｓｉｇｎａｌ Ｒｅｃｅｉｖｅｄ Ｐｏｗｅｒ)、Ｅ−ＵＴＲＡ ＲＳＲＱ(Ｒｅｆｅｒｅｎｃｅ Ｓｉｇｎａｌ Ｒｅｃｅｉｖｅｄ Ｑｕａｌｉｔｙ)、ＵＥ Ｅ−ＵＴＲＡ受信−送信時間差(Ｒｘ−Ｔｘ Ｔｉｍｅ ｄｉｆｆｅｒｅｎｃｅ)、ＧＥＲＡＮ／ＷＬＡＮ ＲＳＳＩ(Ｒｅｆｅｒｅｎｃｅ Ｓｉｇｎａｌ Ｓｔｒｅｎｇｔｈ Ｉｎｄｉｃａｔｉｏｎ)、ＵＴＲＡＮ ＣＰＩＣＨ(Ｃｏｍｍｏｎ Ｐｉｌｏｔ Ｃｈａｎｎｅｌ) ＲＳＣＰ(Ｒｅｃｅｉｖｅｄ Ｓｉｇｎａｌ Ｃｏｄｅ Ｐｏｗｅｒ)、ＵＴＲＡＮ ＣＰＩＣＨ Ｅｃ／Ｉｏ
【０１９０】
−Ｅ−ＵＴＲＡＮ測定：ｎｇ−ｅＮＢ受信−送信時間差(Ｒｘ−Ｔｘ Ｔｉｍｅ ｄｉｆｆｅｒｅｎｃｅ)、タイミングアドバンス(Ｔｉｍｉｎｇ Ａｄｖａｎｃｅ；ＴADV)、Ａｎｇｌｅ ｏｆ Ａｒｒｉｖａｌ(ＡｏＡ)
【０１９１】
ここで、ＴADVは以下のようにＴｙｐｅ１とＴｙｐｅ２に区分される。
【０１９２】
ＴADV Ｔｙｐｅ１＝(ｎｇ−ｅＮＢ受信−送信時間差)＋(ＵＥ Ｅ−ＵＴＲＡ受信−送信時間差)
【０１９３】
ＴADV Ｔｙｐｅ２＝ｎｇ−ｅＮＢ受信−送信時間差
【０１９４】
一方、ＡｏＡはＵＥの方向を測定するために使用される。ＡｏＡは基地局／ＴＰから反時計方向にＵＥの位置に対する推定角度により定義される。このとき、地理的基準方向は北側である。基地局／ＴＰはＡｏＡ測定のためにＳＲＳ(Ｓｏｕｎｄｉｎｇ Ｒｅｆｅｒｅｎｃｅ Ｓｉｇｎａｌ)及び／又はＤＭＲＳ(Ｄｅｍｏｄｕｌａｔｉｏｎ Ｒｅｆｅｒｅｎｃｅ Ｓｉｇｎａｌ)のような上りリンク信号を用いる。またアンテナアレイの配列が大きいほど、ＡｏＡの測定正確度が高くなり、同じ間隔でアンテナアレイが配列された場合は、隣接するアンテナ素子で受信された信号は一定の位相変化(Ｐｈａｓｅ−Ｒｏｔａｔｅ)を有する。
【０１９５】
(３)ＵＴＤＯＡ(Ｕｐｌｉｎｋ Ｔｉｍｅ Ｄｉｆｆｅｒｅｎｃｅ ｏｆ Ａｒｒｉｖａｌ)
【０１９６】
ＵＴＤＯＡはＳＲＳの到達時間を推定してＵＥの位置を決定する方法である。推定されたＳＲＳ到達時間を算出する時、サービングセルを参照セルとして使用して、他のセル(或いは基地局／ＴＰ)との到達時間差によりＵＥの位置を推定することができる。ＵＴＤＯＡを具現するために、Ｅ−ＳＭＬＣはターゲットＵＥにＳＲＳ送信を指示するために、ターゲットＵＥのサービングセルを指示する。またＥ−ＳＭＬＣはＳＲＳが周期的であるか否か、帯域幅及び周波数／グループ／シーケンスホッピングのような設定を提供することができる。
【０１９７】
複数の狭い送信ビーム(Ｍｕｌｔｉｐｌｅ ａｎｄ ｎａｒｒｏｗ ＴＸ ｂｅａｍ)基盤のＮＲシステムを支援する特定のＴＰ／基地局に１つのＰＲＳ(例えば、ＰＲＳ ＩＤ)のみを割り当てると、互いに異なる送信ビーム(ＴＸ ｂｅａｍ)で送信されるＰＲＳを端末が区分することが難しい。また、同じ送信ビームでＰＲＳを送信しても、ＰＲＳの帯域幅設定(ｂａｎｄｗｉｄｔｈ ｃｏｎｆｉｇｕｒａｔｉｏｎ)などが異なると、端末の演算複雑度を減らすことができる。かかる状況に基づいて、以下のＰＲＳリソース及びＰＲＳリソース集合の設定について説明する。
【０１９８】
図１５乃至図１８は本発明の実施例による端末、基地局、位置サーバー及びネットワークの動作具現例を説明する図である。
【０１９９】
図１５を参照しながら、基地局の概略的な動作具現例について説明する。図１５を参照すると、基地局はＰＲＳリソースを設定することができる(Ｓ１５０１)。この時、ＰＲＳリソース設定に関する情報を位置サーバーから受信して設定する。ＰＲＳリソースを設定する具体的な方法は、後述する実施例に基づく。基地局はＰＲＳ、ＳＳ／ＰＢＣＨブロック及びＣＳＩ−ＲＳのうちのいずれかを端末に送信する(Ｓ１５０３)。また、基地局はＰＲＳ、ＳＳ／ＰＢＣＨブロック及びＣＳＩ−ＲＳのうちのいずれか１つに関連する報告を受信する(Ｓ１５０５)。この時、上記報告に含まれた具体的な情報及び端末が上記報告を送信する具体的な方法は、後述する実施例に基づく。基地局はＳ１５０１の前に、ＳＳ／ＰＢＣＨブロック及び／又はＣＳＩ−ＲＳをＰＲＳリソースとして活用するか、又はＰＲＳリソースを送受信するための送受信ビームを決定するための用途で送信されることを知らせることを含む情報を位置サーバーに送信する。
【０２００】
なお、図１５に示された基地局は、図２９乃至図３２に示された様々な無線機器のうちのいずれかである。即ち、図１５による基地局の動作過程は、図２９乃至図３２に示された様々な無線機器のうちのいずれかにより動作する。
【０２０１】
図１６を参照しながら、端末の概略的な動作具現例について説明する。図１６を参照すると、端末は基地局又は位置サーバーからＰＲＳリソース設定に関する情報を受信する(Ｓ１６０１)。この時、ＰＲＳリソース設定に関する情報の具体的な実施例については後述する。
【０２０２】
端末は、基地局からＰＲＳ、ＳＳ／ＰＢＣＨブロック及びＣＳＩ−ＲＳのうちのいずれかを受信し(Ｓ１６０３)、ＰＲＳ、ＳＳ／ＰＢＣＨブロック及びＣＳＩ−ＲＳのうちのいずれかに関連する報告を送信する(Ｓ１６０５)。この時、報告に含まれた具体的な情報及び端末が上記報告を送信する具体的な方法は、後述する実施例に基づく。
【０２０３】
なお、図１６に示された端末は、図２９乃至図３２に示された様々な無線機器のうちのいずれかである。即ち、図１６による端末の動作過程は、図２９乃至図３２に示された様々な無線機器のうちのいずれかにより動作する。
【０２０４】
図１７は位置サーバーの概略的な動作具現例を示す。図１７を参照すると、位置サーバーはＰＲＳリソース設定情報を基地局及び／又は端末に送信する(Ｓ１７０１)。この時、ＰＲＳリソースを設定する具体的な方法は、後述する実施例に基づく。位置サーバーはＰＲＳ、ＳＳ／ＰＢＣＨブロック及びＣＳＩ−ＲＳのうちのいずれかに関連する報告を端末又は基地局から受信する(Ｓ１７０３)。この時、上記報告に含まれた具体的な情報及び端末又は基地局が上記報告を送信する具体的な方法は、後述する実施例に基づく。一方、位置サーバーはＳ１７０１の前に、ＳＳ／ＰＢＣＨブロック及び／又はＣＳＩ−ＲＳをＰＲＳリソースとして活用するか、又はＰＲＳリソースを送受信するための送受信ビームを決定するための用途で送信されることを知らせることを含む情報を基地局から受信する。
【０２０５】
なお、図１７による位置サーバーは、図３３に示された装置である。即ち、図１７による位置サーバーの動作過程は、図３３に示された装置により動作する。
【０２０６】
以下、図１８を参照しながら、ネットワーク内での本開示の概略的な動作具現例について説明する。
【０２０７】
図１８を参照すると、基地局はＳＳ／ＰＢＣＨブロック及び／又はＣＳＩ−ＲＳをＰＲＳリソースとして活用するか、又はＰＲＳリソースを送受信するための送受信ビームを決定するための用途で送信されることを知らせることを含む情報を位置サーバーに送信する(Ｓ１８００)。位置サーバーは基地局及び／又は端末にＰＲＳリソース設定情報を送信し、基地局がＰＲＳリソース設定情報を端末に送信する(Ｓ１８０１〜Ｓ１８０５)。この時、位置サーバーが基地局と端末の両方にＰＲＳリソース設定情報を送信すると、基地局はＳ１８０３を省略することができる。即ち、位置サーバーが基地局と端末の両方にＰＲＳリソース設定情報を送信する場合は、基地局はＰＲＳリソース設定情報を端末に送信しない。但し、位置サーバーが基地局のみにＰＲＳリソース設定情報を送信すると、基地局はＰＲＳリソース設定情報を端末に送信する。言い換えれば、Ｓ１８０５が省略されると、Ｓ１８０３は必ず行われる。即ち、Ｓ１８０３及びＳ１８０５は選択的である。一方、ＰＲＳリソース設定情報の具体的な例示は、後述する実施例に基づく。
【０２０８】
基地局は端末にＰＲＳ、ＳＳ／ＰＢＣＨブロック及びＣＳＩ−ＲＳのうちのいずれかを送信する(Ｓ１８０７)。また、端末はＰＲＳ、ＳＳ／ＰＢＣＨブロック及びＣＳＩ−ＲＳのうちのいずれかに関連する報告を基地局及び／又は位置サーバーに送信し、基地局はＰＲＳ、ＳＳ／ＰＢＣＨブロック及びＣＳＩ−ＲＳのうちのいずれかに関連する報告を位置サーバーに送信する(Ｓ１８０９〜Ｓ１８１３)。この時、端末が位置サーバーに報告を送信すると、Ｓ１８１１は省略することができる。即ち、基地局は報告を位置サーバーに伝達しないことができる。但し、端末が基地局のみに報告を送信すると、基地局はこの報告を位置サーバーに伝達することができる。言い換えれば、Ｓ１８１３が省略されると、Ｓ１８１３の段階が必ず必要であることができる。即ち、Ｓ１８１１とＳ１８１３は選択的である。一方、上記報告に含まれる具体的な情報及び送信方法は、後述する実施例に基づく。
【０２０９】
一方、後述する実施例は、各々の実施例がそれぞれ具現されることもできるが、各々の実施例を組み合わせて具現することもできる。言い換えれば、後述する実施例は少なくとも１つの実施例の組み合わせにより具現される。
【０２１０】
特に言及しない限り、本発明に記載する“設定／指示(Ｃｏｎｆｉｇｕｒａｔｉｏｎ／Ｉｎｄｉｃａｔｉｏｎ)”の主体は、基地局又は測位動作(ｐｏｓｉｔｉｏｎｉｎｇ ｏｐｅｒａｔｉｏｎ)を担当する基地局又は位置サーバー(ｌｏｃａｔｉｏｎ ｓｅｒｖｅｒ)又はそれと類似する物理的／論理的ノード(ｐｈｙｓｉｃａｌ／ｌｏｇｉｃａｌ ｎｏｄｅ)を意味する。また、かかる設定を受ける客体は端末であり、以下に言及するｕｓｅｒ ｅｑｕｉｐｍｅｎｔ、ＵＥ、ｕｓｅｒ、ＭＳ(Ｍｏｂｉｌｅ Ｓｔａｔｉｏｎ)はいずれも端末を意味する。
【０２１１】
３ＧＰＰ ＴＳ３６．３５５のＰＲＳ設定パラメータ“ＰＲＳ−Ｉｎｆｏ”のように特定のＰＲＳを端末に設定するために、ＰＲＳ設定単位としてＰＲＳ単位／リソース(ｕｎｉｔ／Ｒｅｓｏｕｒｃｅ)及び／又はＰＲＳリソースグループ／集合(Ｒｅｓｏｕｒｃｅ ｇｒｏｕｐ／ｓｅｔ)などが定義される。例えば、ＰＲＳ設定には、各々のＰＲＳリソースにＰＲＳリソースＩＤ(Ｒｅｓｏｕｒｃｅ ＩＤ)、占有帯域幅(ｏｃｃｕｐｉｅｄ ｂａｎｄｗｉｄｔｈ)、周期(ｐｅｒｉｏｄｉｃｉｔｙ)、ＰＲＳが送信される連続するスロットの数に対する設定などが含まれる。また、１つ以上のＰＲＳ(例えば、ＰＲＳリソース又はＰＲＳ ＩＤ)を纏めて、１つのＰＲＳリソースグループ／集合として設定することができる。例えば、複数のＰＲＳ ＩＤを１つのＰＲＳグループ／集合(ＰＲＳ ｇｒｏｕｐ／ｓｅｔ)として設定することができる。
【０２１２】
端末は、特定のＰＲＳリソースグループ／集合で送信される複数のＰＲＳ(例えば、ＰＲＳリソース又はＰＲＳ ＩＤ)は同じ位置のＴＰ／基地局から送信されたものであると認知する。又は、位置サーバー又は基地局は、特定のＰＲＳリソースグループ／集合で送信される複数のＰＲＳ(例えば、ＰＲＳリソース又はＰＲＳ ＩＤ)は同じ位置のＴＰ／基地局から送信されたものであると端末に設定／指示することができる。ＴＰ／基地局が同じ位置にあることは、地理的に同じ位置にあることを意味する。また、同じ位置又は同じ地理的位置にあるＴＰ／基地局は、結局、同じＴＰ／基地局を意味する。
【０２１３】
位置サーバー又は基地局は、特定のＰＲＳリソースグループ／集合で送信された互いに異なるＰＲＳ(例えば、ＰＲＳリソース又はＰＲＳ ＩＤ)が同じ送信ビームで送信されたものであると端末に設定／指示する。例えば、基地局又は位置サーバーは、ＰＲＳ(例えば、ＰＲＳリソース又はＰＲＳ ＩＤ)の間の空間(ｓｐａｔｉａｌ)ＱＣＬ(例えば、ＱＣＬ ｔｙｐｅ Ｄ)を端末に設定又は指示することができる。
【０２１４】
また端末は、特定のＰＲＳリソースグループ／集合に含まれる互いに異なるＰＲＳ(例えば、ＰＲＳリソース又はＰＲＳ ＩＤ)の間の空間(ｓｐａｔｉａｌ)ＱＣＬが設定された場合、同じＴＰ／基地局で同じ送信ビームにより互いに異なるＰＲＳが送信されたと期待することができる。言い換えれば、端末は、特定のＰＲＳリソースグループ／集合に含まれる互いに異なるＰＲＳは同じＴＰ／基地局で送信されたものであると期待し、互いに異なるＰＲＳのうち、空間ＱＣＬ(例えば、ＱＣＬ ｔｙｐｅ Ｄ)が設定されたＰＲＳは同じ送信ビームで送信されると期待することができる。即ち、１つのＰＲＳリソース又は１つのＰＲＳ ＩＤは１つの送信ビームに連関することができが、互いに異なるＰＲＳリソース又は互いに異なるＰＲＳ ＩＤに対応する互いに異なるＰＲＳに同じ空間ＱＣＬが設定されると、それは同じ送信ビームにより互いに異なるＰＲＳが送信されることができる。
【０２１５】
以下、本開示に記載するＰＲＳリソースは、ＴＳ３６．３５５のＰＲＳ設定パラメータ“ＰＲＳ−Ｉｎｆｏ”のようにＰＲＳ帯域(ｂａｎｄｗｉｄｔｈ)、ＰＲＳ ＩＤ(ＰＲＳ ｃｏｎｆｉｇｕｒａｔｉｏｎ ＩＤ)、ＰＲＳミューティング情報(ｍｕｔｉｎｇ ｉｎｆｏｒｍａｔｉｏｎ)、ＰＲＳ機会を構成するスロットの数、ＰＲＳ機会グループの長さ(ＰＲＳ Ｏｃｃａｓｉｏｎ ｇｒｏｕｐ ｌｅｎｇｔｈ)などを含むＰＲＳを設定するためのパラメータ及び／又はＰＲＳを設定するための単位である。
【０２１６】
なお、ＰＲＳを設定する時、ＰＲＳリソースレベル単位(Ｒｅｓｏｕｒｃｅ ｌｅｖｅｌ)で設定すると、ＮＲのように狭いビーム(ｎａｒｒｏｗ−ｂｅａｍ)基盤のシステムにおいて有利である。ＬＴＥシステムは広いビーム(ｗｉｄｅ−ｂｅａｍ)基盤のシステムであるので、ＰＲＳの設定時、サービングセルのような参照セル及び隣接セル／隣接ＴＰについて１つのＰＲＳを設定した。即ち、“ＰＲＳ−ＩＮＦＯ”を参照セル(ｒｅｆｅｒｅｎｃｅ ｃｅｌｌ)及び隣接セル(ｎｅｉｇｈｂｏｒ ｃｅｌｌ)ごとに設定した。しかし、ＮＲは特定のＴＰ／基地局が狭いビームに基づいて多数のビームをスイーピング(ｓｗｅｅｐｉｎｇ)するので、共通ビーム(ｃｏｍｍｏｎ ｂｅａｍ)でＰＲＳを送信するよりは、ＴＰ／基地局が狭い送信ビームでＰＲＳを送信する確率が高い。特に６ＧＨｚ以上の帯域ではＴＰ／基地局が狭い送信ビームでＰＲＳを送信する確率がより高い。
【０２１７】
互いに異なる送信ビームで送信される複数のＰＲＳを受信する端末の立場では、ＴｏＡ(Ｔｉｍｅ ｏｆ Ａｒｒｉｖａｌ)／ＲＳＴＤ(Ｒｅｆｅｒｅｎｃｅ Ｓｉｇｎａｌ Ｔｉｍｅ Ｄｉｆｆｅｒｅｎｃｅ／ＲＳＲＰ(Ｒｅｆｅｒｅｎｃｅ Ｓｉｇｎａｌ Ｒｅｃｅｉｖｅｄ Ｐｏｗｅｒ)／ＳＮＲ(Ｓｉｇｎａｌ ｔｏ Ｎｏｉｓｅ Ｒａｔｉｏ)などの測定値が異なることができるので、各々の送信ビームで送信される各々のＰＲＳを端末が区分する必要がある。
【０２１８】
このために、各々の送信ビームについて互いに異なるＰＲＳリソースで互いに異なるＰＲＳが送信されるようにして、端末が互いに異なるＰＲＳリソースで送信されるＰＲＳは互いに異なる送信ビームで送信されることを認知するようにする。例えば、互いに異なるＰＲＳリソースが時間及び／又は周波数ＲＥリソースを共有することはできるが、少なくともＰＲＳ ＩＤ及び／又はＰＲＳシーケンスは異なるように設定して、端末がＰＲＳリソースを区分できるようにする。言い換えれば、ＰＲＳリソースには、時間及び／又は周波数リソースだけではなく、ＰＲＳ ＩＤ及びＰＲＳシーケンスが含まれる。従って、ＰＲＳリソースが互いに異なることは、ＰＲＳ時間リソース、周波数リソース、ＰＲＳ ＩＤ及びＰＲＳシーケンスのうちのいずれかが異なることを意味する。
【０２１９】
以下、狭帯域基盤(Ｎａｒｒｏｗ−ｂａｎｄ)のＰＲＳのみを使用できるＬｏｗ−ｅｎｄ端末に対する測位(ｐｏｓｉｔｉｏｎｉｎｇ)性能の向上及び効果的な端末の位置測定のために、基地局及び／又は位置サーバーの具体的なＰＲＳ設定／指示方法について説明する。
【０２２０】
後述する実施例１乃至実施例７において、ＰＲＳリソース集合は少なくとも１つのＰＲＳリソースを含む。言い換えれば、ＰＲＳリソース集合は少なくとも１つのＰＲＳリソースの集まりを意味する。ＰＲＳリソース集合はＰＲＳブロックとも同じ意味である。従って、後述する実施例においては、ＰＲＳリソース集合とＰＲＳブロックを混用することができる。具体的には、ＰＲＳリソース集合は１つのセル／基地局／ＴＰに対応する複数のＰＲＳリソースの集まりである。ＰＲＳブロックは少なくとも１つのセル／基地局／ＴＰに対応する複数のＰＲＳリソースである。言い換えれば、ＰＲＳブロックを１つのセル／基地局／ＴＰの観点から見ると、ＰＲＳリソース集合と同一である。
【０２２１】
少なくとも１つのＰＲＳリソース集合又は少なくとも１つのＰＲＳブロックは、ＰＲＳブロックグループを形成することができる。即ち、ＰＲＳブロックグループは、少なくとも１つのＰＲＳリソース集合又は少なくとも１つのＰＲＳブロックの集まりを意味する。
【０２２２】
また、このようなＰＲＳブロックグループは、ＰＲＳ機会と混用することができる。即ち、本開示において、ＰＲＳブロックグループとＰＲＳ機会は同じ意味である。ＰＲＳリソース集合は基地局／ＴＰごとに設定される。言い換えれば、１つのＰＲＳリソース集合は１つの基地局／ＴＰについて設定される。
【０２２３】
実施例１
【０２２４】
ＮＲシステムにおいて、ＮＲ測位は５ＭＨｚのような狭帯域(ｎａｒｒｏｗ−ｂａｎｄ)と広帯域(ｗｉｄｅ−ｂａｎｄ)をいずれも支援することができる。従って、ＮＲシステムにおいて、ＯＴＤＯＡ(Ｏｂｓｅｒｖｅｄ Ｔｉｍｅ Ｄｉｆｆｅｒｅｎｃｅ Ｏｆ Ａｒｒｉｖａｌ)を適用するためには、様々な類型の端末を支援し、端末の性能に関係なく向上した測位性能を支援する必要がある。例えば、ＮＲシステムにおいて、ＯＴＤＯＡを適用するために、以下の３つの類型の端末が考えられる。
【０２２５】
−タイプＡ：タイプＡの端末は無制限に広帯域ＰＲＳ処理を行うことができる。
【０２２６】
−タイプＢ：タイプＢの端末はプロセシング能力及び／又はバッテリー寿命時間のような一部ハードウェアの制限があり、広帯域ＰＲＳを処理することができる。
【０２２７】
−タイプＣ：タイプＣの端末はプロセシング能力及び／又はバッテリー寿命時間のようなハードウェアの制限があり、狭帯域ＰＲＳのみを処理することができる。
【０２２８】
タイプＡの端末について、ＯＴＤＯＡ基盤の高いサンプリングレートと共に、多いＲＳＴＤ測定を使用して高い位置正確度を提供することは難しくない。しかし、タイプＢ又はタイプＣの端末のように、ハードウェアの制限を克服しつつ測位正確性を向上させる方案が必要である。
【０２２９】
ＮＲシステムにおけるＯＴＤＯＡ動作の場合、ＴＰ／基地局は広帯域基盤のＰＲＳを送信し、タイプＣの端末は広帯域基盤のＰＲＳの制限された部分のみを受信する可能性がある。従って、このようなタイプＣの端末の測位正確性を向上させるために、図１９(ａ)のように、タイプＣの端末が接続可能な周波数帯域幅のリソースブロック(Ｒｅｓｏｕｒｃｅ Ｂｌｏｃｋ；ＲＢ)について、高いＰＲＳ ＲＥ密度を設定することができる。
【０２３０】
タイプＢの端末の場合、測位の正確性を高めるために、より多い周波数帯域幅を利用することができるので、タイプＣの端末に比べて正確な測位性能を支援することができる。しかし、タイプＢの端末に広帯域ＰＲＳに基づくＯＴＤＯＡを支援することは、タイプＡの端末のような場合ではなく、ハードウェアの制限が存在する場合であるので、高い水準の測位正確性を提供するためには、深層的な研究が必要である。１つの方法として、ＯＴＤＯＡ基盤の高いサンプリングレートと低いサンプリングレートを共に活用する方法が考えられる。
【０２３１】
例えば、低いサンプリングレートで得たＰＲＳ測定値は演算複雑度を減少させ、ＲＳＴＤ測定を向上させるために、高いサンプリングレート基盤のＯＴＤＯＡ動作前にターゲット端末及び基地局／位置サーバーの全てに有用な先行情報として使用されることができる。低いサンプリングレート及び高いサンプリングレート基盤のＯＴＤＯＡは、ＵＥ具現の観点で支援されるか、又は様々なＢＷＰ(Ｂａｎｄｗｉｄｔｈ Ｐａｒｔ)のような柔らかいＮＲ帯域幅設定を補助するために狭い帯域幅及び広い帯域幅基盤のＰＲＳのような基地局設定により明示的に指示される。
【０２３２】
例えば、ＰＲＳ又はＰＲＳリソースの設定時、位置サーバー及び／又は基地局は時間及び／又は周波数リソースによってＰＲＳ ＲＥ密度を異なるように設定／指示することができる。例えば、基地局及び／又は位置サーバーが端末に特定のＰＲＳ又はＰＲＳリソースを設定する時、特定の帯域幅又は特定のＲＢのみに周波数軸を基準としてＰＲＳ ＲＥ密度を高く設定するか、或いは低く設定することができる。即ち、基地局及び／又は位置サーバーは特定のＰＲＳ及び／又はＰＲＳリソースの設定時、１つ以上のＰＲＳ ＲＥ密度を設定／指示することができる。１つ以上の夫々のＰＲＳ ＲＥ密度を設定しようとする帯域幅又はＲＢをビットマップなどの方式で設定／指示することができる。
【０２３３】
例えば、狭い帯域ＰＲＳのみを使用可能なタイプＣの端末が使用できる周波数のみにＰＲＳ ＲＥ密度を高く設定／割り当てることにより、タイプＣの端末の測位性能を向上させることができる。
【０２３４】
又は基地局及び／又は位置サーバーはＰＲＳ及び／又はＰＲＳリソースを端末に設定する時、ＰＲＳ周波数帯域幅及び／又はＰＲＳ ＲＢによってＰＲＳが繰り返して送信される回数を異なるように設定／指示することができる。即ち、ＰＲＳが送信される帯域幅で特定のＰＲＳ帯域幅及び／又はＲＢのみに時間軸基準でＰＲＳ密度を異なるように設定することができる。例えば、図１９(ｂ)のように、“ｈｉｇｈ ＲＥ ｄｅｎｓｉｔｙ ｒｅｇｉｏｎ”と表示された領域に該当するＰＲＳが繰り返して送信される回数が、“Ｌｏｗ ＰＲＳ ＲＥ ｄｅｎｓｉｔｙ”と表示された領域に該当するＰＲＳが繰り返して送信される回数より多くなるように設定される。
【０２３５】
他の例として、４つのスロットが１つのＰＲＳ機会を構成すると、４つのスロットで“ｈｉｇｈ ＰＲＳ ＲＥ ｄｅｎｓｉｔｙ”領域のＰＲＳが全部送信され、“ｌｏｗ ＰＲＳ ＲＥ ｄｅｎｓｉｔｙ”領域のＰＲＳは４つのスロットのうち、一部のみで送信されるように設定できる。
【０２３６】
一方、ＯＴＤＯＡを行うために、ターゲット端末と基地局／ＴＰのビーム関連性(ｂｅａｍ ｃｏｒｒｅｓｐｏｎｄｅｎｃｅ)を一致させる手順が必要である。このためにＮＲシステムのビーム管理手順(ｂｅａｍ ｍａｎａｇｅｍｅｎｔ ｐｒｏｃｅｓｓ)を活用するか、又はＯＴＤＯＡのために独立したビーム管理手順を別途に活用することもできる。
【０２３７】
より具体的には、ＯＴＤＯＡ基盤の測位のための端末と基地局／ＴＰの間のビームペア(ｂｅａｍ ｐａｉｒ)を探すために、ＲＳＲＰを最大とする端末−基地局の間のビームを探すことではなく、端末がＴｏＡが最も短いビームペアを探すように基地局又は位置サーバーが端末に設定／指示することができる。この時、図２０(ａ)のように、受信信号に対するｆｉｒｓｔ ｐｅａｋの位置にＴｏＡを決定することができる。即ち、複数のビームで受信されたＡ〜Ｈの信号のうち、ｆｉｒｓｔ ｐｅａｋの位置であるＡに基づいてＴｏＡを決定し、ｆｉｒｓｔ ｐｅａｋの位置に基づいてビームペアを探すことができる。
【０２３８】
但し、ｆｉｒｓｔ ｐｅａｋのＲＳＲＰが非常に小さいか又はノイズレベルが信号レベルよりも大きい場合は、ｆｉｒｓｔ ｐｅａｋに該当するビームペアで円滑な通信を行うことが難しい。従って、図２０(ｂ)のように、ＲＳＲＰが特定の臨界値以下である場合は、ｓｅｃｏｎｄ ｐｅａｋであるＢに基づいてＴｏＡを決定し、ｓｅｃｏｎｄ ｐｅａｋに基づいてビームペアを探すことができる。また端末は該当ＴｏＡについてのビームに関する情報を基地局及び／又は位置サーバーに報告しながら、該当ビームのＲＳＲＰなどのように受信強度に関する情報を一緒に報告することもできる。
【０２３９】
より具体的には、現在、ＮＲシステムのビーム管理手順を活用して、ビームペアを探す方案について説明する。例えば、Ｌ１−ＲＳＲＰ測定のためのＣＳＩ−ＲＳ、即ち、ビーム管理のためのＣＳＩ−ＲＳを活用することができる。基地局及び／又は位置サーバーは上位階層パラメータである“ｒｅｐｅｔｉｔｉｏｎ”が“ｏｎ”又は“ｏｆｆ”と設定された特定のＣＳＩ−ＲＳリソース集合に含まれたＣＳＩ−ＲＳリソースについて最小ＴｏＡに対応するＣＳＩ−ＲＳリソースインデックス及び／又はそれに対するＴｏＡ値を報告するように端末に指示／設定することができる。例えば、報告セット(ｒｅｐｏｒｔｉｎｇ ｓｅｔｔｉｎｇ)により端末に指示／設定される。
【０２４０】
具体的には、基地局及び／又は位置サーバーが３つのＴＰ(Ｔｒａｎｓｍｉｓｓｉｏｎ Ｐｏｉｎｔ)にｒｅｐｅｔｉｔｉｏｎが“ｏｆｆ”と設定された３つのＣＳＩ−ＲＳリソース集合をＴＰごとに１つずつ割り当てると、各ＣＳＩ−ＲＳリソース集合は複数のＣＳＩ−ＲＳリソースを含むことができる。ＴＰは各ＣＳＩ−ＲＳリソースを互いに異なる方向の送信ビームで送信する。また端末は各ＣＳＩ−ＲＳリソースについてＴｏＡを測定して、各ＣＳＩ−ＲＳリソース集合ごとにＴｏＡが最も短いＣＲＩ(ＣＳＩ−ＲＳ Ｒｅｓｏｕｒｃｅ ｉｎｄｉｃａｔｏｒ)を選択及び報告するように指示／設定される。各ＴＰは報告されたＣＲＩに対応する送信ビームを参照ビームとしてＰＲＳを送信する。
【０２４１】
また端末はＬ３−ＲＳＲＰ測定のためのＣＳＩ−ＲＳ及び／又はＳＳ／ＰＢＣＨブロックを活用して隣接基地局／ＴＰのＰＲＳビームの参照ビーム(ｒｅｆｅｒｅｎｃｅ ｂｅａｍ)を選択及び基地局に報告することができる。隣接セルの基地局／ＴＰで送信されるＳＳ／ＰＢＣＨブロックについてＴｏＡ測定を行い、ＴｏＡが最も短いＳＳ／ＰＢＣＨブロックインデックスを選択して基地局に報告することにより、隣接セルをＰＲＳ送信ビームを決定するための参照ビームとして活用することができる。
【０２４２】
一方、ＯＴＤＯＡのための独立したビーム管理手順の例示は以下の通りである。隣接基地局／ＴＰとターゲット端末の間のＴｘ／Ｒｘビーム関連性(ｂｅａｍ ｃｏｒｒｅｓｐｏｎｄｅｎｃｅ)を一致させるためにＰＲＳを活用することができる。基地局及び／又は位置サーバーは一部ＰＲＳ機会、ＰＲＳが送信される特定のスロット又はＰＲＳ送信の一部周期をＴｘ／Ｒｘビームを探す用途で端末に設定／指示することができる。かかるＴｘ／Ｒｘビームを探すために使用されるＰＲＳは、ＲＳＴＤ測定のために設定／指示されるＰＲＳとは別途に設定／指示され、ＲＳＴＤ測定のためのＰＲＳよりも時間及び／又は周波数軸へのＰＲＳ ＲＥ密度が低い。
【０２４３】
例えば、図２１のように、１２つのＴＰ／基地局の各々に対して１０つのＴｘビームスイーピング(ｂｅａｍ ｓｗｅｅｐｉｎｇ)が可能であれば、各ＴＰ／基地局ごとにＰＲＳリソース集合／グループを割り当て、各ＰＲＳリソース集合／グループごとに１０つのＰＲＳリソースを設定／割り当てることができる。各ＴＰ／基地局は１０つのシンボルの間に送信ビームスイーピング(ＴＸ ｂｅａｍ ｓｗｅｅｐｉｎｇ)を行いながら、各ＴＰ／基地局に対応するＰＲＳリソースを送信することができる。
【０２４４】
言い換えれば、制御チャネル領域である最初の２つのシンボルを除いて、１２つのＴＰ／基地局が単一のＲＢ内で毎シンボルごとに１つのＲＥを使用し、毎シンボルごとに異なるＰＲＳリソースに互いに異なる送信ビームでＰＲＳを送信することができる。
【０２４５】
端末は各ＴＰ／基地局で送信したＰＲＳリソース集合／グループでＴｏＡが最も短いＰＲＳリソースインデックスを基地局及び／又は位置サーバーに報告するように設定／指示される。なお、端末はＴｘ／ＲｘビームスイーピングのためのＰＲＳ機会及び／又はＰＲＳスロットの後に送信されるＰＲＳはＲＥ密度が２以上増加して設定／指示されることができ、端末はＴｘ／ＲＸビームスイーピングのために設定／指示されたＰＲＳ機会及び／又はＰＲＳスロット以外には、特定のＴＰ／基地局で同じ送信ビームでＰＲＳリソースが送信されると認知して、同じ送信ビームとのペアに適合する受信ビームを形成することができる。又は端末は端末が特定のＰＲＳリソースを受信するために適合する受信ビームを形成するように基地局及び／又は位置サーバーから設定／指示されることができる。
【０２４６】
各々のＴＰ／基地局又は特定のＴＰ／基地局グループごとにＰＲＳが送信されるＲＥパターンをＰＤＣＣＨが送信されるシンボルと連関して設計／定義／設定することにより、ＴＰ／基地局で送信されるＰＲＳが同じ時間−周波数リソースを使用することにより発生する干渉の問題を緩和することができる。例えば、総１２個のＴＰ／基地局を６個のＴＰ／基地局ずつ２つのグループに区分する場合、第１のグループはＰＤＣＣＨが送信される位置を１番目、２番目のシンボルに設定し、第２のグループはＰＤＣＣＨが送信されるシンボルを３番目、４番目のシンボルに設定することにより、２つのグループで１番目から４番目のシンボルには常に干渉が発生しないように設定することができる。
【０２４７】
実施例２：ＰＲＳリソース設定及びＰＲＳリソースグループ／集合の設定
【０２４８】
ＰＲＳリソースは、ＬＴＥ ＰＲＳの“ＰＲＳ−ＩＮＦＯ”のように独立したＰＲＳ ＩＤを有するＰＲＳに対する設定パラメータとして、以下に説明する設定パラメータのうちの１つ以上の組み合わせが設定／指示／定義される。ＬＴＥ ＰＲＳではＴＰ／基地局ごとに１つのＰＲＳが設定されるが、ＮＲシステムのためのＰＲＳリソースはＰＲＳリソース集合に含まれた１つの構成リソースである。また、特定のＴＰ／基地局で送信されるＰＲＳは複数のＰＲＳリソース及び／又は複数のＰＲＳリソースグループ／リソース集合(Ｒｅｓｏｕｒｃｅ ｇｒｏｕｐｓ／ｓｅｔｓ)単位で端末に設定／指示される。また、送信ビームスイーピング回数／周期が互いに異なるＴＰ／ｇＮＢ／基地局が互いに干渉せず、効果的にＰＲＳを送信するように、以下に説明するパラメータのうちの一部又は全部を活用してＰＲＳリソースを設定することが非常に重要である。これについては、後述する実施例３に具体的に説明する。
【０２４９】
−ＰＲＳ設定のためのパラメータ
【０２５０】
１)ＰＲＳ ＩＤ／インデックス又はＰＲＳリソースＩＤ／インデックス
【０２５１】
２)ＰＲＳ送信時間オフセット(ｔｒａｎｓｍｉｓｓｉｏｎ ｔｉｍｅ ｏｆｆｓｅｔ)
【０２５２】
：Ｘ(≧０)スロット／シンボルなどの単位で設定／指示される。ＰＲＳ送信時間オフセットは、各々のＴＰ／基地局の間のＰＲＳ送信時間オフセット、即ち、各々のＴＰ／基地局の間のＰＲＳ送信時間差を示すことである。例えば、ＰＲＳ送信時間オフセットは、第１ＴＰ／基地局がＰＲＳを送信する時間と第２ＴＰ／基地局がＰＲＳを送信する時間との差である。ここで、第１ＴＰ／基地局はサービングセル或いは参照セルに対応し、第２ＴＰ／基地局はサービングセル或いは参照セル以外の隣接セルに対応する。
【０２５３】
３)ＰＲＳ送信に関連する時間ドメイン動作(Ｔｉｍｅ-ｄｏｍａｉｎ ｂｅｈａｖｉｏｕｒ)
【０２５４】
：周期的ＰＲＳ送信／半永久的(Ｓｅｍｉ-Ｐｅｒｓｉｓｔｅｎｔ)ＰＲＳ送信／非周期的ＰＲＳ送信。もし、周期的ＰＲＳ送信が設定される場合、Ｘ(＞０)ｍｓ又はＹ(＞０)スロットなどのように時間又はスロット単位で送信周期が設定される。
【０２５５】
４)帯域幅情報(Ｂａｎｄｗｉｄｔｈ ｉｎｆｏｒｍａｔｉｏｎ)
【０２５６】
：例えば、占有されたＲＢインデックスで指示されるか、又は開始ＲＢインデックス及び占有されたＲＢの数で指示されることができる。もし占有されたＲＢインデックスで指示されると、ビットマップ形態で指示されることもできる。この時、ＢＷＰ ＩＤ又はシステム帯域幅情報が一緒に指示されるか、又は別途に指示されることもできる。
【０２５７】
５)時間／周波数ＲＥ密度(Ｔｉｍｅ／ｆｒｅｑｕｅｎｃｙ ＲＥ ｄｅｎｓｉｔｙ)
【０２５８】
：１つのＰＲＳリソースに含まれた複数のＰＲＳ ＲＥのための密度設定(ｄｅｎｓｉｔｙ ｃｏｎｆｉｇｕｒａｔｉｏｎｓ)は、ＲＢのような周波数リソースによって異なるか、又はシンボル／スロット／ブロックなどのような時間リソースによって異なる。例えば、中心ＲＢと中心ＲＢ以外の縁部ＲＢとの間のＲＥ密度差によってＰＲＳ ＲＥ密度が設定されることができる。
【０２５９】
６)占有されたシンボル情報(Ｏｃｃｕｐｉｅｄ ｓｙｍｂｏｌ(ｓ) ｉｎｆｏｒｍａｔｉｏｎ)
【０２６０】
：ＯＦＤＭシンボルの数又はシンボルインデックスで示される。
【０２６１】
７)占有されたＰＲＳシンボルのための周波数ＲＥオフセット
【０２６２】
：例えば、特定のＰＲＳリソースが含まれた全てのＯＦＤＭシンボルについて、シンボルごとの周波数搬送波ＲＥオフセットを設定することができる。及び／又は１つのＲＰＳリソースが含まれた全体ＯＦＤＭシンボルについて、１つの周波数ＲＥオフセットを設定／指示することができる。
【０２６３】
８)ＱＣＬ(Ｑｕａｓｉ Ｃｏ-Ｌｏｃａｔｉｏｎ)情報
【０２６４】
：例えば、ＲＳ及び／又はＲＳ集合情報で示される。例えば、ＲＳ及び／又はＲＳ集合／ＩＤで示される。
【０２６５】
９）端末の受信パネル情報(Ｒｘ ｐａｎｅｌ ｉｎｆｏｒｍａｔｉｏｎ)
【０２６６】
：例えば、受信パネルＩＤなどで示される。
【０２６７】
一方、互いに異なるＰＲＳリソースが同じ時間−周波数リソースを共有しても、ＰＲＳリソースＩＤ又はＰＲＳスクランブルＩＤは異なるように設定／指示することができる。例えば、同じ時間−周波数リソース(ｔｉｍｅ-ｆｒｅｑｕｅｎｃｙ Ｒｅｓｏｕｒｃｅ)を共有するＰＲＳリソースに互いに異なるＰＲＳリソースＩＤを割り当てて、各々のＰＲＳリソースが互いに異なるＰＲＳシーケンスを使用するようにすることにより、ＰＲＳリソースを区分することができる。
【０２６８】
このようにＰＲＳリソース単位でＰＲＳを設定することは、ＮＲシステムのように狭いビーム基盤の無線通信システムではより効率的である。ＬＴＥシステムは広いビーム基盤の無線通信システムであるので、ＰＲＳを設定する時、サービングセルのような参照セル(ｒｅｆｅｒｅｎｃｅ ｃｅｌｌ)及び隣接セル(ｎｅｉｇｈｂｏｒ ｃｅｌｌ)／ＴＰの各々について１つのＰＲＳのみを設定する。即ち、“ＰＲＳ−ＩＮＦＯ”を参照セル及び隣接セルごとに設定する。
【０２６９】
しかし、ＮＲシステムは特定のＴＰ／基地局が狭いビームに基づいて複数のビームをスイーピング(ｓｗｅｅｐｉｎｇ)するので、共通するビーム(ｃｏｍｍｏｎ ｂｅａｍ)でＰＲＳを送信するよりは、ＴＰ／基地局が狭いビーム(ｎａｒｒｏｗ ｂｅａｍ)でＰＲＳを送信する可能性が高い。特に、６ＧＨｚ以上の帯域では、ＴＰ／基地局が狭いビームでＰＲＳを送信する可能性がより高い。この時、互いに異なる送信ビームで送信されるＰＲＳはＴｏＡ／ＲＳＴＤ／ＲＳＲＰ／ＳＮＲなどの測定値が異なる可能性があるので、端末は各送信ビームで送信されるＰＲＳリソースを区分する必要がある。従って、各々の送信ビームで互いに異なるＰＲＳリソースを送信することができる。これにより、端末は互いに異なるＰＲＳリソースが互いに異なる送信ビームで送信されたことを認知することができる。この時、互いに異なるＰＲＳリソースが時間及び／又は周波数ＲＥリソースを共有することができるが、少なくともＰＲＳリソースＩＤ及び／又はＰＲＳシーケンスを異なるように設定して、端末がＰＲＳリソースを区分することができる。
【０２７０】
言い換えれば、本開示においてＰＲＳリソースが異なることは、ＰＲＳを送信するための時間／周波数リソースが異なる場合だけではなく、ＰＲＳ ＩＤ及び／又はＰＲＳシーケンスが異なる場合も含む。即ち、ＰＲＳリソースが異なるとは、送信されるＰＲＳに関連する時間／周波数リソース、ＰＲＳ ＩＤ及びＰＲＳシーケンスのうちのいずれか１つが異なることを意味する。
【０２７１】
また、１つ以上のＰＲＳリソースが１つのＰＲＳリソースグループ／集合で設定／指示することができる。特定のＰＲＳリソースグループ／集合に含まれたＰＲＳリソースは同じＴＰ／基地局で送信されると端末に設定／指示することができる。
【０２７２】
従って、複数の送信ビームを時間によって変更しながら使用する送信ビームスイーピング動作を行う無線通信システムでは、ＰＲＳリソース及び／又はＰＲＳリソース集合により送信ビーム及び／又はＴＰ／基地局を区分するように、ＰＲＳリソース及び／又はＰＲＳリソース集合を設定することができる。
【０２７３】
例えば、ＰＲＳリソース集合／グループＩＤは別に設定／指示されず、セル／ＴＰ／ＢＳＩＤに代替されることができる。例えば、ＰＲＳを設定する時、ＰＲＳリソースを特定の隣接セル／ＴＰ／ＢＳのＩＤと連動して設定し、特定のセル／ＴＰ／ＢＳ ＩＤに連動する複数のＰＲＳリソースを１つのＰＲＳリソースグループ／集合として判断／認知／設定することができる。即ち、セル／ＴＰ／ＢＳ ＩＤをＰＲＳリソース集合／グループＩＤと判断／認知／設定することができる。或いは、１つのＰＲＳリソース集合／グループ単位で特定のＴＰ／セル／ｇＮＢ情報と共に連動して端末に設定／指示することができる。
【０２７４】
一方、以下の実施例はＰＲＳリソースを設定する方法についての具現例を示す。
【０２７５】
(１)実施例２−１
【０２７６】
１つのＰＲＳリソースが使用／占有する時間／周波数リソース(例えば、時間／周波数ＲＥ)は、特定のＰＲＳリソースが設定／送信されるＲＢ(Ｒｅｓｏｕｒｃｅ ｂｌｏｃｋ)内で全ての副搬送波ＲＥを少なくとも１回以上使用し、ＰＲＳが設定／送信されるように基地局及び／又は位置サーバーによって端末に設定／指示される。このために、特定のＰＲＳリソースが設定される全てのシンボルについて、シンボルごとに周波数ＲＥオフセットが設定／指示される。
【０２７７】
１つのＰＲＳリソースは特定のＴＰ／基地局でＰＲＳを送信する時に使用する１つの送信ビームと１：１にマッピングされる。端末に互いに異なる送信ビームで送信されたＰＲＳについて、ＴｏＡ、ＲＳＴＤ、ＡｏＡなどの測定を送信ビームごとに個々に得て、報告するように指示／設定される。
【０２７８】
ＴｏＡ、ＲＳＴＤなどの測定を行うために、ＰＲＳ信号を相互相関(ｃｒｏｓｓ-ｃｏｒｒｅｌａｔｉｏｎ)してｆｉｒｓｔ ｐｅａｋを検出する時、ＰＲＳが特定の副搬送波で送信されない場合よりは、全ての副搬送波で送信された場合に、ｆｉｒｓｔ ｐｅａｋの検出がより正確かつ容易である。従って、特定のＰＲＳリソースが複数のシンボルで送信されることを考えると、ＰＲＳリソースマッピングに全ての副搬送波を使用した方がＰＲＳ測定の側面で有利である。
【０２７９】
(２)実施例２−２
【０２８０】
端末の受信パネル情報(Ｒｘ ｐａｎｅｌ ｉｎｆｏｒｍａｔｉｏｎ)は、ＰＲＳ測定に対するＰＲＳ報告設定(ｒｅｐｏｒｔｉｎｇ ｃｏｎｆｉｇｕｒａｔｉｏｎ)により設定／指示される。例えば、特定のＰＲＳリソース及び／又はＰＲＳリソース集合に対するＰＲＳ報告設定時、特定の受信パネルに関する測定情報を報告するように設定／指示することができる。例えば、ＰＲＳ報告設定によりＣＳＩフレームワークの報告設定(ｒｅｐｏｒｔｉｎｇ ｓｅｔｔｉｎｇ ｏｆ ＣＳＩ ｆｒａｍｅｗｏｒｋ)を報告するように設定／指示することができる。
【０２８１】
端末の受信パネル方向性によって各々のＴＰ／基地局が送信するＰＲＳ信号に対する受信性能が変わることができる。従って、端末の受信パネル方向によってＴＯＡ、ＲＳＴＤ及びＡｏＡなどの測定値が異なる可能性があるので、基地局が端末の受信パネル方向性を把握していると、基地局が端末に特定の受信パネルでＰＲＳを受信することを指示することが、複雑度、ＰＲＳ送受信のための時間遅延及び／又は性能の側面で有利である。
【０２８２】
(３)実施例２−３
【０２８３】
複数の受信パネルを含む端末の受信パネル情報を特に設定／指示しない場合、端末が選択的にＴｏＡ、ＲＳＴＤ及び／又はＡｏＡ値のような報告量(ｒｅｐｏｒｔｉｎｇ ｑｕａｎｔｉｔｙ)で基地局から指示された値を報告することができる。及び／又はＴｏＡ、ＲＳＴＤ報告である場合、複数のパネルで測定を行ったＴｏＡ及び／又はＲＳＴＤ値について測定値が最も小さいものを報告することができる。例えば、測定報告(ｍｅａｓｕｒｅｍｅｎｔ ｒｅｐｏｒｔｉｎｇ)のために基地局又は位置サーバーが端末に特に設定／指示しなくても、端末は最小のＴＯＡ及び／又は最小のＲＳＴＤ値に高い優先順位を与えて、それを報告することができる。
【０２８４】
(４)実施例２−４
【０２８５】
特に設定／指示がなくても、特定のＰＲＳリソースが設定されるＯＦＤＭシンボル区間の間に端末は送信ビームが同一であると判断／仮定することができる。又は特定のＰＲＳリソースが設定されるＯＦＤＭシンボル区間の間に端末は送信ビームが同一であると判断／仮定するように、基地局が明示的／暗黙的(ｉｍｐｌｉｃｉｔｌｙ／ｅｘｐｌｉｃｉｔｌｙ)に指示／設定することができる。
【０２８６】
上記実施例２の内容を整理すると、以下の通りである。
【０２８７】
１)ＰＲＳブロック(又はＰＲＳ機会)の‘設定
【０２８８】
：１つのＰＲＳブロックに１つの送信ビームが含まれた場合、各々のＴＰ／基地局のための１つのＰＲＳリソースが設定されるか、又は各々のＴＰ／基地局のための複数のＰＲＳリソースが設定される。もし複数のＰＲＳリソースを設定すると、端末の受信ビームスイーピング動作を明示的に設定／指示することができる。
【０２８９】
２)１つのＰＲＳブロックが１つ以上の信ビームに対応する場合、複数の送信ビームがＴＤＭされた場合のように、シングル送信パネルを使用すると、ＰＲＳブロック内の各々のＴＰ／基地局のための送信ビームの数が異なるか又は同一である。この時、各々の送信ビームは１つのＰＲＳリソースに対応するか、又は複数のＰＲＳリソースに対応する。
【０２９０】
一方、同じ時間／周波数リソースに複数の送信ビームが設定された場合のように多重送信パネルを使用する場合は、互いに異なるＰＲＳリソースが時間／周波数ＲＥを全部又は一部を共有して使用することができ、空間的に区分されることもできる。この時、互いに異なるＰＲＳリソースは同じＰＲＳシーケンスを使用するか、又は異なるＰＲＳシーケンスを使用する。
【０２９１】
ＬＴＥシステムのように、ＮＲシステムでもＰＲＳは複数のシンボル／スロット又は特定のブロックのグループ形態で送信／設定できる。しかし、ＮＲシステムでは、送受信端のビームスイーピング動作(ｂｅａｍ ｓｗｅｅｐｉｎｇ ｏｐｅｒａｔｉｏｎ)を考慮してＰＲＳ送信単位を設計／構成することが重要である。また、ＰＲＳ送信単位は同じＰＲＳブロックが繰り返される形態、又は互いに異なるＰＲＳブロックが繰り返される形態で設定される。
【０２９２】
以下、実施例１及び実施例２に記載した、ＰＲＳブロック構成を含むＰＲＳリソース割り当て方法、ＰＲＳ送受信ビーム設定方法及びＰＲＳ測定方法などの具体的な具現例について、実施例３乃至実施例７を参照しながら説明する。
【０２９３】
実施例３：ＰＲＳブロック設定
【０２９４】
ＰＲＳブロックは以下の要素で構成／定義され、基地局又は位置サーバーは以下のＰＲＳブロック情報のうちのいずれか１つのＰＲＳブロック情報により端末にＰＲＳブロックを設定／指示することができる。
【０２９５】
１)ＰＲＳを送信する連続又は分散したＯＦＤＭシンボルに関する情報
【０２９６】
：例えば、ＰＲＳ送信のために占有されたシンボルインデックス又はＰＲＳ送信のために占有されたシンボルの数を含む。
【０２９７】
２)物理セル／基地局／ＴＰ ＩＤ(ｓ)及び／又は連続するＯＦＤＭシンボルでＰＲＳを送信するセル／基地局／ＴＰの数
【０２９８】
３)ＰＲＳリソース情報、ＰＲＳリソースグループ／集合情報
【０２９９】
：例えば、ＰＲＳリソースＩＤ及び／又はＰＲＳリソース集合ＩＤ、ＰＲＳ送信のための時間／周波数リソース情報又は時間／周波数ＲＥマッピング情報が含まれる。ＰＲＳリソース集合は基地局／ＴＰごとに設定できる。言い換えれば、１つのＰＲＳリソース集合は１つの基地局／ＴＰについて設定される。
【０３００】
４)該当物理セル(Ｐｈｙｓｉｃａｌ ｃｅｌｌ)／基地局／ＴＰで使用する特定の送信ビームに対する明示的又は暗黙的な情報
【０３０１】
：例えば、１つ以上のＰＲＳリソースＩＤ、空間ＱＣＬ情報に関連する複数のＰＲＳリソースＩＤを含む。
【０３０２】
５)セル／基地局／ＴＰ及び／又はＰＲＳリソースごとの時間／周波数軸でのＰＲＳ ＲＥ密度に関する情報
【０３０３】
６)端末又は基地局の送受信パネルに関する情報及び／又は端末の送受信パネルＩＤなどのような送受信ビーム情報
【０３０４】
：例えば、特定のＰＲＳブロックで送信されるＰＲＳについて端末の特定の受信パネルのみで測定及び／又は報告の動作を行うと指示／設定できる。
【０３０５】
７)端末又は基地局の送受信ビーム情報(ＴＸ／ＲＸ ｂｅａｍ ｉｎｆｏｒｍａｔｉｏｎ)
【０３０６】
：ＰＲＳリソース及び／又はＰＲＳリソースグループ／集合に設定される空間ＱＣＬ参照情報などを含む。
【０３０７】
８)周波数再使用因子(Ｆｒｅｑｕｅｎｃｙ Ｒｅｕｓｅ ｆａｃｔｏｒ；Ｋ)
【０３０８】
：１つのＰＲＳブロック内の同一のＯＦＤＭシンボルでＰＲＳ ＲＥを送信する互いに異なるＴＰ／基地局／セルの数に関する情報である。ＬＴＥシステムの場合、６つのＴＰ／セルが同時にＰＲＳを送信する。例えば、周波数再使用因子(ｆｒｅｑｕｅｎｃｙ ｒｅｕｓｅ ｆａｃｔｏｒ)は６であり、ＰＲＳの周波数ＲＥ密度(ｆｒｅｑｕｅｎｃｙ ＲＥ ｄｅｎｓｉｔｙ)は２である。
【０３０９】
この時、周波数再使用因子は１つのＰＲＳブロックの特定のＯＦＤＭシンボルで同時に送信されるＰＲＳリソースの数であり、ＰＲＳリソースの周波数ＲＥ密度が(１２／Ｋ)に決定／設定／指示される。
【０３１０】
９)繰り返し因子(Ｒｅｐｅｔｉｔｉｏｎ ｆａｃｔｏｒ)
【０３１１】
：同一のＰＲＳ ＲＥパターン及び／又は特定のＰＲＳリソースを繰り返して送信するように設定／指示することができる。繰り返し因子(Ｒｅｐｅｔｉｔｉｏｎ ｆａｃｔｏｒ)は端末の受信ビームスイーピング及び／又は端末のコヒーレント受信結合(Ｃｏｈｅｒｅｎｔ Ｒｘ Ｃｏｍｂｉｎｉｎｇ)による受信ＳＮＲ／ＲＳＲＰ向上の動作をＰＲＳブロックグループレベルに考慮／設定／指示する場合、ＰＲＳブロックグループに対する設定パラメータとして使用される。ここで、コヒーレント受信結合とは、同じ受信ビームで複数回信号(例えば、ＰＲＳ)を受信して、ＳＮＲ／ＲＳＲＰなどを向上させる方法を意味する。
【０３１２】
１０)端末の受信ビームスイーピング回数
【０３１３】
：ターゲット端末の受信ビームスイーピング回数によって、１つのＰＲＳブロック又は１つのＰＲＳサブブロックが繰り返される回数が決定される。即ち、端末の受信ビームスイーピング因子(ｂｅａｍ ｓｗｅｅｐｉｎｇ ｆａｃｔｏｒ)は繰り返し因子の代わりに設定されることもできる。しかし、端末の受信ビームスイーピング(Ｒｘ ｂｅａｍ ｓｗｅｅｐｉｎｇ)回数がＮ回であっても、特定のターゲット端末とＴＰの間の距離を考慮して特定のＰＲＳブロック又はＰＲＳサブブロックを繰り返して送信することができるので、端末の受信ビームスイーピング因子及び繰り返し因子はそれぞれ独立して設定される。
【０３１４】
一方、本開示において、同一のＰＲＳリソースが繰り返して送信されないＰＲＳブロックをＰＲＳサブブロックという。即ち、ＰＲＳサブブロックは、ＰＲＳブロックの特別な場合である。本開示において、ＰＲＳ機会は端末の受信ビームスイーピング又はＰＲＳ送信に対する受信ＳＮＲ／ＲＳＲＰ増加のために、ＰＲＳブロックが繰り返される形態で構成／設定／指示される。
【０３１５】
但し、１つのＰＲＳブロックが送受信ビームスイーピング動作(ｂｅａｍ ｓｗｅｅｐｉｎｇ ｏｐｅｒａｔｉｏｎ)を全て考慮して特定のＰＲＳ ＲＥパターンが繰り返される形態である場合、１つのＰＲＳブロックを１つのＰＲＳ機会であると定義／解釈することができる。反面、ＮＲシステムにおいて、ＰＲＳ機会が特定の送受信ビームに連関する場合は、複数のＰＲＳブロックが繰り返される形態でＰＲＳ機会が定義／決定される。
【０３１６】
互いに異なるＰＲＳブロックは一部或いは全部の時間／周波数リソースを共有し、また互いに異なる送信ビームで送信される。同一のＯＦＤＭシンボルで互いに異なる周波数リソースに送信されることができる。上記ＰＲＳブロック／ＰＲＳサブブロック／ＰＲＳ機会は基地局及び／又は位置サーバーが端末に指示／設定することができる。
【０３１７】
(１)実施例３−１
【０３１８】
１つ以上のＴＰ／基地局が送信するＰＲＳ ＲＥが設定された連続するＯＦＤＭシンボルに関する情報及び／又は連続するＯＦＤＭシンボルでＰＲＳを送信するＴＰ／セル及び／又はＰＲＳリソースに関する情報を使用してＰＲＳ機会又はＰＲＳブロックを定義／構成することができる。ＰＲＳブロックに関する情報は、基地局又は位置サーバーが端末に設定／指示する。特定のＴＰ／基地局が１つのＰＲＳブロックの間に送信するＰＲＳは、ＰＲＳが設定されたＲＢの全ての周波数ＲＥを少なくとも１回以上使用するように設定される。言い換えれば、ＰＲＳブロック内で使用されない副搬送波ＲＥがないように、ＰＲＳブロックを構成／設定する。ＰＲＳブロックは同じＰＲＳブロックでＴＰ／基地局がＰＲＳを送信する送信ビーム情報が明示的／暗黙的に連結されて設定／定義される。それに基づいて、ＰＲＳブロックを以下のように構成／設定／指示することができる。
【０３１９】
１) ＰＲＳ ｂｌｏｃｋ ｃｏｎｆｉｇｕｒｅｄ ｗｉｔｈ ａ ｓｉｎｇｌｅ ＴＸ ｂｅａｍ ｏｆ ｅａｃｈ ＴＰ／ｇＮＢ
【０３２０】
基地局又は位置サーバーによって、特定のＴＰ／基地局が１つのＰＲＳブロック内で送信するＰＲＳは、同一の１つの送信ビームのみについて連関する。この場合、１つのＰＲＳブロックは１つ以上のＴＰ(ｓ)／基地局が同じ送信ビームでＰＲＳを送信する１つ以上のＯＦＤＭシンボルの集まりであり、１つ以上のＯＦＤＭシンボルに渡されて送信されたＰＲＳはＰＲＳ ＲＢの全ての副搬送波ＲＥを１回以上使用するように設定／構成される。
【０３２１】
この時、１つの送信ビームに１つのＰＲＳリソースが１：１マッピングされるように設定される。各々のＴＰ／基地局の可能な／必要な送信ビームスイーピングの数に相応するように、各々のＴＰ／基地局ごとに総ＰＲＳリソースの数が設定又は定義される。
【０３２２】
或いは１つの送信ビームに複数のＰＲＳリソースがマッピングされるように設定される。但し、ＰＲＳブロックで特定のＴＰ／基地局が１つの送信ビームのみを使用できるので、端末は別途の指示／設定がなくても、複数のＰＲＳリソースが同一の送信ビームに連関していることを認知することができる。この時、複数のＰＲＳリソースは特定のＰＲＳリソース集合／グループに含まれたＰＲＳリソースである。
【０３２３】
もし１つのＰＲＳブロックで特定のＴＰ／基地局が複数のＰＲＳリソース又はＰＲＳリソースグループ／集合を送信すると、ＰＲＳリソース又はＰＲＳリソースグループ／集合に同じ空間(ｓｐａｔｉａｌ)ＱＣＬが設定／指示されることができる。また、１つの送信ビームに複数のＰＲＳリソースをマッピングするように設定することで、端末が受信ビームを変更しながら、受信ビームごとにＴｏＡ、ＲＳＴＤなどの測定及び／又は報告を行うように設定／指示することができる。ＰＲＳリソース集合は基地局／ＴＰごとに設定される。即ち、１つのＰＲＳリソース集合は１つの基地局／ＴＰについて設定される。
【０３２４】
２) ＰＲＳ ｂｌｏｃｋ ｃｏｎｆｉｇｕｒｅｄ ｗｉｔｈ ｍｕｌｔｉｐｌｅ ＴＸ ｂｅａｍｓ ｏｆ ｅａｃｈ ＴＰ／ｇＮＢ
【０３２５】
ＰＲＳを送信する間にＴＰ／基地局が時間によって送信ビームを変更する送信ビームスイーピング動作を考慮してＰＲＳブロックが設計／構成／定義／設定される。例えば、同一のＰＲＳブロックによりＰＲＳを送信する全てのＴＰ／基地局の送信ビームスイーピングの周期を考慮してＰＲＳブロックを設定する。１つのＰＲＳブロックによりＰＲＳを送信するＴＰ／基地局の各々の送信ビームの数が全て同一であるか、異なるかによってＰＲＳブロックを構成するＯＦＤＭシンボルの数及び／又は時間／周波数ＲＥ密度(ｔｉｍｅ／ｆｒｅｑｕｅｎｃｙ ＲＥ ｄｅｎｓｉｔｙ)に対する設定或いは指示が異なる。例えば、１つのＰＲＳリソースが１つの送信ビームに連関するようにＰＲＳブロックが設定されるか、又は１つの送信ビームが複数のＰＲＳリソースに連関するようにＰＲＳブロックが設定される。
【０３２６】
この時、１つの送信ビームに１つのＰＲＳリソースが１：１マッピングされるように設定することができる。各ＴＰ／基地局の可能な／必要な送信ビームスイーピングの数に相応するように各ＴＰ／基地局ごとに総ＰＲＳリソースの数が設定又は定義される。
【０３２７】
或いは、１つの送信ビームに複数のＰＲＳリソースがマッピングされるように設定することもできる。１つのＰＲＳブロックで特定のＴＰ／基地局が１つ以上のＰＲＳリソース又は１つ以上のＰＲＳリソースグループ／集合を送信する場合、１つ以上のＰＲＳリソース又は１つ以上のＰＲＳリソースグループ／集合に同じ空間ＱＣＬが設定又は指示される。
【０３２８】
なお、１つの送信ビーム(ｓｉｎｇｌｅ ＴＸ ｂｅａｍ)に複数のＰＲＳリソースがマッピングされるように設定することにより、端末が受信ビームを変更しながら、受信ビームごとにＴｏＡ、ＲＳＴＤなどの測定及び／又は報告(ｍｅａｓｕｒｅｍｅｎｔ ａｎｄ／ｏｒ ｒｅｐｏｒｔｉｎｇ)を行うように設定／指示することができる。このために、ＰＲＳリソース又はＰＲＳリソースグループ／集合が同一の送信ビームにより送信されることを、別のパラメータを使用して端末に認知させることができる。例えば、ＣＳＩ−ＲＳリソース集合を設定する時、ＴＰ／基地局が同じ送信ビームを使用することを端末が仮定するように認知させるために使用する上位階層パラメータである“ｒｅｐｅｔｉｔｉｏｎ”(ｏｎ／ｏｆｆ)のような別の設定パラメータをＰＲＳリソース設定及び／又はＰＲＳリソース集合の設定にも使用することができる。
【０３２９】
ＰＲＳブロック又はＰＲＳリソースの時間／周波数ＲＥ密度(ｔｉｍｅ ａｎｄ／ｏｒ ｆｒｅｑｕｅｎｃｙ ＲＥ ｄｅｎｓｉｔｙ)は、基地局又は位置サーバーにより設定又は指示される。ＰＲＳブロック又はＰＲＳリソースの時間／周波数ＲＥ密度は、特定のＴＰ／基地局で必要なビームスイーピング範囲(ｂｅａｍ ｓｗｅｅｐｉｎｇ ｒａｎｇｅ)及び／又はターゲット端末と特定のＴＰ／基地局の間の距離を考慮してＰＲＳブロック及び／又はＰＲＳリソースを設定又は指示するときに基盤になる。特に、狭いビーム基盤の５Ｇシステムにおいて、効果的な端末の測位を支援するためにＰＲＳブロック又はＰＲＳリソースの時間／周波数ＲＥ密度に基づいてＰＲＳブロック及び／又はＰＲＳリソースを設定することが重要である。
【０３３０】
以下、上記内容に基づいて、ＰＲＳブロックを設定する方法に関する具体的な具現例を説明する。以下の具現例はＰＲＳがＵＥグループ特定の信号であることができることを仮定する。
【０３３１】
図２２(ａ)を参照すると、ターゲット端末は太い線で示された特定のセルに位置し、全ての周りのセルはターゲット端末にＰＲＳを送信する。
【０３３２】
ＢＳ１(ｂａｓｅ ｓｔａｔｉｏｎ １)とＢＳ２に焦点を当てると、ＢＳ１とＢＳ２はターゲット端末が位置する特定のセルにＰＲＳを送信する。図２２(ａ)から分かるように、この場合、必要なビームスイーピング範囲は大きくない。よって、ＢＳ１とＢＳ２はビームスイーピング無しに１つのビームによりＰＲＳを十分に送信することができる。
【０３３３】
また、ＢＳ１とＢＳ２はターゲット端末との距離及びビームスイーピング範囲が類似するので、測位を担当する基地局又は位置サーバーはＢＳ１とＢＳ２を１つのＰＲＳブロックで端末に設定／定義することができる。例えば、図２２(ｂ)のように周波数ＰＲＳ ＲＥ密度(ｆｒｅｑｕｅｎｃｙ ＰＲＳ ＲＥ ｄｅｎｓｉｔｙ)が６であるＰＲＳブロックを設定することができる。
【０３３４】
より具体的には、図２２(ｂ)の‘ＰＲＳ ｂｌｏｃｋ(ｃ)’を参照すると、各々の基地局／ＴＰで２つのＯＦＤＭシンボルの間に全ての副搬送波ＲＥを使用できるように、シンボルごとに各ＴＰ／基地局に設定されるＰＲＳ周波数オフセット(ｆｒｅｑｕｅｎｃｙ ｏｆｆｓｅｔ)を異なるように設定することができる。図２２(ｂ)の‘ＰＲＳ ｂｌｏｃｋ(ｃ)’は、図２２(ｂ)の‘ＰＲＳ ｂｌｏｃｋ(ｂ)’よりも相互相関の演算によりｆｉｒｓｔ ｐｅａｋを正確に測定できるので、ＰＲＳブロック及び／又はＰＲＳリソースが含まれる全てのＯＦＤＭシンボルについてシンボルごとの周波数ＲＥオフセットが設定されることが有利である。
【０３３５】
(２)実施例３−２
【０３３６】
ＰＲＳブロックはＰＲＳを送信する送信ビームスイーピングの数が同一であるＴＰ／基地局のみで設定又は指示される。例えば、互いに異なるＰＲＳリソースグループ／集合のうち、同じ数のＰＲＳリソースを有するＰＲＳリソースグループ／集合のみが１つのＰＲＳブロックに含まれるように設定又は指示される。また、ＰＲＳリソース集合は基地局／ＴＰごとに設定される。言い換えれば、１つのＰＲＳリソース集合は１つの基地局／ＴＰについて設定される。
【０３３７】
さらに１つのＰＲＳリソースが占有する時間／周波数リソース(例えば、時間／周波数ＲＥ)は、特定のＰＲＳリソースが送信されるＲＢ(Ｒｅｓｏｕｒｃｅ ｂｌｏｃｋ)内に含まれた全ての副搬送波ＲＥが少なくとも１回以上使用されるように割り当てられた場合にのみ、ＰＲＳブロックを設定することができる。
【０３３８】
例えば、図２３(ａ)を参照すると、ＢＳ３、ＢＳ４及びＢＳ５でＰＲＳを送信する。ＢＳ３、ＢＳ４及びＢＳ５はＢＳ１とＢＳ２よりもビームスイーピング範囲が広いので、１つの送信ビームに基づいてＰＲＳを送信すると、カバレッジの問題が発生する可能性があるので、多重送信ビームスイーピング動作(ｍｕｌｔｉｐｌｅ ＴＸ ｂｅａｍ ｓｗｅｅｐｉｎｇ ｏｐｅｒａｔｉｏｎ)が必要である。もし、図２３(ｂ)のように、各々のＢＳが２回の送信ビームスイーピングによりＰＲＳを送信し、１つの送信ビーム当たりに３つのＯＦＤＭシンボルを使用し、周波数軸でＰＲＳ ＲＥ密度を４に設定し、周波数軸で同間隔に設定されると、６つのＯＦＤＭシンボルが含まれたＰＲＳブロックを設定することができる。
【０３３９】
この場合、各々の基地局／ＴＰの観点でシンボルごとに周波数軸上でＰＲＳ ＲＥオフセットを異なるように設定することで、全ての副搬送波ＲＥが３つのシンボルの間に占有されるように設定することができる。例えば、ＢＳ５の場合、３シンボルの間に各々ＰＲＳ副搬送波ＲＥオフセットを０、１、２に設定すると、図２３(ｂ)のように設定される。また、送信ビーム＃１と送信ビーム＃２に連関するＰＲＳは異なるビームを区分するために時間／周波数リソースを共有しても、ＰＲＳリソースＩＤ又はＰＲＳスクランブルＩＤなどは異なる。また図２５(ａ)に示したように、基地局又は位置サーバーは端末に時間／周波数リソースが完全に独立するように互いに異なるＰＲＳリソースを設定又は指示する。
【０３４０】
即ち、端末は送信ビーム＃１から送信されたＰＲＳと送信ビーム＃２から送信されたＰＲＳについて、各々相互相関の演算を行ってＴｏＡを測定又は推定する。
【０３４１】
また図２２(ａ)及び図２３(ａ)のＢＳ１とＢＳ２は、ＢＳ３、ＢＳ４及びＢＳ５よりもターゲット端末とＴＰ／基地局との間の距離が遠いので、受信ＳＮＲ／ＲＳＲＰを向上させるために、図２２(ｂ)の‘ＰＲＳ ｂｌｏｃｋ(ｃ)’のようなＰＲＳブロック構成が繰り返される形態で１つのＰＲＳブロック及び／又はＰＲＳブロックグループ／集合を構成することができる。
【０３４２】
(３)実施例３−３
【０３４３】
図２４を参照すると、ＰＲＳ設定時、特定のＰＲＳ ＲＥパターン又は特定のＰＲＳリソースが１つのＰＲＳブロックグループ(又はＰＲＳ機会)内で繰り返されるように設定又は指示することができる。例えば、ＰＲＳブロック及び／又はＰＲＳブロックグループに対する設定／指示パラメータとして“ｒｅｐｅｔｉｔｉｏｎ ｆａｃｔｏｒ”を使用して１つのＰＲＳブロックのようなＰＲＳ送信パターンを同一にＮ回繰り返すように別途の独立した設定パラメータ(例えば、“ｒｅｐｅｔｉｔｉｏｎ ｆａｃｔｏｒ”)により設定することができる。特に、ＰＲＳブロックグループを設定する時、同じＰＲＳがＮ回繰り返されるようにする明示的設定パラメータ(ｅｘｐｌｉｃｉｔ ｃｏｎｆｉｇｕｒａｔｉｏｎ ｐａｒａｍｅｔｅｒ)(例えば、ｒｅｐｅｔｉｔｉｏｎ ｆａｃｔｏｒ)を使用してＰＲＳブロックグループ内でＰＲＳブロックがＮ回繰り返されるように設定又は指示することができる。ここで、ＰＲＳブロックは少なくとも１つのＰＲＳリソースを含む。例えば、ＰＲＳブロックは少なくとも１つの基地局／ＴＰ／セルのためのＰＲＳリソース集合を含む。従って、１つのセル／基地局／ＴＰの観点でＰＲＳブロックはＰＲＳリソース集合と同じ意味である。この時、ＰＲＳブロックに含まれた少なくとも１つのＰＲＳリソースの反復は位置サーバーが基地局及び／又は端末に設定するか、又は基地局が端末に設定することができる。即ち、１つのＰＲＳに含まれた少なくとも１つのＰＲＳリソースが繰り返されるＰＲＳブロックグループの時間区間は、少なくとも１つのＰＲＳリソース区間にｒｅｐｅｔｉｔｉｏｎ ｆａｃｔｏｒ‘Ｎ’を乗じた値以上である。なお、上記ＰＲＳブロックグループはＰＲＳ機会と同じ意味で使用することができる。言い換えれば、ＰＲＳ機会はＰＲＳリソース集合／ＰＲＳブロックが送信される送信周期と同じ区間を有し、ＰＲＳ機会区間内でＰＲＳリソース集合／ＰＲＳブロックに含まれた少なくとも１つのＰＲＳリソースが‘Ｎ’だけ繰り返される。即ち、ＰＲＳ機会／ＰＲＳブロックグループの全体時間区間内に少なくとも１つのＰＲＳリソースが‘Ｎ’だけ繰り返される形態で割り当てられ、‘Ｎ’だけ繰り返され、残りの区間ではＰＲＳリソースが送信されない。またＰＲＳリソース集合は基地局／ＴＰごとに設定される。言い換えれば、１つのＰＲＳリソース集合は１つの基地局／ＴＰについて設定される。
【０３４４】
なお、ＰＲＳブロック及び／又はＰＲＳブロックグループが周期的に送信される時、特定の周期に送信されるＰＲＳブロック及び／又はＰＲＳブロックグループについてＰＲＳブロックのようなＰＲＳ送信パターンが繰り返される回数を設定することができる。また端末が受信ビーム(Ｒｘ ｂｅａｍ)をＮ回変更しながらＮ回繰り返して送信されるＰＲＳブロックのＰＲＳリソースについて、ＴｏＡ、ＲＳＴＤ及び／又はＡｏＡなどの測定及び／又は報告(ｍｅａｓｕｒｅｍｅｎｔ ａｎｄ／ｏｒ ｒｅｐｏｒｔｉｎｇ)を行うように設定又は指示することができる。
【０３４５】
実施例３−３は狭いビーム基盤のＮＲシステムにおいて測位動作(ｐｏｓｉｔｉｏｎｉｎｇ ｏｐｅｒａｔｉｏｎ)の支援に有利である。図２５(ａ)及び図２５(ｂ)において、ＢＳ１／ＢＳ２のターゲット端末との距離は、ＢＳ３／ＢＳ４／ＢＳ５のターゲット端末との距離よりも相対的に遠いので、複数回繰り返して送信することによりＰＲＳの受信ＳＮＲ又は性能を改善する必要がある。
【０３４６】
このために、図２５(ｂ)のように、ＢＳ１とＢＳ２はＢＳ３、ＢＳ４、ＢＳ５よりもビームスイーピングの数が少ない代わりに、ＢＳ１及びＢＳ２で送信するＰＲＳを３回繰り返して、受信ＳＮＲ／性能を向上させることができる。また、図２５(ｂ)を参照すると、ＢＳ２に連関するＰＲＳブロック(即ち、ＰＲＳ ＲＥパターン)が繰り返して送信される。この時、ＢＳ２で送信するＰＲＳリソース＃１が６つのＯＦＤＭシンボルの間に渡される(ｓｐａｎ)ように設定することにより、ＢＳ３、ＢＳ４、ＢＳ５で送信されるＰＲＳで構成されたＰＲＳブロックと同様に６つのシンボルに渡されて(ｓｐａｎ)送信することができる。
【０３４７】
一方、図２４及び図２５を参考すると、図２４においてＰＲＳ機会内でＰＲＳリソースが繰り返される具体的な例示について説明する。図２５(ａ)を参照すると、１つのＰＲＳリソース集合に含まれたＰＲＳリソース＃１とＰＲＳリソース＃２が隣接して割り当てられる。このようにＰＲＳリソース＃１とＰＲＳリソース＃２が隣接して割り当てられた集まりが、図２４のようにＰＲＳ機会内で繰り返し因子‘Ｎ’だけ繰り返して送信される。一方、図２５(ｂ)のように、ＰＲＳリソース集合に含まれたＰＲＳリソース＃１がＰＲＳ機会内で繰り返し因子‘Ｎ’だけ繰り返して送信される。
【０３４８】
ここで、１つのＰＲＳリソースは１つの送信ビームに連関する。例えば、ＰＲＳリソース＃１は送信ビーム＃１に連関し、ＰＲＳリソース＃２は送信ビーム＃２に連関する。従って、例えば、４つの送信ビームを使用すると、ＰＲＳリソース＃１乃至ＰＲＳリソース＃４を使用することができ、ＰＲＳリソース＃１乃至ＰＲＳリソース＃４が隣接した形態の集まりがＰＲＳ機会内で繰り返し因子‘Ｎ’だけ繰り返して送信される。
【０３４９】
(４)実施例３−４
【０３５０】
ＰＲＳブロックを構成するＰＲＳ又はＰＲＳリソースの周波数ＲＥ密度は、ＲＥ／シンボル／ＲＢ単位で互いに依存して連関しながら設定される。ＰＲＳブロックを構成するＰＲＳ又はＰＲＳリソースの周波数ＲＥ密度は１つのＯＦＤＭシンボルで同時にＰＲＳを送信するＴＰ／基地局の数によって基地局又は位置サーバーが端末に設定又は指示される。例えば、同じシンボルによりＰＲＳを送信するＴＰ／基地局の数がＭであると、周波数ドメインでＰＲＳ ＲＥ密度が１２／Ｍ ＲＥ(或いはシンボル、ＲＢ)に設定又は指示される。
【０３５１】
又はＰＲＳブロックを構成するＰＲＳ又はＰＲＳリソースの周波数ＲＥ密度はＲＥ／シンボル／ＲＢ単位であり、１つのＯＦＤＭシンボルで同時に送信されるＰＲＳリソースの数によって基地局又は位置サーバーが端末に設定又は指示することができる。例えば、同じシンボルで送信されるＰＲＳリソースがＭ個であると、周波数ドメインで各ＰＲＳリソースに該当するＰＲＳ ＲＥ密度が１２／Ｍ ＲＥ(又はシンボル／ＲＢ)に設定又は指示される。
【０３５２】
この場合、ターゲット端末との距離が相対的に遠いＴＰ／基地局はターゲット端末との距離が短いＴＰ／基地局よりも必要なビームスイーピング範囲が相対的に狭い。しかし距離が相対的に遠いＴＰ／基地局はターゲット端末の受信ＰＲＳに対するＳＮＲ／ＲＳＲＰを確保するために、繰り返し(ｒｅｐｅｔｉｔｉｏｎ)の回数を増やす必要がある。従って、多い送信ビームスイーピングが必要なＴＰ／基地局が送信するＰＲＳのためのＰＲＳブロックを構成する時には、ＰＲＳ ＲＥ密度を高く設定し、必要な送信ビームスイーピング回数が少ないＴＰ／基地局にはＰＲＳブロックを構成する時、ＰＲＳ ＲＥ密度を低く設定する。この時、ＴＰ／基地局が送信するＰＲＳはＰＲＳリソース及び／又はＰＲＳリソース集合になる。またＰＲＳリソース集合は基地局／ＴＰごとに設定される。即ち、１つのＰＲＳリソース集合は１つの基地局／ＴＰについて設定される。
【０３５３】
(５)実施例３−５
【０３５４】
ＰＲＳブロックを構成するＰＲＳリソースごとに互いに異なる時間ドメインＰＲＳ ＲＥ密度及び／又は周波数ＰＲＳ ＲＥ密度が設定又は指示される。例えば、同一のＰＲＳブロックを用いてＰＲＳを送信する複数のＴＰ／基地局の各々の送信ビームごとのＰＲＳの周波数ドメインＰＲＳ ＲＥ密度及び／又は時間ドメインＰＲＳ ＲＥ密度を異なるように設定又は指示することができる。
【０３５５】
１つのＰＲＳブロックを構成するＰＲＳリソースの周波数ＲＥ密度は、ＰＲＳブロックを用いてＰＲＳを送信しながら時間によって変更する送信ビームスイーピングの回数に連関又は連動して設定又は指示される。各ＰＲＳリソースの周波数ＲＥ密度及び送信ビームスイーピング回数によって、各ＰＲＳリソースが含まれるＯＦＤＭシンボル数及び／又はＰＲＳブロックのＯＦＤＭシンボル区間(ｓｙｍｂｏｌ ｄｕｒａｔｉｏｎ)が連関して設定又は指示される。
【０３５６】
例えば、上述したように、“１つのＰＲＳリソースが使用する周波数副搬送波ＲＥ(ｆｒｅｑｕｅｎｃｙ ｓｕｂｃａｒｒｉｅｒ ＲＥ)は、特定のＰＲＳリソースが設定されるＲＢ内でＰＲＳ送信のために全ての副搬送波ＲＥが少なくとも１回以上使用すること”を満たすために最小限必要なＯＦＤＭシンボル区間が使用されるように、ＰＲＳブロック及び／又はＰＲＳリソースが渡されて(ｓｐａｎ)割り当てられるＯＦＤＭシンボル区間が設定される。
【０３５７】
１つのＰＲＳブロックで送信ビームスイーピング回数が多いＴＰ／ｇＮＢ／基地局で送信されるＰＲＳリソースが送信ビームスイーピング回数が少ないＴＰ／ｇＮＢ／基地局で送信されるＰＲＳリソースよりも周波数ＲＥ密度が相対的に高く設定又は指示される。例えば、１つのＰＲＳブロックを構成するＰＲＳリソースのうち、特定のＴＰ／ｇＮＢ／基地局に連関するＰＲＳリソースの数が多い場合、該当ＰＲＳリソースは相対的に高い周波数ＲＥ密度が設定される。言い換えれば、１つのＰＲＳリソースグループ／集合が単一のＴＰ／ｇＮＢ／基地局に連関し、このＰＲＳリソースグループ／集合に含まれたＰＲＳリソースがＴＰ／ｇＮＢ／基地局の送信ビームに相応することを考慮した時、１つのＰＲＳブロックに含まれたＰＲＳリソースのうち、特定のＰＲＳリソースグループ／集合に含まれたＰＲＳリソースの数が他のＰＲＳリソースグループ／集合に含まれたＰＲＳリソースの数より多いと、特定のＰＲＳリソースグループ／集合に含まれたＰＲＳリソースに相対的に高い周波数ＲＥ密度が設定又は指示される。
【０３５８】
例えば、特定のＰＲＳブロックを使用してＰＲＳを送信する複数のＴＰ／ｇＮＢ／基地局を考慮する時、各々のＴＰ／ｇＮＢ／基地局でＰＲＳを送信するために時間によって変更する送信ビームスイーピング回数によってＴＰ／ｇＮＢ／基地局で送信されるＰＲＳリソースの周波数ＲＥ密度が反比例に設定又は指示される。例えば、同じＰＲＳブロックにおいてＰＲＳを送信するための２つの基地局の送信ビームスイーピング回数が各々ＭとＮである場合、２つの基地局で送信するＰＲＳリソースの周波数ＲＥ密度の比率がＮ：Ｍになるように設定又は指示される。
【０３５９】
図２６(ａ)の左側を参照すると、１つのＰＲＳブロックでＰＲＳ送信のための各々のＴＰ／ｇＮＢ／ＢＳの送信ビームスイーピングが同一ではない場合、ＴＰ／ＢＳ＃１の送信ビームスイーピング回数が４回、ＴＰ／ＢＳ＃２、ＴＰ／ＢＳ＃３の送信ビームスイーピング回数が各々２回であるＰＲＳブロックを示している。
【０３６０】
図２６(ａ)の右側図及び図２６(ｂ)は、各々のＴＰ／ＢＳごとにＰＲＳリソースが占有される時間／周波数リソースを示している。図２６を参照すると、ＴＰ／ＢＳ＃１で送信する４つのＰＲＳリソースの周波数ＲＥ密度は６であり、ＴＰ／ＢＳ＃２及びＴＰ／ＢＳ＃３の２つのＰＲＳリソースの周波数ＲＥ密度は３である。即ち、図２６において、ＴＰ／ＢＳ＃１はＴＰ／ＢＳ＃２、ＴＰ／ＢＳ＃３よりも送信ビームスイーピング回数が２倍であるので、周波数ＲＥ密度を２倍小さく設定することができる。
【０３６１】
(６)実施例３−６
【０３６２】
基地局又は位置サーバーは１つ以上のＰＲＳブロックを纏めて、１つのＰＲＳブロックグループ／集合(ｂｌｏｃｋ ｇｒｏｕｐ／ｓｅｔ)に設定／定義／指示する。
【０３６３】
ＰＲＳブロックグループは複数のＰＲＳブロックが繰り返して送信されるように設定又は指示される。複数のＰＲＳブロックのうち、各々のＰＲＳブロックがＰＲＳブロックグループ内で繰り返して送信される回数を個々に設定又は指示することができる。例えば、１つのＰＲＳブロックグループは特定のＰＲＳブロックが繰り返される形態で示されるが、かかる反復は端末の受信ビームスイーピングに連動して設定される。端末がＰＲＳブロックごとに受信ビームを変更しながらＰＲＳを受信する時、同じパターンのＰＲＳブロックを受信して、ＰＲＳブロックに含まれたＰＲＳリソースの各々の受信ビームごとのＲＳＴＤ、ＴＯＡ、ＡｏＡ測定を行うことができる。又は基地局とターゲット端末との距離を考慮して、受信ＳＮＲの増大のために特定のＰＲＳブロックが繰り返されるように設定することができる。
【０３６４】
上述したように、ＰＲＳブロックの繰り返し送信は、端末のＰＲＳ受信ＳＮＲ／ＲＳＲＰ性能を向上させ、端末が互いに異なる受信ビームを使用して１つのＰＲＳブロックに含まれたＰＲＳを受信して端末の受信ビームごとのＲＳＴＤ、ＴｏＡ及び／又はＡｏＡなどの測定を得ることができる。
【０３６５】
一方、ＰＲＳブロックグループ／集合内で繰り返されるＰＲＳブロックは、時間上連続しない。もちろん、ＰＲＳブロックは連続して繰り返される。例えば、連続するスロットにおいて、特定のＰＲＳブロックが繰り返して送信されても、ＰＤＣＣＨが送信される領域及び／又はスロットフォーマットによりＰＲＳブロックグループ／集合に上りリンク領域(ｕｐｌｉｎｋ ｒｅｇｉｏｎ)がある場合は、ＰＲＳブロックが分散(ｄｉｓｔｒｉｂｕｔｅｄ)して繰り返して送信される。
【０３６６】
またＰＲＳブロックグループ設定パラメータとして、１つ以上の互いに異なるＰＲＳブロックインデックス又は互いに異なるＰＲＳブロックＩＤが含まれる。
【０３６７】
ＰＲＳはＰＲＳブロックグループ／集合を１つの送信単位として周期的に送信される。例えば、ＰＲＳブロックグループを設定する時、ＰＲＳブロックグループ／集合単位でＰＲＳ送信のための送信周期(ｔｒａｎｓｍｉｓｓｉｏｎ ｐｅｒｉｏｄｉｃｉｔｙ)を設定又は指示することができる。この時、ＰＲＳブロックグループごとに送信される周期が異なる可能性があり、ＰＲＳブロックグループ／集合の設定時、ＰＲＳブロックグループの間の衝突を防止するために、周期に関する時間オフセット情報を設定又は指示することができる。例えば、時間オフセットはＯＦＤＭシンボルオフセット、スロットオフセットなどで設定又は指示される。
【０３６８】
特定のＰＲＳブロックグループは端末の特定の受信パネル及び／又は受信ビーム(Ｒｘ ｐａｎｅｌ ａｎｄ／ｏｒ ＲＸ ｂｅａｍ)に連関して設定又は指示される。例えば、端末の受信パネルごとに互いに異なるＰＲＳブロックグループが設定又は指示される。ＰＲＳブロックグループ／集合は複数の互いに異なるＰＲＳブロックを含み、ＰＲＳブロックグループ／集合内で各々のＰＲＳブロックが繰り返される回数を設定又は指示する。互いに異なるＰＲＳブロックによっては互いに異なる基地局／ＴＰ／ｇＮＢがＰＲＳを送信することができる。もし、互いに異なるＰＲＳブロックで同じ基地局／ＴＰ／ｇＮＢがＰＲＳを送信する場合、ＰＲＳブロックごとにＰＲＳ送信ビームが異なる。例えば、同じＰＲＳリソースグループ／集合内に含まれた互いに異なるＰＲＳリソースは互いに異なるＰＲＳ送信ビームに連関する。
【０３６９】
４．実施例４：ＰＲＳ送信ビーム設定
【０３７０】
狭いビーム基盤のＮＲシステムにおいて、ＰＲＳが送信される送信ビーム情報は効果的な端末測位を支援するために必要である。例えば、全てのセル／地域における端末について端末位置測定／推定を行うことではなく、図２７(ａ)のように、ターゲット端末が２つグループに区分された場合を仮定する。この時、図２７(ａ)のＢＳ１及びＢＳ２がターゲット端末グループ＃１及びターゲット端末グループ＃２にＰＲＳを送信する時、必要な送信ビームのみを考慮してＰＲＳを送信することが効果的である。言い換えれば、図２７(ａ)に示されているように、必要な送信ビームスイーピング範囲に基づいてターゲット端末グループ＃１に２つの送信ビームを使用してＰＲＳを送信し、ターゲット端末グループ＃２に１つの送信ビームを使用してＰＲＳを送信することができる。
【０３７１】
従って、ＢＳ１が全方向に送信ビームスイーピングを行う必要がなく、ＢＳ１で送信可能な全てのＰＲＳリソースのうち、図２７(ａ)の右側に示されているように、実線で表されたビーム又はそれに連関するＰＲＳリソースのみを使用するように基地局が位置サーバーに知らせるか、又は位置サーバーが基地局に知らせることができる。
【０３７２】
(１)実施例４−１
【０３７３】
基地局／位置サーバーが位置サーバー／基地局にＮＲＰＰａ(Ｎｅｗ Ｒａｄｉｏ Ｐｏｓｉｔｉｏｎｉｎｇ Ｐｒｏｔｏｃｏｌ Ａ)などのプロトコルにより特定のＴＰ／ｇＮＢ／セルでＰＲＳ送信のための送信ビームに関する情報を設定又は指示することができる。例えば、特定のＴＰ／基地局でＰＲＳを送信する送信ビーム方向に関する情報を設定又は指示することができる。この時、送信ビーム方向に関する情報は、送信ビーム方向に関する角度情報である。そのために、基地局／位置サーバーは特定のＴＰ／ｇＮＢ／セルで使用可能なＰＲＳリソース集合又はＰＲＳリソースのうち、１つ以上の特定のＰＲＳリソースのみを使用するように、リソース集合又はＰＲＳリソースのうち、特定のＰＲＳリソースのみを使用するように、位置サーバー／基地局に設定又は指示することができる。例えば、ＰＲＳリソース集合は基地局／ＴＰごとに設定される。即ち、１つのＰＲＳリソース集合は１つの基地局／ＴＰについて設定される。
【０３７４】
例えば、特定のＰＲＳグループに含まれた複数のＰＲＳリソースがＴＰ／基地局で互いに異なる方向に送信されるビームの各々について連関しており、それに関する情報を基地局及び／又は位置サーバーが認知することができる。従って、図２７(ａ)のように、ＮＲＰＰａなどのプロトコルにより特定のＴＰ／ｇＮＢ／基地局で必要な方向のみにＰＲＳが送信されるように、基地局／位置サーバーが位置サーバー／基地局に１つ以上の特定のビーム方向に連関する１つ以上のＰＲＳリソースのみを使用できるように設定又は指示することができる。
【０３７５】
また狭いビーム基盤の無線システムでは、端末が各々のＴＰ／ｇＮＢ／基地局から全方向に送信されるＰＲＳを受信することは、受信ＲＳＲＰ／ＳＮＲが非常に低いか又はＴｏＡ／ＲＳＴＤ測定正確度の問題があり得るので、不要である。さらに全方向に送信されるＰＲＳを受信すると、それによる遅延(ｌａｔｅｎｃｙ)及びオーバーヘッド(ｏｖｅｒｈｅａｄ)の問題が増加する可能性があるので、効果的なＰＲＳ設定及びＰＲＳ設定に基づく効果的な測定を行う必要がある。
【０３７６】
そのために、基地局／位置サーバーが位置サーバー／基地局に知らせたターゲット端末及び／又はターゲット端末グループに関する情報及びそれらに連関する各々のＴＰ／ｇＮＢ／基地局の送信ビーム情報に基づいて、位置サーバーがＰＲＳリソースを端末−特定(ｓｐｅｃｉｆｉｃ)及び／又は端末グループ−特定(ＵＥ ｇｒｏｕｐ ｓｐｅｃｉｆｉｃ)に設定することにより、端末が不要な隣接セル／ＴＰ／基地局及び／又はサービングセル／ＴＰ／基地局の送信ビームを考慮しないことができる。
【０３７７】
例えば、図２７(ｂ)を参照すると、ターゲット端末グループ＃１、＃２、＃３があり、ターゲット端末グループにＰＲＳを送信する基地局のうち、ＢＳ１があると仮定する。ターゲット端末グループ＃３はＢＳ１の立場で１つの送信ビーム(ｓｉｎｇｌｅ ＴＸ ｂｅａｍ)によりＰＲＳを送信できるので、１つの送信ビームに対応するＰＲＳリソースのうち、ＰＲＳリソース＃１のみをターゲット端末グループ＃３に設定することができる。反面、ターゲット端末グループ＃２にはＰＲＳリソース＃１、＃２、＃３を設定し、ターゲット端末グループ＃１にはＰＲＳリソース＃４、＃５、＃６を設定することができる。
【０３７８】
(２)実施例４−２
【０３７９】
基地局、位置サーバー又は測位動作(Ｐｏｓｉｔｉｏｎｉｎｇ ｏｐｅｒａｔｉｏｎ)を担当する基地局は、参照セル／ＴＰ／基地局及び／又は隣接セル／ＴＰ／基地局でＰＲＳが送信される送信ビーム情報及び／又は送信ビームグループ情報を端末に設定又は指示することができる。この時、送信ビーム情報及び／又は送信ビームグループ情報は、各送信ビームに関する角度情報を含む。例えば、各送信ビームに関する角度情報はＡｏＡ或いはＡｏＤ(Ａｎｇｌｅ ｏｆ Ｄｅｐａｒｔｕｒｅ)に関する情報である。またＡｏＡ又はＡｏＤに関する情報は水平角に関する情報及び垂直角に関する情報を含む。ＡｏＡ或いはＡｏＤに関する情報は１つ以上のＧＣＳ(Ｇｒｏｕｎｄ Ｃｏｎｔｒｏｌ Ｓｔａｔｉｏｎ)又はＬＣＳ(Ｌｏｃａｔｉｏｎ Ｓｅｒｖｉｃｅ)に連関する。
【０３８０】
一方、ＰＲＳが送信される送信ビーム関連設定及び／又はＰＲＳリソースに関連する設定は、端末−特定及び／又は端末グループ−特定に設定又は指示される。例えば、基地局又は位置サーバーが端末に参照セル／ＴＰ／基地局及び／又は隣接セル／ＴＰ／基地局に関する情報を設定する時、特定の物理セルＩＤ(ｐｈｙｓｉｃａｌ ｃｅｌｌ ＩＤ)と共にＲＲＭ(Ｒａｄｉｏ Ｒｅｓｏｕｒｃｅ Ｍａｎａｇｅｍｅｎｔ)用のＳＳ／ＰＢＣＨブロックＩＤ又はＳＳ／ＰＢＣＨブロックインデックス、ＲＲＭ用のＣＳＩ−ＲＳ ＩＤ又はＣＳＩ−ＲＳインデックス及び／又はＰＲＳ ＩＤ又はＰＲＳインデックスを設定又は指示することができる。この時、特定の物理セルＩＤは特定の物理セルに連関するＴＰ／基地局のＩＤであることができる。
【０３８１】
参照セル／ＴＰ／基地局及び／又は隣接セル／ＴＰ／基地局から送信されるＰＲＳを受信するために、上記設定又は指示されたＩＤ又はインデックスに対応するＳＳ／ＰＢＣＨブロック、ＣＳＩ−ＲＳ及び／又はＰＲＳ受信に使用された受信ビームを使用することを設定又は指示することができる。そのために、ＩＤ又はインデックスに対応するＳＳ／ＰＢＣＨブロック、ＣＳＩ−ＲＳ及び／又はＰＲＳをＰＲＳリソースのための空間ＱＣＬ参照(ｓｐａｔｉａｌ ＱＣＬ ｒｅｆｅｒｅｎｃｅ)として設定し、参照セル／ＴＰ／基地局及び／又は隣接セル／ＴＰ／基地局で送信されるＰＲＳの送信ビーム方向に関する情報を端末が認知するように指示又は設定することができる。
【０３８２】
言い換えれば、端末がＰＲＳを受信して測位を行うために、サービングセル又は隣接セルから送信される参照信号が測位のために受信されるＰＲＳと空間ＱＣＬされたと仮定して、参照信号に対応する受信ビームによりＰＲＳを受信することができる。このために、上述したように、端末は参照信号を送信するサービングセル又は隣接セルのＩＤ及びＰＲＳと空間ＱＣＬされたと仮定する参照信号のインデックスに関する情報を受信することができる。この時、参照信号は上述したＳＳ／ＰＢＣＨブロック、ＣＳＩ−ＲＳ及び／又はＰＲＳである。よって、サービングセル又は隣接セルのＩＤと共に送信される参照信号のインデックスは、ＳＳ／ＰＢＣＨブロックのインデックス、ＣＳＩ−ＲＳのインデックス(例えば、ＣＲＩ)又はＰＲＳリソースインデックスである。また、サービングセル又は隣接セルのＩＤは、サービングセル又は隣接セルに対応するＴＰ／基地局のＩＤである。基地局又は位置サーバーはサービングセル又は隣接セルのＩＤ及びサービングセル又は隣接セルに対応するＴＰ／基地局のＩＤを一緒に端末に送信することができる。即ち、基地局又は位置サーバーはセルＩＤ及び該当セルに対応するＴＰ／基地局のＩＤのうちのいずれか１つを端末に送信することができる。
【０３８３】
参照信号がＰＲＳである時のＰＲＳは測位を行うためのＰＲＳの受信ビームを決定するために送信されるＰＲＳである。例えば、第１ＰＲＳを受信すると、第１ＰＲＳに基づいて受信ビームを決定し、決定された受信ビームと同じ受信ビームで第２ＰＲＳが受信されると仮定して、決定された受信ビームにより測位のための第２ＲＰＳを端末が受信する。
【０３８４】
ここで、ＰＲＳと参照信号が空間ＱＣＬされることは、参照信号受信のための空間受信パラメータをＰＲＳ受信のための空間受信パラメータとして使用できることを意味し、空間受信パラメータが同一であることは、受信のための受信ビームが同一であることを意味する。
【０３８５】
一方、測位のためのＰＲＳ受信のために受信ビームを決定する時、同じ空間ドメイン送信フィルターを有する複数の参照信号に対するビームスイーピングにより決定することもできる。また、複数の参照信号が互いに異なる空間ドメイン送信フィルターを有すると、端末は固定した受信ビームにより参照信号を受信し、固定した受信ビームで最良のＲＳＲＰなどを有する参照信号と測位のためのＰＲＳがＱＣＬされたと仮定してＰＲＳを受信することもできる。
【０３８６】
図２７(ｂ)を参考すると、ＰＲＳ又はＰＲＳリソースを設定する時、送信ビーム角度(ｂｅａｍ ａｎｇｌｅ)などの送信ビーム方向に関する情報を設定又は指示することができる。又はＰＲＳリソースインデックスによってＰＲＳが送信されるビーム方向が予め決定又は設定される。それに基づいて位置サーバー又は基地局がターゲット端末及び／又はターゲット端末グループによって端末−特定及び／又は端末グループ−特定にＰＲＳリソース及び／又はＰＲＳリソースグループ／集合を設定又は指示することができる。
【０３８７】
この時、ＰＲＳリソース及び／又はＰＲＳリソースグループ／集合は、特定のＰＲＳブロック、ＰＲＳブロックグループ及び／又はＰＲＳ送信周期に基づいて設定又は指示される。ＰＲＳリソースインデックスにより暗黙的に端末にＡｏＤ(Ａｎｇｌｅ ｏｆ Ｄｅｐａｒｔｕｒｅ)情報を指示又は設定することができる。例えば、ＰＲＳリソースが総１２個である時、ＡｏＤ ０°をＰＲＳリソースインデックス＃１とし、ＡｏＤ ３６０°をＰＲＳリソースインデックス＃１２として端末に設定する。即ち、ＰＲＳリソースが総１２個である場合、ＡｏＤを３０°間隔でＰＲＳリソースをインデックスする。例えば、ＰＲＳリソースインデックス＃２はＡｏＤ ３０°に関連し、ＰＲＳリソースインデックス＃１１はＡｏＤ ３３０°に関連する。即ち、特定のＰＲＳリソースグループ／集合に含まれたＰＲＳリソースの総数によって、各ＰＲＳリソースが送信される送信ビーム方向(例えば、ＡｏＤ)を端末が自動に認知するか、又は基地局及び／又は位置サーバーが端末に設定／指示することができる。
【０３８８】
全てのＰＲＳリソースにＴｏＡ、ＲＳＴＤなどの測定を得るために相互相関の演算を行うことは、算出複雑度(ｃｏｍｐｕｔａｔｉｏｎａｌ ｃｏｍｐｌｅｘｉｔｙ)を非常に上昇させる要因になる。例えば、端末が総Ｍ個のＴＰ／基地局／セルで送信されるＰＲＳを受信してＲＳＴＤ測定を得、各ＴＰ／基地局／セルごとにＮ個の送信ビームでＰＲＳを受信すると、総Ｍ＊Ｎ回の相互相関の演算が必要である。特に、広帯域(ｗｉｄｅ-ｂａｎｄ)である場合は、ＭとＮの値が一定値以上になると、端末の性能によって相互相関の演算を行うことが難しくなる。
【０３８９】
従って、かかる演算複雑度を減少するために、最大ＲＳＲＰ／最大ＳＮＲ／最大ＳＩＮＲを有するＰＲＳリソースを選択し、選択されたＰＲＳリソースにより受信されたＰＲＳのみについて相互相関の演算を行って、ＴｏＡを算出する。また、ＳＮＲ／ＳＩＮＲなどでＴｏＡ／ＲＳＴＤに対する統計的なエラーを導き出すことができ、それにより非常に正確な連関性を得ることができる。従って、ＰＲＳが送信される送信ビームをＳＮＲ／ＳＩＮＲ／ＲＳＲＰのような送信信号強度(Ｔｘ ｓｉｇｎａｌ ｓｔｒｅｎｇｔｈ)に基づいて探し、選択した送信ビームに対する相互相関の動作(ｃｒｏｓｓ−ｃｏｒｒｅｌａｔｉｏｎ ｏｐｅｒａｔｉｏｎ)を行うことができる。
【０３９０】
実施例５：ＲＳＲＰ／ＳＮＲ及びＴｏＡ／ＲＳＴＤ
【０３９１】
端末は特定のＴＰ／基地局／セルで送信される全てのＰＲＳリソースについてＴｏＡ測定を行い、最小(ｍｉｎｉｍｕｍ)ＴｏＡを示すＰＲＳリソースを基準としてＲＳＴＤを算出するように指示又は設定することができる。一方、特定のＴＰ／基地局／セルで送信されるＰＲＳリソースは、１つのＰＲＳリソースグループ／集合で設定される。端末に特定のＴＰ／基地局／セルで送信される複数のＰＲＳリソース又は１つのＰＲＳリソースグループ／集合を使用したＲＳＲＰ測定が指示又は設定される。
【０３９２】
最大ＲＳＲＰ／最大ＳＮＲ／最大ＳＩＮＲなどを有するＰＲＳリソースインデックス又はＰＲＳリソースＩＤ及び／又は最大ＲＳＲＰ／最大ＳＮＲ／最大ＳＩＮＲを有するＰＲＳリソースに基づいて測定したＴｏＡ及び／又はＲＳＴＤ値を基地局又は位置サーバーに報告するように端末に設定又は指示される。この測定及び／又は報告の設定は、相互相関の演算のための端末性能レベルによって端末−特定(ＵＥ−ｓｐｅｃｉｆｉｃ)に設定又は指示される。
【０３９３】
一方、基地局と端末が多重ビーム及び多重パネルを使用できることを考慮すると、ＰＲＳを使用して端末のＴｏＡ、ＲＳＴＤ、ＡｏＡ／ＡｏＤのような角度関連情報の測定及び／又は報告を以下のレベルで区分することができる。
【０３９４】
−送信ビーム特定(ＴＸ ｂｅａｍ ｓｐｅｃｉｆｉｃ)
【０３９５】
−送信ビームグループ特定(ＴＸ ｂｅａｍ ｇｒｏｕｐ ｓｐｅｃｉｆｉｃ)
【０３９６】
−送信パネル特定(Ｔｘ ｐａｎｅｌ ｓｐｅｃｉｆｉｃ)
【０３９７】
−受信パネル特定(Ｒｘ ｐａｎｅｌ ｓｐｅｃｉｆｉｃ)
【０３９８】
−受信ビーム特定(Ｒｘ ｂｅａｍ ｓｐｅｃｉｆｉｃ)
【０３９９】
−受信ビームグループ特定(Ｒｘ ｂｅａｍ ｇｒｏｕｐ ｓｐｅｃｉｆｉｃ)
【０４００】
実施例６：複数の受信パネルを考慮した測定／報告の設定
【０４０１】
基地局又は位置サーバーは端末が受信パネルごとにＲＳＴＤ、ＴｏＡ及び／又はＡｏＡに対する測定及び報告を行うように設定又は指示することができる。
【０４０２】
基地局又は位置サーバーから複数の受信パネル(Ｍｕｌｔｉｐｌｅ ＲＸ ｐａｎｅｌ)に基づいて得たＴｏＡ及び／又はＲＳＴＤ測定について各受信パネルごとにＴｏＡ及び／又はＲＳＴＤを報告するように端末が指示又は設定された場合、端末は各パネルごとに測定したＴｏＡ及び／又はＲＳＴＤ値のうち、最小値を基地局又は位置サーバーに報告する。この時、最小のＴｏＡ値が最も正確な値であると仮定することができる。例えば、端末が複数の受信パネルを使用して測定したＲＳＴＤ、ＴｏＡ及び／又はＡｏＡなどの測定値のうち、１つのＲＳＴＤ及び／又はＴｏＡを報告するように設定又は指示されると、各受信パネルごとに測定したＴｏＡ及び／又はＲＳＴＤ測定値のうち、最小の１つのＴｏＡ及び／又はＲＳＴＤ値を基地局又は位置サーバーに端末が報告する。
【０４０３】
基地局又は位置サーバーは端末の受信パネルＩＤ又は受信ビームインデックスを指示して、端末が特定の受信パネルを使用してＴｏＡ、ＲＳＴＤ及び／又はＡｏＡなどを測定／報告することを設定又は指示することができる。
【０４０４】
基地局又は位置サーバーは特定の送信ビーム(ＴＸ ｂｅａｍs)で送信されるＰＲＳを特定の受信パネル及び／又は受信ビームを使用してＴｏＡ、ＲＳＴＤ及び／又はＡｏＡに対する測定／報告を行うように端末に設定又は指示することができる。このためにＰＲＳリソース及び／又はＰＲＳリソース集合を端末に設定する時、ＰＲＳリソース及び／又はＰＲＳリソース集合に連関する受信パネルＩＤ及び／又は受信ビームインデックスを設定又は指示することができる。
【０４０５】
実施例７：受信ビームスイーピング設定
【０４０６】
端末は複数の受信ビームを生成することができるが、同時に使用可能な受信ビームの数は端末の受信パネル数などによって制限的である。従って、複数の方向に受信ビームスイーピング動作を行いながら、ＰＲＳを受信して、ＴｏＡ、ＲＳＴＤ及び／又はＡｏＡなどの測定を行うために、基地局又は位置サーバーは端末に受信ビームスイーピング実行時間単位を設定／指示するか、又は受信ビームスイーピング事項時間単位が予め設定される。
【０４０７】
(１)実施例７−１：ＰＲＳブロックレベルの受信ビームスイーピング(ｂｌｏｃｋ−ｌｅｖｅｌ ＲＸ ｂｅａｍ ｓｗｅｅｐｉｎｇ)
【０４０８】
基地局又は位置サーバーは端末にＰＲＳブロック及び／又はＰＲＳブロックグループ単位で受信ビームを変更しながらＴｏＡ及び／又はＲＳＴＤ測定を得ることを設定又は指示する。ＰＲＳブロックが特定のＰＲＳブロックグループ内で繰り返される時、端末は各ＰＲＳブロックのＰＲＳリソースが同じ送信ビームで送信されることを自動に認知することができる。１つのＰＲＳブロックで各ＴＰ／基地局がスイーピングする送信ビーム情報を反映してＰＲＳブロックが設計されたので、かかる端末の動作は適切である。
【０４０９】
基地局又は位置サーバーは各々のＰＲＳブロックのＰＲＳリソースが同じ送信ビームで送信されることを明示的に設定又は指示することができる。
【０４１０】
(２)実施例７−２：下位時間単位レベルの受信ビームスイーピング(ｓｕｂ−ｔｉｍｅ ｕｎｉｔ ｌｅｖｅｌ Ｒｘ ｂｅａｍ ｓｗｅｅｐｉｎｇ)
【０４１１】
ＰＲＳブロックを複数回繰り返して送信すると、遅延(ｌａｔｅｎｃｙ)が長くなることができるので、単一のシンボル内で複数回受信ビームを変更しながらＰＲＳを受信することを考えることができる。この場合、ＰＲＳブロックを設定する時、ＰＲＳブロックに含まれるＰＲＳリソースは以下の制限条件を満たす必要がある。
【０４１２】
−１つのＰＲＳブロックに含まれた全てのＰＲＳリソースが使用する副搬送波ＲＥを考慮する時、ＰＲＳブロックに含まれた各々のシンボルで副搬送波ＲＥが等間隔で使用されるように設定又は指示する必要がある。即ち、ＰＲＳブロックに含まれた各々のシンボルでＩＦＤＭ(Ｉｎｔｅｒｌｅａｖｅｄ Ｆｒｅｑｕｅｎｃｙ ｄｉｖｉｓｉｏｎ ｍｕｌｔｉｐｌｅｘｉｎｇ)方式で送信されるように全てのＰＲＳリソースのＲＥパターンを設定又は指示しなければならない。
【０４１３】
−１つのＰＲＳリソースのための時間／周波数リソース又は時間／周波数ＲＥは、特定のＰＲＳリソースが設定されるＲＢ(Ｒｅｓｏｕｒｃｅ ｂｌｏｃｋ)内で全ての副搬送波ＲＥが少なくとも１回以上使用されるように設定されなければならない。
【０４１４】
これに限られないが、本文書に開示された本発明の様々な説明、機能、手順、提案、方法及び／又はフローチャートは、機器間無線通信／連結(例えば、５Ｇ)を必要とする様々な分野に適用することができる。
【０４１５】
以下、図面を参照しながらより具体的に説明する。以下の図／説明において、同じ図面符号は特に言及しない限り、同一又は対応するハードウェアブロック、ソフトウェアブロック又は機能ブロックを例示する。
【０４１６】
図２８は本発明が適用される通信システム１を例示する。
【０４１７】
図２８を参照すると、本発明に適用される通信システム１は、無線機器、基地局及びネットワークを含む。ここで、無線機器は無線接続技術(例えば、５Ｇ ＮＲ、ＬＴＥ)を用いて通信を行う機器を意味し、通信／無線／５Ｇ機器とも称される。これに限られないが、無線機器はロボット１００ａ、車両１００ｂ−１，１００ｂ−２、ＸＲ(ｅＸｔｅｎｄｅｄ Ｒｅａｌｉｔｙ)機器１００ｃ、携帯機器(Ｈａｎｄ−ｈｅｌｄ Ｄｅｖｉｃｅ)１００ｄ、家電１００ｅ、ＩｏＴ(Ｉｎｔｅｒｎｅｔ ｏｆ Ｔｈｉｎｇ)機器１００ｆ及びＡＩ機器／サーバー４００を含む。例えば、車両は無線通信機能が備えられた車両、自律走行車両、車両間通信可能な車両などを含む。ここで、車両はＵＡＶ(Ｕｎｍａｎｎｅｄ Ａｅｒｉａｌ Ｖｅｈｉｃｌｅ)(例えば、ドローン)を含む。ＸＲ機器はＡＲ(Ａｕｇｍｅｎｔｅｄ Ｒｅａｌｉｔｙ)／ＶＲ(Ｖｉｒｔｕａｌ Ｒｅａｌｉｔｙ)／ＭＲ(Ｍｉｘｅｄ Ｒｅａｌｉｔｙ)機器を含み、ＨＭＤ(Ｈｅａｄ−Ｍｏｕｎｔｅｄ Ｄｅｖｉｃｅ)、車両に備えられたＨＵＤ(Ｈｅａｄ−Ｕｐ Ｄｉｓｐｌａｙ)、ＴＶ、スマートホン、コンピュータ、ウェアラブルデバイス、家電機器、デジタル看板、車両、ロボットなどの形態で具現される。携帯機器はスマートホン、スマートパッド、ウェアラブル機器(例えば、スマートウォッチ、スマートグラス)、コンピュータ(例えば、ノートブックパソコンなど)などを含む。家電はＴＶ、冷蔵庫、洗濯機などを含む。ＩｏＴ機器はセンサ、スマートメータなどを含む。例えば、基地局、ネットワークは無線機器にも具現され、特定の無線機器２００ａは他の無線機器に基地局／ネットワークノードで動作することもできる。
【０４１８】
無線機器１００ａ〜１００ｆは基地局２００を介してネットワーク３００に連結される。無線機器１００ａ〜１００ｆにはＡＩ(Ａｒｔｉｆｉｃｉａｌ Ｉｎｔｅｌｌｉｇｅｎｃｅ)技術が適用され、無線機器１００ａ〜１００ｆはネットワーク３００を介してＡＩサーバー４００に連結される。ネットワーク３００は３Ｇネットワーク、４Ｇ(例えば、ＬＴＥ)ネットワーク又は５Ｇ(例えば、ＮＲ)ネットワークなどを用いて構成される。無線機器１００ａ〜１００ｆは基地局２００／ネットワーク３００を介して互いに通信できるが、基地局／ネットワークを介することなく、直接通信することもできる(例えば、サイドリンク通信)。例えば、車両１００ｂ−１、１００ｂ−２は直接通信することができる(例えば、Ｖ２Ｖ(Ｖｅｈｉｃｌｅ ｔｏ Ｖｅｈｉｃｌｅ)／Ｖ２Ｘ(Ｖｅｈｉｃｌｅ ｔｏ ｅｖｅｒｙｔｈｉｎｇ)通信)。またＩｏＴ機器(例えば、センサ)は他のＩｏＴ機器(例えば、センサ)又は他の無線機器１００ａ〜１００ｆと直接通信することができる。
【０４１９】
無線機器１００ａ〜１００ｆ／基地局２００、基地局２００／基地局２００の間では無線通信／連結１５０ａ、１５０ｂ、１５０ｃが行われる。ここで、無線通信／連結は上り／下りリンク通信１５０ａとサイドリンク通信１５０ｂ(又は、Ｄ２Ｄ通信)、基地局間通信１５０ｃ(例えば、ｒｅｌａｙ、ＩＡＢ(Ｉｎｔｅｇｒａｔｅｄ Ａｃｃｅｓｓ Ｂａｃｋｈａｕｌ)のような様々な無線接続技術により行われる(例えば、５Ｇ ＮＲ)。無線通信／連結１５０ａ、１５０ｂ、１５０ｃにより無線機器と基地局／無線機器、基地局と基地局は互いに無線信号を送／受信することができる。例えば、無線通信／連結１５０ａ、１５０ｂ、１５０ｃは様々な物理チャネルを介して信号を送／受信することができる。このために、本発明の様々な提案に基づいて、無線信号の送／受信のための様々な構成情報の設定過程、様々な信号処理過程(例えば、チャネル符号化／復号、変調／復調、リソースマッピング／デマッピングなど)、リソース割り当て過程のうちのいずれか一つが行われる。
【０４２０】
図２９は本発明に適用される無線機器を例示する。
【０４２１】
図２９を参照すると、第１無線機器１００と第２無線機器２００は様々な無線接続技術(例えば、ＬＴＥ、ＮＲ)により無線信号を送受信する。ここで、{第１無線機器１００、第２無線機器２００}は図３０の{無線機器１００ｘ、基地局２００}及び／又は{無線機器１００ｘ、無線機器１００ｘ}に対応する。
【０４２２】
第１無線機器１００は一つ以上のプロセッサ１０２及び一つ以上のメモリ１０４を含み、さらに一つ以上の送受信機１０６及び／又は一つ以上のアンテナ１０８を含む。プロセッサ１０２はメモリ１０４及び／又は送受信機１０６を制御し、本文書に開示された説明、機能、手順、提案、方法及び／又はフローチャートを具現するように構成される。例えば、プロセッサ１０２はメモリ１０４内の情報を処理して第１情報／信号を生成した後、送受信機１０６で第１情報／信号を含む無線信号を送信する。またプロセッサ１０２は送受信機１０６で第２情報／信号を含む無線信号を受信した後、第２情報／信号の信号処理から得た情報をメモリ１０４に格納する。メモリ１０４はプロセッサ１０２に連結され、プロセッサ１０２の動作に関連する様々な情報を格納する。例えば、メモリ１０４はプロセッサ１０２により制御されるプロセスのうちの一部又は全部を行うか、又は本文書に開示された説明、機能、手順、提案、方法及び／又はフローチャートを行うための命令を含むソフトウェアコードを格納する。ここで、プロセッサ１０２とメモリ１０４は無線通信技術(例えば、ＬＴＥ、ＮＲ)を具現するように設計された通信モデム／回路／チップの一部である。送受信機１０６はプロセッサ１０２に連結され、一つ以上のアンテナ１０８により無線信号を送信及び／又は受信する。送受信機１０６は送信機及び／又は受信機を含む。送受信機１０６はＲＦ(ｒａｄｉｏ Ｆｒｅｑｕｅｎｃｙ)ユニットとも混用することができる。本発明において、無線機器は通信モデム／回路／チップを意味することもできる。
【０４２３】
より具体的には、本発明の実施例による第１無線機器１００のプロセッサ１０２により制御され、メモリ１０４に格納される命令及び／又は動作について説明する。
【０４２４】
以下の動作については、プロセッサ１０２の観点でプロセッサ１０２の制御動作に基づいて説明するが、これらの動作を行うためのソフトウェアコードなどのメモリ１０４に格納することができる。
【０４２５】
プロセッサ１０２は第２無線機器２００又は図２７の位置サーバー９０からＰＲＳリソース設定に関する情報を受信するように送受信機１０６を制御する。この時、ＰＲＳリソース設定に関する情報の具体的な実施例については上述した内容に基づく。
【０４２６】
プロセッサ１０２は第２無線機器２００からＰＲＳ、ＳＳ／ＰＢＣＨブロック及びＣＳＩ−ＲＳのうちのいずれかを受信するように送受信機１０６を制御し、プロセッサ２０２はＰＲＳ、ＳＳ／ＰＢＣＨブロック及びＣＳＩ−ＲＳのうちのいずれかに関連する報告を送信するように送受信機１０６を制御する。この時、報告に含まれた具体的な情報及びプロセッサ１０２が送受信機１０６により上記報告を送信する具体的な方法は、上述した実施例に基づく。
【０４２７】
より具体的には、本発明の実施例による第２無線機器２００のプロセッサ２０２により制御され、メモリ２０４に格納される命令及び／又は動作について説明する。
【０４２８】
以下の動作は、プロセッサ２０２の観点でプロセッサ２０２の制御動作に基づいて説明するが、かかる動作を行うためのソフトウェアコードなどのメモリ２０４に格納できる。プロセッサ２０２はＳＳ／ＰＢＣＨブロック及び／又はＣＳＩ−ＲＳをＰＲＳリソースとして活用するか、又はＰＲＳリソースを送受信するための送受信ビームを決定するための用途として送信されることを知らせることを含む情報を図２７の位置サーバー９０に送信するように送受信機２０６を制御することができる。
【０４２９】
プロセッサ２０２はＰＲＳリソースを設定することができる。この時、ＰＲＳリソース設定に関する情報を図２７の位置サーバー９０から受信して設定する。またＰＲＳリソースを設定する具体的な方法は、上述した実施例に基づく。プロセッサ２０２はＰＲＳ、ＳＳ／ＰＢＣＨブロック及びＣＳＩ−ＲＳのうちのいずれかを第１無線機器１００に送信するように送受信機２０６を制御する。また、プロセッサ２０２はＰＲＳ、ＳＳ／ＰＢＣＨブロック及びＣＳＩ−ＲＳのうちのいずれかに関連する報告を第１無線機器１００から受信するように送受信機２０６を制御する。この時、報告に含まれた具体的な情報及び第１無線機器１００が上記報告を送信する具体的な方法は、上述した実施例に基づく。
【０４３０】
以下、無線機器１００,２００のハードウェア要素についてより具体的に説明する。これに限られないが、一つ以上のプロトコル階層が一つ以上のプロセッサ１０２，２０２により具現される。例えば、一つ以上のプロセッサ１０２，２０２は一つ以上の階層(例えば、ＰＨＹ、ＭＡＣ、ＲＬＣ、ＰＤＣＰ、ＲＲＣ、ＳＤＡＰのような機能的階層)を具現する。一つ以上のプロセッサ１０２，２０２は本文書に開示された説明、機能、手順、提案、方法及び／又はフローチャートによって一つ以上のＰＤＵ(Ｐｒｏｔｏｃｏｌ Ｄａｔａ Ｕｎｉｔ)及び／又は一つ以上のＳＤＵ(Ｓｅｒｖｉｃｅ Ｄａｔａ Ｕｎｉｔ)を生成する。一つ以上のプロセッサ１０２，２０２は本文書に開示された説明、機能、手順、提案、方法及び／又はフローチャートによってメッセージ、制御情報、データ又は情報を生成する。一つ以上のプロセッサ１０２，２０２は本文書に開示された機能、手順、提案及び／又は方法によってＰＤＵ、ＳＤＵ、メッセージ、制御情報、データ又は情報を含む信号(例えば、ベースバンド信号)を生成して、一つ以上の送受信機１０６，２０６に提供する。一つ以上のプロセッサ１０２，２０２は一つ以上の送受信機１０６，２０６から信号(例えば、ベースバンド信号)を受信して、本文書に開示された説明、機能、手順、提案、方法及び／又はフローチャートによってＰＤＵ、ＳＤＵ、メッセージ、制御情報、データ又は情報を得ることができる。
【０４３１】
一つ以上のプロセッサ１０２，２０２はコントローラ、マイクロコントローラ、マイクロプロセッサ又はマイクロコンピュータとも称される。一つ以上のプロセッサ１０２，２０２はハードウェア、ファームウェア、ソフトウェア又はこれらの組み合わせにより具現される。一例として、一つ以上のＡＳＩＣ(Ａｐｐｌｉｃａｔｉｏｎ Ｓｐｅｃｉｆｉｃ Ｉｎｔｅｇｒａｔｅｄ Ｃｉｒｃｕｉｔ)、一つ以上のＤＳＰ(Ｄｉｇｉｔａｌ Ｓｉｇｎａｌ Ｐｒｏｃｅｓｓｏｒ)、一つ以上のＤＳＰＤ(Ｄｉｇｉｔａｌ Ｓｉｇｎａｌ Ｐｒｏｃｅｓｓｉｎｇ Ｄｅｖｉｃｅ)、一つ以上のＰＬＤ(Ｐｒｏｇｒａｍｍａｂｌｅ Ｌｏｇｉｃ Ｄｅｖｉｃｅ)又は一つ以上のＦＰＧＡ(Ｆｉｅｌｄ Ｐｒｏｇｒａｍｍａｂｌｅ Ｇａｔｅ Ａｒｒａｙｓ)が一つ以上のプロセッサ１０２，２０２に含まれる。本文書に開示された説明、機能、手順、提案、方法及び／又はフローチャートはファームウェア又はソフトウェアを使用して具現され、ファームウェア又はソフトウェアはモジュール、手順、機能などを含むように具現される。本文書に開示された説明、機能、手順、提案、方法及び／又はフローチャートを行うように設定されたファームウェア又はソフトウェアは一つ以上のプロセッサ１０２，２０２に含まれるか、又は一つ以上のメモリ１０４，２０４に格納されて一つ以上のプロセッサ１０２，２０２により駆動される。本文書に開示された説明、機能、手順、提案、方法及び／又はフローチャートはコード、命令語(ｉｎｓｔｒｕｃｔｉｏｎ)及び／又は命令語集合の形態でファームウェア又はソフトウェアを使用して具現される。
【０４３２】
一つ以上のメモリ１０４，２０４は一つ以上のプロセッサ１０２，２０２に連結され、様々な形態のデータ、信号、メッセージ、情報、プログラム、コード、指示及び／又は命令を格納する。一つ以上のメモリ１０４，２０４はＲＯＭ、ＲＡＭ、ＥＰＲＯＭ、フラッシメモリ、ハードドライブ、レジスター、キャッシュメモリ、コンピュータ読み取り格納媒体及び／又はこれらの組み合わせにより構成される。一つ以上のメモリ１０４，２０４は一つ以上のプロセッサ１０２，２０２の内部及び／又は外部に位置する。また、一つ以上のメモリ１０４，２０４は有線又は無線連結のような様々な技術により一つ以上のプロセッサ１０２，２０２に連結される。
【０４３３】
一つ以上の送受信機１０６，２０６は一つ以上の他の装置に本文書における方法及び／又はフローチャートなどで言及されたユーザデータ、制御情報、無線信号／チャネルなどを送信することができる。一つ以上の送受信機１０６，２０６は一つ以上の他の装置から本文書に開示された説明、機能、手順、提案、方法及び／又はフローチャートなどで言及されたユーザデータ、制御情報、無線信号／チャネルなどを受信することができる。例えば、一つ以上の送受信機１０６，２０６は一つ以上のプロセッサ１０２，２０２に連結され、無線信号を送受信する。例えば、一つ以上のプロセッサ１０２，２０２は一つ以上の送受信機１０６，２０６が一つ以上の他の装置にユーザデータ、制御情報又は無線信号を送信するように制御することができる。また、一つ以上のプロセッサ１０２，２０２は一つ以上の送受信機１０６，２０６が一つ以上の他の装置からユーザデータ、制御情報又は無線信号を受信するように制御することができる。一つ以上の送受信機１０６，２０６は一つ以上のアンテナ１０８，２０８に連結され、一つ以上の送受信機１０６，２０６は一つ以上のアンテナ１０８，２０８により本文書に開示された説明、機能、手順、提案、方法及び／又はフローチャートなどで言及されるユーザデータ、制御情報、無線信号／チャネルなどを送受信するように設定される。本文書において、一つ以上のアンテナは複数の物理アンテナであるか、複数の論理アンテナである(例えば、アンテナポート)。一つ以上の送受信機１０６，２０６は受信されたユーザデータ、制御情報、無線信号／チャネルなどを一つ以上のプロセッサ１０２，２０２を用いて処理するために、受信された無線信号／チャネルなどをＲＦバンド信号からベースバンド信号に変換する(Ｃｏｎｖｅｒｔ)。一つ以上の送受信機１０６，２０６は一つ以上のプロセッサ１０２，２０２を用いて処理されたユーザデータ、制御情報、無線信号／チャネルなどをベースバンド信号からＲＦバンド信号に変換する。このために、一つ以上の送受信機１０６，２０６は(アナログ)オシレーター及び／又はフィルターを含む。
【０４３４】
図３０は本発明が適用される無線機器の他の例を示す。無線機器は使用例／サービスによって様々な形態で具現することができる(図２８を参照)。
【０４３５】
図３０を参照すると、無線機器１００,２００は図２９の無線機器１００,２００に対応し、様々な要素、成分、ユニット／部及び／又はモジュールで構成される。例えば、無線機器１００,２００は通信部１１０、制御部１２０、メモリ部１３０及び追加要素１４０を含む。通信部は通信回路１１２及び送受信機１１４を含む。例えば、通信回路１１２は図２９における一つ以上のプロセッサ１０２,２０２及び／又は一つ以上のメモリ１０４,２０４を含む。例えば、送受信機１１４は図２９の一つ以上の送受信機１０６,２０６及び／又は一つ以上のアンテナ１０８,２０８を含む。制御部１２０は通信部１１０、メモリ部１３０及び追加要素１４０に電気的に連結され、無線機器の諸般動作を制御する。例えば、制御部１２０はメモリ部１３０に格納されたプログラム／コード／命令／情報に基づいて無線機器の電気的／機械的動作を制御する。また制御部１２０はメモリ部１３０に格納された情報を通信部１１０により外部(例えば、他の通信機器)に無線／有線インターフェースにより送信するか、又は通信部１１０により外部(例えば、他の通信機器)から無線／有線インターフェースにより受信された情報をメモリ部１３０に格納する。従って、本発明による具体的な制御部１２０の動作過程及びメモリ部１３０に格納されたプログラム／コード／命令／情報は、図２７のプロセッサ１０２、２０２のうちのいずれか１つの動作及びメモリ１０４、２０４のうちのいずれか１つの動作に対応する。
【０４３６】
追加要素１４０は無線機器の種類によって様々に構成される。例えば、追加要素１４０はパワーユニット／バッテリー、入出力部(Ｉ／Ｏ ｕｎｉｔ)、駆動部及びコンピュータ部のうち、いずれか一つを含む。これに限られないが、無線機器はロボット(図２８、１００ａ)、車両(図２８、１００ｂ−１、１００ｂ−２)、ＸＲ機器(図２８、１００ｃ)、携帯機器(図２８、１００ｄ)、家電(図２８、１００ｅ)、ＩｏＴ機器(図２８、１００ｆ)、デジタル放送用端末、ホログラム装置、公共安全装置、ＭＴＣ装置、医療装置、フィンテック装置(又は金融装置)、保安装置、気候／環境装置、ＡＩサーバー／機器(図２８、４００)、基地局(図２８、２００)及びネットワークノードなどの形態で具現される。無線機器は使用例／サービスによって移動可能であるか、又は固定した場所で使用される。
【０４３７】
図３０において、無線機器１００，２００内の様々な要素、成分、ユニット／部及び／又はモジュールは全体が有線インターフェースにより互いに連結されるか、又は少なくとも一部が通信部１１０により無線連結される。例えば、無線機器１００，２００内で制御部１２０と通信部１１０は有線連結され、制御部１２０と第１ユニット(例えば、１３０、１４０)は通信部１１０により無線連結される。また無線機器１００，２００内の各要素、成分、ユニット／部及び／又はモジュールは一つ以上の要素をさらに含む。例えば、制御部１２０は一つ以上のプロセッサ集合で構成される。例えば、制御部１２０は通信制御プロセッサ、アプリケーションプロセッサ(Ａｐｐｌｉｃａｔｉｏｎ ｐｒｏｃｅｓｓｏｒ)、ＥＣＵ(Ｅｌｅｃｔｒｏｎｉｃ ｃｏｎｔｒｏｌ Ｕｎｉｔ)、グラフィック処理プロセッサ、メモリ制御プロセッサなどの集合で構成される。他の例として、メモリ部１３０はＲＡＭ(Ｒａｎｄｏｍ Ａｃｃｅｓｓ Ｍｅｍｏｒｙ)、ＤＲＡＭ(Ｄｙｎａｍｉｃ ＲＡＭ)、ＲＯＭ(Ｒｅａｄ Ｏｎｌｙ Ｍｅｍｏｒｙ)、フラッシュメモリ(ｆｌａｓｈ Ｍｅｍｏｒｙ)、揮発性メモリ(ｖｏｌａｔｉｌｅ Ｍｅｍｏｒｙ)、非揮発生メモリ及び／又はこれらの組み合わせで構成される。
【０４３８】
以下、図面を参照しながら、図３０の具現例についてより具体的に説明する。
【０４３９】
図３１は本発明に適用される携帯機器を例示する。携帯機器はスマートホン、スマートパッド、ウェアラブル機器(例えば、スマートウォッチ、スマートグラス)、携帯用コンピュータ(例えば、ノートブックパソコンなど)を含む。携帯機器はＭＳ(Ｍｏｂｉｌｅ Ｓｔａｔｉｏｎ)、ＵＴ(ｕｓｅｒ ｔｅｒｍｉｎａｌ)、ＭＳＳ(Ｍｏｂｉｌｅ Ｓｕｂｓｃｒｉｂｅｒ Ｓｔａｔｉｏｎ)、ＳＳ(Ｓｕｂｓｃｒｉｂｅｒ Ｓｔａｔｉｏｎ)、ＡＭＳ(Ａｄｖａｎｃｅｄ Ｍｏｂｉｌｅ Ｓｔａｔｉｏｎ)又はＷＴ(Ｗｉｒｅｌｅｓｓ ｔｅｒｍｉｎａｌ)とも称される。
【０４４０】
図３１を参照すると、携帯機器１００はアンテナ部１０８、通信部１１０、制御部１２０、メモリ部１３０、電源供給部１４０ａ、インターフェース部１４０ｂ及び入出力部１４０ｃを含む。アンテナ部１０８は通信部１１０の一部で構成される。ブロック１１０〜１３０／１４０ａ〜１４０ｃは各々、図２１におけるブロック１１０〜１３０／１４０に対応する。
【０４４１】
通信部１１０は他の無線機器、基地局と信号(例えば、データ、制御信号など)を送受信する。制御部１２０は携帯機器１００の構成要素を制御して様々な動作を行う。制御部１２０はＡＰ(Ａｐｐｌｉｃａｔｉｏｎ Ｐｒｏｃｅｓｓｏｒ)を含む。メモリ部１３０は携帯機器１００の駆動に必要なデータ／パラメータ／プログラム／コード／命令を格納する。またメモリ部１３０は入／出力されるデータ／情報などを格納する。電源供給部１４０ａは携帯機器１００に電源を供給し、有／無線充電回路、バッテリーなどを含む。インターフェース部１４０ｂは携帯機器１００と他の外部機器の連結を支援する。インターフェース部１４０ｂは外部機器との連結のための様々なポート(例えば、オーディオ入／出力ポート、ビデオ入／出力ポート)を含む。入出力部１４０ｃは映像情報／信号、オーディオ情報／信号、データ及び／又はユーザから入力される情報を入力又は出力する。入出力部１４０ｃはカメラ、マイクロホン、ユーザ入力部、ディスプレイ部１４０ｄ、スピーカー及び／又は触覚モジュールなどを含む。
【０４４２】
一例として、データ通信の場合、入出力部１４０ｃはユーザから入力された情報／信号(例えば、タッチ、文字、音声、イメージ、ビデオ)を得、この得られた情報／信号はメモリ部１３０に格納される。通信部１１０はメモリに格納された情報／信号を無線信号に変換し、変換された無線信号を他の無線機器に直接送信するか又は基地局に送信する。また通信部１１０は他の無線機器又は基地局から無線信号を受信した後、受信された無線信号を元来の情報／信号に復元する。復元された情報／信号はメモリ部１３０に格納された後、入出力部１４０ｃにより様々な形態(例えば、文字、音声、イメージ、ビデオ、触覚)に出力される。
【０４４３】
図３２は本発明に適用される車両又は自律走行車両を例示する。車両又は自律走行車両は移動型ロボット、車両、汽車、有／無人飛行体(Ａｅｒｉａｌ Ｖｅｈｉｃｌｅ、ＡＶ)、船舶などで具現される。
【０４４４】
図３２を参照すると、車両又は自律走行車両１００はアンテナ部１０８、通信部１１０、制御部１２０、駆動部１４０ａ、電源供給部１４０ｂ、センサ部１４０ｃ及び自律走行部１４０ｄを含む。アンテナ部１０８は通信部１１０の一部で構成される。ブロック１１０／１３０／１４０ａ〜１４０ｄは各々図３０におけるブロック１１０／１３０／１４０に対応する。
【０４４５】
通信部１１０は他の車両、基地局(例えば、基地局、路辺基地局(Ｒｏａｄ Ｓｉｄｅ ｕｎｉｔ)など)、サーバーなどの外部機器と信号(例えば、データ、制御信号など)を送受信する。制御部１２０は車両又は自律走行車両１００の要素を制御して様々な動作を行う。制御部１２０はＥＣＵ(Ｅｌｅｃｔｒｏｎｉｃ ｃｏｎｔｒｏｌ Ｕｎｉｔ)を含む。駆動部１４０ａにより車両又は自律走行車両１００が地上で走行する。駆動部１４０ａはエンジン、モータ、パワートレイン、輪、ブレーキ、ステアリング装置などを含む。電源供給部１４０ｂは車両又は自律走行車両１００に電源を供給し、有／無線充電回路、バッテリーなどを含む。センサ部１４０ｃは車両状態、周辺環境情報、ユーザ情報などを得ることができる。センサ部１４０ｃはＩＭＵ(ｉｎｅｒｔｉａｌ ｍｅａｓｕｒｅｍｅｎｔ ｕｎｉｔ)センサ、衝突センサ、ホイールセンサ(ｗｈｅｅｌ ｓｅｎｓｏｒ)、速度センサ、傾斜センサ、重量感知センサ、ヘッディングセンサ(ｈｅａｄｉｎｇ ｓｅｎｓｏｒ)、ポジションモジュール(ｐｏｓｉｔｉｏｎ Ｍｏｄｕｌｅ)、車両前進／後進センサ、バッテリーセンサ、燃料センサ、タイヤセンサ、ステアリングセンサ、温度センサ、湿度センサ、超音波センサ、照度センサ、ペダルポジションセンサなどを含む。自律走行部１４０ｄは走行中の車線を維持する技術、車間距離制御装置(ａｄａｐｔｉｖｅ ｃｒｕｉｓｅ ｃｏｎｔｒｏｌ)のように速度を自動に調節する技術、所定の経路によって自動走行する技術、目的地が設定されると自動に経路を設定して走行する技術などを具現する。
【０４４６】
一例として、通信部１１０は外部サーバーから地図データ、交通情報データなどを受信する。自律走行部１４０ｄは得られたデータに基づいて自律走行経路とドライブプランを生成する。制御部１２０はドライブプランに従って車両又は自律走行車両１００が自律走行経路に移動するように駆動部１４０ａを制御する(例えば、速度／方向調節)。通信部１１０は自律走行中に外部サーバーから最新交通情報データを非周期的に得、また周りの車両から周りの交通情報データを得る。またセンサ部１４０ｃは自律走行中に車両状態、周辺環境情報を得る。自律走行部１４０ｄは新しく得たデータ／情報に基づいて自律走行経路とドライブプランを更新する。通信部１１０は車両位置、自律走行経路、ドライブプランなどに関する情報を外部サーバーに伝達する。外部サーバーは車両又は自律走行車両から集められた情報に基づいて、ＡＩ技術などを用いて交通情報データを予め予測し、予測された交通情報データを車両又は自律走行車両に提供することができる。
【０４４７】
一方、本発明によるＰＲＳを送信する方法及びＰＲＳを用いて位置を測定する方法を行うために、図３３のような位置サーバー(Ｌｏｃａｔｉｏｎ Ｓｅｒｖｅｒ、９０)が含まれる。ここで、位置サーバー９０は無線装置７０及び／又はネットワークノード８０と論理的又は物理的に連結される。なお、無線装置７０は図２９の第１無線機器１００及び／又は図３０の無線機器１００、２００であることができる。またネットワークノード８０は図２９の第２無線機器１００及び／又は図３０の無線機器１００、２００であることができる。
【０４４８】
なお、位置サーバー９０はＡＭＦ、ＬＭＦ、Ｅ−ＳＭＬＣ及び／又はＳＬＰであることができるが、これらに限られず、本発明の実施例を具現するために位置サーバー９０の役割を果たすことができる通信装置であれば、どの通信装置でも位置サーバー９０として活用できる。特に、位置サーバー９０は説明の便宜上、位置サーバーという名称を使用したが、サーバー形態で具現されず、チップ形態で具現されることができ、かかるチップ形態の具現は、後述する位置サーバー９０の機能を全て行えるように具現できる。
【０４４９】
より具体的には、位置サーバー９０について説明すると、位置サーバー９０は、一つ以上の他の無線装置、ネットワークノード及び／又はネットワークの他の要素と通信するための送受信機(Ｔｒａｓｃｅｉｖｅｒ)９１を含む。このとき、送受信機９１は１つ以上の通信インターフェースを含む。通信インターフェースにより連結された１つ以上の他の無線装置、ネットワークノード及び／又はネットワークの他の要素と通信を行う。
【０４５０】
また位置サーバー９０はプロセシングチップ９２を含む。プロセシングチップ９２は、プロセッサ９３のような少なくとも１つのプロセッサ及びメモリ９４のような少なくとも１つのメモリ装置を含む。
【０４５１】
プロセシングチップ９２は、本文書に説明された方法、及び／又は本文書で解決しようとする課題、及びそれに対する解決策のための実施例を具現するために、１つ以上のプロセスを制御する。言い換えれば、プロセシングチップ９２は、本文書に記載された少なくとも１つ以上の実施例が行われるように構成される。即ち、プロセッサ９３は、本文書に説明された位置サーバー９０の機能を行うための少なくとも１つのプロセッサを含む。例えば、１つ以上のプロセッサは図３３の１つ以上の送受信機９１を制御して情報を送受信することができる。
【０４５２】
プロセシングチップ９２はデータ、プログラム可能なソフトウェアコード及び／又は本文書に説明された実施例を行うための他の情報を格納可能なメモリ９４を含む。
【０４５３】
即ち、本文書による実施例において、メモリ９４はプロセッサ９３のような少なくとも一つのプロセッサにより実行される時、プロセッサ９３をして図２４のプロセッサ９３により制御されるプロセスのうちの一部又は全部を行うようにするか、又は本明細書に説明された実施例を行うための命令を含むソフトウェアコード９５を格納する。
【０４５４】
より具体的には、本発明の実施例による位置サーバー９０のプロセッサ９３により制御され、メモリ９４に格納される命令及び／又は動作について説明する。
【０４５５】
以下の動作はプロセッサ９３の観点でプロセッサ９３の制御動作に基づいて説明するが、これらの動作を行うためのソフトウェアコードなどのメモリ９４に格納することができる。プロセッサ９３はＳＳ／ＰＢＣＨブロック及び／又はＣＳＩ−ＲＳをＰＲＳリソースとして活用するか、又はＰＲＳリソースを送受信するための送受信ビームを決定するための用途で送信されることを知らせることを含む情報を第２無線機器２００から受信するように送受信機９１を制御する。
【０４５６】
プロセッサ９３はＰＲＳリソース設定情報を図２３の第１無線機器１００及び／又は第２無線機器２００に送信するように送受信機９１を制御することができる。この時、ＰＲＳリソースを設定する具体的な方法は、上記実施例に基づく。またプロセッサ９３はＰＲＳ、ＳＳ／ＰＢＣＨブロック及びＣＳＩ−ＲＳのうちのいずれか１つに関連する報告を第１無線機器１００又は第２無線機器２００から受信するように送受信機９１を制御することができる。この時、報告に含まれた具体的な情報及び第１無線機器１００又は第２無線機器２００がかかる報告を送信する具体的な方法は、上記実施例に基づく。
【０４５７】
図３４は送信信号のための信号処理回路を例示する。
【０４５８】
図３４を参照すると、信号処理回路１０００はスクランブラー１０１０、変調器１０２０、レイヤマッパー１０３０、プレコーダー１０４０、リソースマッパー１０５０、信号生成器１０６０を含む。これらに限られないが、図３４の動作／機能は図２９のプロセッサ１０２、２０２及び／又は送受信機１０６、２０６で行うことができる。図３４のハードウェア要素は図２９のプロセッサ１０２、２０２及び／又は送受信機１０６、２０６で具現できる。例えば、ブロック１０１０〜１０６０は図２９のプロセッサ１０２、２０２で具現できる。またブロック１０１０〜１０５０は図２９のプロセッサ１０２、２０２で具現され、ブロック１０６０は図２９の送受信機１０６、２０６で具現されることができる。
【０４５９】
コードワードは図３４の信号処理回路１０００を経て無線信号に変換される。ここで、コードワードは情報ブロックの符号化ビットシーケンスである。情報ブロックは送信ブロック(例えば、ＵＬ−ＳＣＨ送信ブロック、ＤＬ−ＳＣＨ送信ブロック)を含む。無線信号は様々な物理チャネル(例えば、ＰＵＳＣＨ、ＰＤＳＣＨ)を介して送信される。
【０４６０】
より具体的には、コードワードはスクランブラー１０１０によりスクランブルされたビットシーケンスに変換することができる。スクランブルに使用されるスクランブルシーケンスは、初期化値に基づいて生成され、初期化値は無線機器のＩＤ情報などを含む。スクランブルされたビットシーケンスは変調器１０２０により変調シンボルシーケンスに変調される。変調方式はｐｉ／２−ＢＰＳＫ(ｐｉ／２−Ｂｉｎａｒｙ Ｐｈａｓｅ Ｓｈｉｆｔ Ｋｅｙｉｎｇ)、ｍ−ＰＳＫ(ｍ−Ｐｈａｓｅ Ｓｈｉｆｔ Ｋｅｙｉｎｇ)、ｍ−ＱＡＭ(ｍ−Ｑｕａｄｒａｔｕｒｅ Ａｍｐｌｉｔｕｄｅ Ｍｏｄｕｌａｔｉｏｎ)などを含む。複素変調シンボルシーケンスはレイヤマッパー１０３０により一つ以上の送信レイヤにマッピングされることができる。各送信レイヤの変調シンボルはプレコーダー１０４０により該当アンテナポートにマッピングされる(プリコーディング)。プレコーダー１０４０の出力ｚはレイヤマッパー１０３０の出力ｙをＮ＊Ｍのプリコーディング行列Ｗと乗じて得ることができる。ここで、Ｎはアンテナポートの数、Ｍは送信レイヤの数である。ここで、プレコーダー１０４０は複素変調シンボルに対する変換(ｔｒａｎｓｆｏｒｍ)プリコーディング(例えば、ＤＦＴ変換)を行った後にプリコーディングを行うことができる。またプレコーダー１０４０は変換プリコーディングを行わず、プリコーディングを行うことができる。
【０４６１】
リソースマッパー１０５０は、各アンテナポートの変調シンボルを時間−周波数リソースにマッピングすることができる。時間−周波数リソースは時間ドメインにおいて複数のシンボル(例えば、ＣＰ−ＯＦＤＭＡシンボル、ＤＦＴ−Ｓ−ＯＦＤＭＡシンボル)を含み、周波数ドメインにおいて複数の副搬送波を含む。信号生成器１０６０はマッピングされた変調シンボルから無線信号を生成し、生成された無線信号は各アンテナにより他の機器に送信される。このために、信号生成器１０６０はＩＦＦＴ(Ｉｎｖｅｒｓｅ Ｆａｓｔ Ｆｏｕｒｉｅｒ Ｔｒａｎｓｆｏｒｍ)モジュール及びＣＰ(Ｃｙｃｌｉｃ Ｐｒｅｆｉｘ)挿入機、ＤＡＣ(Ｄｉｇｉｔａｌ−ｔｏ−Ａｎａｌｏｇ Ｃｏｎｖｅｒｔｅｒ)、周波数上りリンク変換器(ｆｒｅｑｕｅｎｃｙ ｕｐｌｉｎｋ ｃｏｎｖｅｒｔｅｒ)などを含む。
【０４６２】
無線機器において、受信信号のための信号処理過程は、図２５の信号処理過程１０１０〜１０６０の逆に構成される。例えば、無線機器(例えば、図２０の１００、２００)はアンテナポート／送受信機により外部から無線信号を受信する。受信された無線信号は信号復元機でベースバンド信号に変換される。このために信号復元機は周波数下りリンク変換器(ｆｒｅｑｕｅｎｃｙ ｄｏｗｎｌｉｎｋ ｃｏｎｖｅｒｔｅｒ)、ＡＤＣ(ａｎａｌｏｇ−ｔｏ−ｄｉｇｉｔａｌ ｃｏｎｖｅｒｔｅｒ)、ＣＰ除去機、ＦＦＴ(Ｆａｓｔ Ｆｏｕｒｉｅｒ Ｔｒａｎｓｆｏｒｍ)モジュールを含む。その後、ベースバンド信号はリソースデ−マッパー過程、ポストコーディング(ｐｏｓｔｃｏｄｉｎｇ)過程、復調過程及びデ−スクランブル過程を経てコードワードに復元される。コードワードは復号を経て元来の情報ブロックに復元される。従って、受信信号のための信号処理回路(図示せず)は、信号復元機、リソースデ−マッパー、ポストコーダー、復調器、デ−スクランブラー及び復号器を含む。
【０４６３】
以上説明してきた実施例は、本発明の構成要素及び特徴を所定形態に結合したものである。各構成要素又は特徴は、別の明示的な言及がない限り、選択的なものとして考慮される。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０４６４】
本文書で基地局によって行われるとした特定動作は、場合によってはその上位ノード(ｕｐｐｅｒ ｎｏｄｅ)によって行われることもある。即ち、基地局を含む複数のネットワークノード(ｎｅｔｗｏｒｋ ｎｏｄｅｓ)からなるネットワークにおいて端末との通信のために行われる様々な動作は、基地局又は基地局以外の他のネットワークノードによって行われ得ることは明らかである。基地局は、固定局(ｆｉｘｅｄ ｓｔａｔｉｏｎ)、ｇＮｏｄｅ Ｂ(ｇＮＢ)、Ｎｏｄｅ Ｂ、ｅＮｏｄｅ Ｂ(ｅＮＢ)、アクセスポイント(ａｃｃｅｓｓ ｐｏｉｎｔ)などの用語にしてもよい。
【０４６５】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０４６６】
上述した測位参照信号を送受信する方法及びそのための装置は、５世代ＮｅｗＲＡＴシステムに適用される例を中心として説明したが、５世代ＮｅｗＲＡＴシステム以外にも様々な無線通信システムに適用することができる。
【図１】
2021516913.tif 000010
【図２】
2021516913.tif 000011
【図３】
2021516913.tif 000012
【図４】
2021516913.tif 000013
【図５】
2021516913.tif 000014
【図６】
2021516913.tif 000015
【図７】
2021516913.tif 000016
【図８】
2021516913.tif 000017
【図９】
2021516913.tif 000018
【図１０】
2021516913.tif 000019
【図１１】
2021516913.tif 000020
【図１２】
2021516913.tif 000021
【図１３】
2021516913.tif 000022
【図１４】
2021516913.tif 000023
【図１５】
2021516913.tif 000024
【図１６】
2021516913.tif 000025
【図１７】
2021516913.tif 000026
【図１８】
2021516913.tif 000027
【図１９】
2021516913.tif 000028
【図２０】
2021516913.tif 000029
【図２１】
2021516913.tif 000030
【図２２】
2021516913.tif 000031
【図２３】
2021516913.tif 000032
【図２４】
2021516913.tif 000033
【図２５】
2021516913.tif 000034
【図２６】
2021516913.tif 000035
【図２７】
2021516913.tif 000036
【図２８】
2021516913.tif 000037
【図２９】
2021516913.tif 000038
【図３０】
2021516913.tif 000039
【図３１】
2021516913.tif 000040
【図３２】
2021516913.tif 000041
【図３３】
2021516913.tif 000042
【図３４】
2021516913.tif 000043
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
無線通信システムにおいて、端末（ＵＥ）により実行される方法であって、
（ｉ）複数のＰＲＳ（Ｐｏｓｉｔｉｏｎｉｎｇ  Ｒｅｆｅｒｅｎｃｅ  Ｓｉｇｎａｌ：ポジショニング参照信号)リソースを含むＰＲＳリソースセットのアイデンティファイア（ｉｄｅｎｔｉｆｉｅｒ：ＩＤ）に関する情報と、
（ｉｉ）前記複数のＰＲＳリソースの各ＩＤに関する情報と、及び、
（ｉｉｉ）前記複数のＰＲＳリソースの繰り返し回数に関する情報と、を受信し、並びに、
（ｉ）前記ＰＲＳリソースセットの前記ＩＤに関する情報と、
（ｉｉ）前記複数のＰＲＳリソースの各ＩＤに関する情報と、及び、
（ｉｉｉ）前記繰り返し回数に関する情報と、に基づいて、ＰＲＳを受信することを含んでなり、
前記複数のＰＲＳリソースの各々は、前記ＰＲＳリソースセットの時間区間、前記繰り返し回数に関する前記情報に従って識別された前記同一の繰り返し回数により、繰り返される、方法。
【請求項２】
前記複数のＰＲＳリソースの少なくとも１つと、ＲＳ（Ｒｅｆｅｒｅｎｃｅ  Ｓｉｇｎａｌ：参照信号)との間のＱＣＬ（Ｑｕａｓｉ Ｃｏ-Ｌｏｃａｔｉｏｎ：疑似コロケーション）に関する情報を受信することを更に含んでなり、
前記ＰＲＳはＱＣＬと前記ＲＳに関する前記情報に基づいて更に受信される、請求項１に記載の方法。
【請求項３】
前記ＲＳは、他のＰＲＳの少なくとも１つ又はＳＳ／ＰＢＣＨ（Ｓｙｎｃｈｒｏｎｉｚａｔｉｏｎ Ｓｉｇｎａｌ／Ｐｈｙｓｉｃａｌ Ｂｒｏａｄｃａｓｔ ｃｈａｎｎｅｌ)を備えてなり、及び、
前記ＱＣＬは、ＱＣＬタイプＤである、請求項２に記載の方法。
【請求項４】
特定セルのＩＤに関する情報を得ること、及び
前記特定セルの前記ＩＤに基づく前記ＲＳを受信すること、を更に含んでなる、請求項２に記載の方法。
【請求項５】
前記端末（ＵＥ）に設定可能な最大のＰＲＳリソースの数は、前記端末（ＵＥ）の性能(Ｃａｐａｂｉｌｉｔｙ)に基づいて決定される、請求項１に記載の方法。
【請求項６】
相互区別される複数の送信点（Ｔｒａｎｓｍｉｓｓｉｏｎ Ｐｏｉｎｔ：ＴＰ）に対応して異なるＰＲＳ送信タイミング（Ｔｒａｎｓｍｉｓｓｉｏｎ Ｔｉｍｉｎｇ：ＴＴ）に関する情報を得ることを、更に含んでなり、
前記ＰＲＳは、前記異なるＰＲＳ送信タイミングに関する情報に基づいて更に受信される、請求項１に記載の方法。
【請求項７】
前記ＰＲＳのための送信ビームの角度(ａｎｇｌｅ)に関する情報を得ることを更に含んでなる、請求項１に記載の方法。
【請求項８】
マッピングされた前記ＰＲＳリソースの少なくとも１つのシンボルに対するリソース要素（ＲＥ）オフセットは、周波数ドメインにおいて構成される、請求項１に記載の方法。
【請求項９】
前記少なくとも１つのシンボルに関する情報を得ることを更に含んでなる、請求項８に記載の方法。
【請求項１０】
無線通信システムにおいて動作される装置であって、
メモリと；及び
前記メモリと連結された少なくとも１つのプロセッサと；を備えてなり、
前記少なくとも１つのプロセッサは、
（ｉ）複数のＰＲＳ（Ｐｏｓｉｔｉｏｎｉｎｇ  Ｒｅｆｅｒｅｎｃｅ  Ｓｉｇｎａｌ：ポジショニング参照信号)リソースを含むＰＲＳリソースセットのアイデンティファイア（ｉｄｅｎｔｉｆｉｅｒ：ＩＤ）に関する情報と、
（ｉｉ）前記複数のＰＲＳリソースの各ＩＤに関する情報と、及び、
（ｉｉｉ）前記複数のＰＲＳリソースの繰り返し回数に関する情報と、を受信すること、並びに、
（ｉ）前記ＰＲＳリソースセットの前記ＩＤに関する情報と、
（ｉｉ）前記複数のＰＲＳリソースの各ＩＤに関する情報と、及び、
（ｉｉｉ）前記繰り返し回数に関する情報と、に基づいて、ＰＲＳを受信すること、を構成してなり、
前記複数のＰＲＳリソースの各々は、前記ＰＲＳリソースセットの時間区間、前記繰り返し回数に関する前記情報に従って識別された前記同一の繰り返し回数により、繰り返される、装置。
【請求項１１】
前記複数のＰＲＳリソースの少なくとも１つと、ＲＳ（Ｒｅｆｅｒｅｎｃｅ  Ｓｉｇｎａｌ：参照信号)との間のＱＣＬ（Ｑｕａｓｉ Ｃｏ-Ｌｏｃａｔｉｏｎ：疑似コロケーション）に関する情報を受信することを更に含んでなり、
前記ＰＲＳはＱＣＬと前記ＲＳに関する前記情報に基づいて更に受信される、請求項１０に記載の装置。
【請求項１２】
前記ＲＳは、他のＰＲＳの少なくとも１つ又はＳＳ／ＰＢＣＨ（Ｓｙｎｃｈｒｏｎｉｚａｔｉｏｎ Ｓｉｇｎａｌ／Ｐｈｙｓｉｃａｌ Ｂｒｏａｄｃａｓｔ ｃｈａｎｎｅｌ)を備えてなり、及び、
前記ＱＣＬは、ＱＣＬタイプＤである、請求項１１に記載の装置。
【請求項１３】
前記装置は、モバイル端末、ネットワーク、又は前記装置を備えた車両以外の自律走行車両のうちの何れか１つと通信することを構成してなる、請求項１０に記載の装置。
【請求項１４】
無線通信システムにおいて動作される装置であって、
少なくとも１つのプロセッサと；
前記少なくとも１つのプロセッサに方法を実行させる、少なくとも１つの命令(ｉｎｓｔｒｕｃｔｉｏｎｓ)を格納する少なくとも１つのメモリと；を備えてなり、
前記方法は、
（ｉ）複数のＰＲＳ（Ｐｏｓｉｔｉｏｎｉｎｇ  Ｒｅｆｅｒｅｎｃｅ  Ｓｉｇｎａｌ：ポジショニング参照信号)リソースを含むＰＲＳリソースセットのアイデンティファイア（ｉｄｅｎｔｉｆｉｅｒ：ＩＤ）に関する情報と、
（ｉｉ）前記複数のＰＲＳリソースの各ＩＤに関する情報と、及び、
（ｉｉｉ）前記複数のＰＲＳリソースの繰り返し回数に関する情報と、を受信すること、並びに、
（ｉ）前記ＰＲＳリソースセットの前記ＩＤに関する情報と、
（ｉｉ）前記複数のＰＲＳリソースの各ＩＤに関する情報と、及び、
（ｉｉｉ）前記繰り返し回数に関する情報と、に基づいて、ＰＲＳを受信すること、を含んでなり、
前記複数のＰＲＳリソースの各々は、前記ＰＲＳリソースセットの時間区間、前記繰り返し回数に関する前記情報に従って識別された前記同一の繰り返し回数により、繰り返される、装置。
【国際調査報告】
2021516913.tif 000044
2021516913.tif 000045
2021516913.tif 000046
2021516913.tif 000047